(57)【要約】【課題】点呼データを利用してタクシーの運転者に法令や規則の遵守を徹底させることができ、運転者の運行の安全を確保することができる点呼管理システムを提供する。【解決手段】コンピュータ１１Ａは、運転者特定情報を運転者毎に区分して記憶する運転者特定情報記憶手段と、乗務前点呼日時を運転者毎に区分して記憶する乗務前点呼日時記憶手段と、点呼対象の運転者の所定期間における乗務可能時間からその運転者の乗務前点呼日時における累計乗務時間を減じて乗務可能残り時間を算出する乗務可能残り時間算出手段と、算出した乗務可能残り時間を運転者毎に区分しつつ乗務前点呼日時に関連付けて記憶する乗務可能残り時間記憶手段と、所定の運転者の運転者特定情報と乗務前点呼日時と乗務可能残り時間とを出力する運転者別点呼データ出力手段とを有する。【選択図】図１
2011013911.tif 000002
【特許請求の範囲】
【請求項１】
点呼者が営業用自動車に乗務する複数の運転者に対して行う乗務前点呼の各種複数の点呼データを収集・管理するコンピュータと、前記コンピュータに接続されて前記点呼データを出力する出力装置とを備え、
前記点呼データが、点呼対象の運転者を個別に特定する運転者特定情報と、前記点呼対象の運転者の乗務日における乗務前点呼日時と、前記点呼対象の運転者の所定期間における乗務可能時間と、前記点呼対象の運転者の所定期間における乗務可能時間からその運転者の所定期間内における累計乗務時間を減じた乗務可能残り時間とを含み、
前記コンピュータが、前記運転者特定情報を運転者毎に区分して記憶する運転者特定情報記憶手段と、前記乗務前点呼日時を運転者毎に区分して記憶する乗務前点呼日時記憶手段と、前記乗務可能時間を運転者毎に区分して記憶する乗務可能時間記憶手段と、前記点呼対象の運転者の所定期間における乗務可能時間からその運転者の乗務前点呼日時における累計乗務時間を減じて乗務可能残り時間を算出する乗務可能残り時間算出手段と、算出した乗務可能残り時間を運転者毎に区分しつつ前記乗務前点呼日時に関連付けて記憶する乗務可能残り時間記憶手段と、所定の運転者の前記運転者特定情報と前記乗務前点呼日時と前記乗務可能時間と前記乗務可能残り時間とのうち、少なくとも前記運転者特定情報と前記乗務前点呼日時と前記乗務可能残り時間とを前記出力装置を介して出力する運転者別点呼データ出力手段とを有することを特徴とする点呼管理システム。
【請求項２】
前記コンピュータが、過去から現在までのうちの所定の時期を指定したときに、指定した時期における前記運転者特定情報と乗務前点呼日時毎の前記乗務可能時間と前記乗務可能残り時間とのうち、少なくとも前記運転者特定情報と乗務前点呼日時毎の前記乗務可能残り時間とを前記出力装置を介して出力する時期別点呼データ出力手段を有する請求項１記載の点呼管理システム。
【請求項３】
前記点呼データが、前記点呼対象の運転者を点呼した点呼者を個別に特定する点呼者特定情報を含み、前記コンピュータが、前記点呼者特定情報を点呼者毎に区分して記憶する点呼者特定情報記憶手段を有し、前記乗務前点呼日時記憶手段では、前記乗務前点呼日時を運転者毎に区分するとともに点呼者毎に区分して記憶し、前記運転者別点呼データ出力手段では、前記点呼者特定情報を前記出力装置を介して出力する請求項１または請求項２に記載の点呼管理システム。
【請求項４】
前記時期別点呼データ出力手段では、過去から現在までのうちの所定の時期を指定したときに、指定した時期における前記点呼者特定情報を前記運転者特定情報とともに出力する請求項３記載の点呼管理システム。
【請求項５】
前記点呼データが、前記点呼対象の運転者の所定期間における走行可能距離と、前記点呼対象の運転者の所定期間における走行可能距離からその運転者の所定期間内における累計走行距離を減じた走行可能残り距離とを含み、前記コンピュータが、前記走行可能距離を運転者毎に区分して記憶する走行可能距離記憶手段と、前記点呼対象の運転者の所定期間における走行可能距離からその運転者の乗務前点呼日時における累計走行距離を減じて走行可能残り距離を算出する走行可能残り距離算出手段と、算出した走行可能残り距離を運転者毎に区分しつつ前記乗務前点呼日時に関連付けて記憶する走行可能残り距離記憶手段とを有し、前記運転者別点呼データ出力手段では、所定の運転者の前記走行可能距離と前記走行可能残り距離とのうち、少なくとも前記走行可能残り距離を出力する請求項１ないし請求項４いずれかに記載の点呼管理システム。
【請求項６】
前記時期別点呼データ出力手段では、過去から現在までのうちの所定の時期を指定したときに、指定した時期における乗務前点呼日時毎の前記走行可能距離と前記走行可能残り距離とのうち、少なくとも乗務前点呼日時毎の前記走行可能残り距離を前記運転者特定情報とともに出力する請求項５記載の点呼管理システム。
【請求項７】
前記点呼データが、前記点呼対象の運転者の所定期間内における売上目標金額と、前記点呼対象の運転者の所定期間内における累計売上金額と、前記累計売上金額を前記売上目標金額で除した目標達成率とを含み、前記コンピュータが、前記売上目標金額を運転者毎に区分して記憶する売上目標金額記憶手段と、前記累計売上金額を運転者毎に区分しつつ前記乗務前点呼日時に関連付けて記憶する累計売上金額記憶手段と、前記点呼対象の運転者の乗務前点呼日時における前記累計売上金額を所定期間における売上目標金額で除して目標達成率を算出する目標達成率算出手段と、算出した目標達成率を運転者毎に区分しつつ前記乗務前点呼日時に関連付けて記憶する目標達成率記憶手段とを有し、前記運転者別点呼データ出力手段では、所定の運転者の前記売上目標金額と前記累計売上金額と前記目標達成率とのうち、少なくとも前記目標達成率を出力する請求項１ないし請求項６いずれかに記載の点呼管理システム。
【請求項８】
前記時期別点呼データ出力手段では、過去から現在までのうちの所定の時期を指定したときに、指定した時期における乗務前点呼日時毎の前記売上目標金額と前記累計売上金額と前記目標達成率とのうち、少なくとも乗務前点呼日時毎の前記目標達成率を前記運転者特定情報とともに出力する請求項７記載の点呼管理システム。
【請求項９】
前記点呼データが、前記点呼対象の運転者の乗務日における１日の当日売上目標金額と、前記点呼対象の運転者の前回の乗務日における前回目標達成率とを含み、前記コンピュータが、前記当日売上目標金額を運転者毎に区分して記憶する当日売上目標金額記憶手段と、前記点呼対象の運転者の前回の乗務日における売上金額を前回売上目標金額で除して前回目標達成率を算出する前回目標達成率算出手段と、算出した前回目標達成率を運転者毎に区分しつつ前記乗務前点呼日時に関連付けて記憶する前回目標達成率記憶手段とを有し、前記運転者別点呼データ出力手段では、所定の運転者の前記当日売上目標金額と前記前回目標達成率とを出力する請求項１ないし請求項８いずれかに記載の点呼管理システム。
【請求項１０】
前記時期別点呼データ出力手段では、過去から現在までのうちの所定の時期を指定したときに、指定した時期における乗務前点呼日時毎の前記当日売上目標金額と前記前回目標達成率とを前記運転者特定情報とともに出力する請求項９記載の点呼管理システム。
【請求項１１】
前記点呼データが、前記点呼対象の運転者の所定期間内における乗務時間当たりの売上金額と、前記点呼対象の運転者の所定期間内における走行距離当たりの売上金額とを含み、前記コンピュータが、前記点呼対象の運転者の乗務前点呼日時における前記累計売上金額を乗務前点呼日時における前記累計乗務時間で除して乗務時間当たりの売上金額を算出する時間当たり売上金額算出手段と、算出した乗務時間当たりの売上金額を運転者毎に区分しつつ前記乗務前点呼日時に関連付けて記憶する時間当たり売上金額記憶手段と、前記点呼対象の運転者の乗務前点呼日時における前記累計売上金額を乗務前点呼日時における前記累計走行距離で除して走行距離当たりの売上金額を算出する距離当たり売上金額算出手段と、算出した走行距離当たりの売上金額を運転者毎に区分しつつ前記乗務前点呼日時に関連付けて記憶する距離当たり売上金額記憶手段とを有し、前記運転者別点呼データ出力手段では、所定の運転者の前記乗務時間当たりの売上金額と前記走行距離当たりの売上金額とを出力する請求項１ないし請求項１０いずれかに記載の点呼管理システム。
【請求項１２】
前記時期別点呼データ出力手段では、過去から現在までのうちの所定の時期を指定したときに、指定した時期における乗務前点呼日時毎の前記乗務時間当たりの売上金額と前記走行距離当たりの売上金額とを前記運転者特定情報とともに出力する請求項１１に記載の点呼管理システム。
【請求項１３】
前記点呼データが、前記点呼対象の運転者の乗務間隔と、前記点呼対象の運転者の乗務日における乗務前点呼時の健康状態とを含み、前記コンピュータが、前記乗務間隔を運転者毎に区分して記憶する乗務間隔記憶手段と、前記健康状態を運転者毎に区分しつつ前記乗務前点呼日時に関連付けて記憶する健康状態記憶手段とを有し、前記運転者別点呼データ出力手段では、所定の運転者の前記乗務間隔と前記健康状態とを出力する請求項１ないし請求項１２いずれかに記載の点呼管理システム。
【請求項１４】
前記時期別点呼データ出力手段では、過去から現在までのうちの所定の時期を指定したときに、指定した時期における乗務前点呼日時毎の前記乗務間隔と前記健康状態とを前記運転者特定情報とともに出力する請求項１３記載の点呼管理システム。
【請求項１５】
前記点呼データが、前記点呼対象の運転者が所持する自動車運転免許証の免許証情報と、前記営業用自動車のうちの前記点呼対象の運転者が乗務する乗務自動車の乗務前車両点検の点検実施状況とを含み、前記コンピュータが、前記免許証情報を運転者毎に区分しつつ前記乗務前点呼日時に関連付けて記憶する免許証情報記憶手段と、前記点検実施状況を運転者毎に区分しつつ前記乗務前点呼日時に関連付けて記憶する点検実施状況記憶手段とを有し、前記運転者別点呼データ出力手段では、所定の運転者の前記免許証情報と前記点検実施状況とを出力する請求項１ないし請求項１４いずれかに記載の点呼管理システム。
【請求項１６】
前記時期別点呼データ出力手段では、過去から現在までのうちの所定の時期を指定したときに、指定した時期における乗務前点呼日時毎の前記免許証情報と前記点検実施状況とを前記運転者特定情報とともに出力する請求項１５に記載の点呼管理システム。
【請求項１７】
前記点呼データが、前記点呼対象の運転者の乗務日における勤務時間と、前記点呼対象の運転者の乗務日における休息時間と、前記点呼対象の運転者の乗務日における走行距離と、前記点呼対象の運転者の乗務日における帰庫時間とを含み、前記コンピュータが、前記勤務時間を運転者毎に区分しつつ前記乗務前点呼日時に関連付けて記憶する勤務時間記憶手段と、前記休息時間を運転者毎に区分しつつ前記乗務前点呼日時に関連付けて記憶する休息時間記憶手段と、前記走行距離を運転者毎に区分しつつ前記乗務前点呼日時に関連付けて記憶する走行距離記憶手段と、前記帰庫時間を運転者毎に区分しつつ前記乗務前点呼日時に関連付けて記憶する帰庫時間記憶手段とを有し、前記運転者別点呼データ出力手段では、所定の運転者の前記勤務時間と前記休息時間と前記走行距離と前記帰庫時間とを出力する請求項１ないし請求項１６いずれかに記載の点呼管理システム。
【請求項１８】
前記時期別点呼データ出力手段では、過去から現在までのうちの所定の時期を指定したときに、指定した時期における乗務前点呼日時毎の前記勤務時間と前記休息時間と前記走行距離と前記帰庫時間とを前記運転者特定情報とともに出力する請求項１７記載の点呼管理システム。
【請求項１９】
前記点呼データが、過去から現在までの前記営業用自動車の各種複数の事故画像を含み、前記コンピュータが、それら事故画像を記憶する事故画像記憶手段と、点呼対象の運転者に対して行う乗務前点呼時に、その運転者に視認させる事故画像を前記出力装置を介して出力する事故画像出力手段とを有する請求項１ないし請求項１６いずれかに記載の点呼管理システム。
【請求項２０】
前記事故画像には、車両対車両事故画像、車両対人事故画像、車両対二輪車事故画像、車両対自転車事故画像、車両単独事故画像が含まれ、前記コンピュータが、それら事故画像の中から前記運転者に視認させる少なくとも１つの事故画像を選択する事故画像選択手段を有し、前記事故画像出力手段では、前記事故画像選択手段によって選択された事故画像を出力する請求項１９記載の点呼管理システム。
【請求項２１】
前記事故画像記憶手段では、各種複数の事故画像に前記運転者を識別する運転者識別子を設定してそれら事故画像を前記運転者識別子とともに記憶し、前記事故画像出力手段では、前記乗務前点呼時に点呼対象の運転者の運転者識別子に対応する事故画像を出力する請求項１９または請求項２０に記載の点呼管理システム。
【請求項２２】
前記コンピュータが、前記事故画像出力手段によって出力した事故画像にそれを視認した運転者を識別する運転者識別子を設定し、出力済みの事故画像を前記運転者識別子とともに記憶する出力済み事故画像記憶手段を有する請求項１９ないし請求項２１いずれかに記載の点呼管理システム。
【請求項２３】
前記点呼データが、過去から現在までの前記営業用自動車の各種複数の事故未遂画像を含み、前記コンピュータが、それら事故未遂画像を記憶する事故未遂画像記憶手段と、点呼対象の運転者に対して行う乗務前点呼時に、その運転者に視認させる事故未遂画像を前記出力装置を介して出力する事故未遂画像出力手段とを有する請求項１ないし請求項２２いずれかに記載の点呼管理システム。
【請求項２４】
前記事故未遂画像には、車両対車両事故未遂画像、車両対人事故未遂画像、車両対二輪車事故未遂画像、車両対自転車事故未遂画像、車両単独事故未遂画像が含まれ、前記コンピュータが、それら事故未遂画像の中から前記運転者に視認させる少なくとも１つの事故未遂画像を選択する事故未遂画像選択手段を有し、前記事故未遂画像出力手段では、前記事故未遂画像選択手段によって選択された事故未遂画像を出力する請求項２３記載の点呼管理システム。
【請求項２５】
前記事故未遂画像記憶手段では、各種複数の事故未遂画像に前記運転者を識別する運転者識別子を設定してそれら事故未遂画像を前記運転者識別子とともに記憶し、前記事故未遂画像出力手段では、前記乗務前点呼時に点呼対象の運転者の運転者識別子に対応する事故未遂画像を出力する請求項２３または請求項２４に記載の点呼管理システム。
【請求項２６】
前記コンピュータが、前記事故未遂画像出力手段によって出力した事故未遂画像にそれを視認した運転者を識別する運転者識別子を設定し、出力済みの事故未遂画像を運転者識別子とともに記憶する出力済み事故未遂画像記憶手段を有する請求項２３ないし請求項２５いずれかに記載の点呼管理システム。
【発明の詳細な説明】
【技術分野】
【０００１】
本発明は、営業用自動車を運転する複数の運転者に対して行う乗務前点呼の各種複数の点呼データを管理する点呼管理システムに関する。
【背景技術】
【０００２】
自動車運転者が出頭する場所に設置された第１演算装置と、第１演算装置にデータ送信可能な自動車運転者の識別情報入力装置と、第１演算装置にデータ送信可能な呼気中のアルコール濃度測定装置と、第１演算装置にデータ送信可能な撮像装置および音声入力装置と、第１演算装置からデータ受信可能な音声出力装置および画像表示装置と、第１演算装置に対してデータ送受信が可能な第１データ送受信装置と、自動車運行管理者が所在する場所に設置されて第１データ受信装置とデータ送受信が可能な第２データ送受信装置と、第２データ送受信装置とデータ送受信が可能な第２演算装置と、第２演算装置にデータ送信可能な音声入力装置と、第２演算装置からデータ受信可能な音声出力装置および画像表示装置と、第１および第２演算装置にデータ送信可能なデータ記録装置とを有する自動車運行管理装置がある（特許文献１参照）。この自動車運行管理装置は、運行管理者が遠隔地において運転者の健康状態を総合的に判断しつつ点呼作業を行うことができるから、点呼を行うために運行管理者が運転者の出頭場所に常駐する必要はなく、運行管理者の負担や人件費を軽減することができる。
【先行技術文献】
【特許文献】
【０００３】
【特許文献１】特開２００７−５８２９５号公報
【発明の概要】
【発明が解決しようとする課題】
【０００４】
前記特許文献１に開示の自動車運行管理装置は、各自動車運転者の健康状態を確認しつつ運転者の呼気に含まれるアルコール濃度を測定することで、遠隔地において運転者の健康状態や飲酒の有無を把握することができる。しかし、この自動車運行管理装置は、運転者の月内の乗務可能時間とその運転者の月内の累計乗務時間とを比較する手段がなく、運転者の月内の走行可能距離とその運転者の月内の累計走行距離とを比較する手段がないから、所定の運転者があらかじめ設定された月内の乗務可能時間や走行可能距離を超過しているかを判断することができない。したがって、たとえば点呼者が各運転者の乗務可能残り時間や走行可能残り距離を運転者毎に個別に算出かつ書面に記録し、算出した乗務可能残り時間や走行可能残り距離を点呼者が点呼時に各運転者に通知しなければならず、点呼準備にかかる手間と時間とを軽減することができないのみならず、乗務可能時間や走行可能距離の超過を見過ごしてしまう場合もある。
【０００５】
また、点呼作業に伴う各種複数の点呼データを時系列かつ各運転者に区分して記憶する手段がなく、運転者の各点呼データを点呼者が別途書面に記録しなければならず、点呼作業にかかる時間と手間とを軽減することができない。さらに、この自動車運行管理装置は、それら点呼データを各自動車運転者に区分して出力する手段がなく、運転者や点呼者がそれら点呼データを確認することやそれら点呼データを各運転者に認識させることができず、点呼作業を通じて各運転者に必要事項を通知することができないのみならず、点呼作業を通じて各運転者に対する安全運転の徹底や売上の向上を図ることが難しい。
【０００６】
本発明の目的は、時間や手間を要せずに点呼者が点呼準備や点呼作業を行うことができる点呼管理システムを提供することにある。本発明の他の目的は、各種複数の点呼データを運転者や点呼者が容易に確認することができ、それら点呼データを利用して営業自動車の運転者に法令や規則の遵守を徹底させることができ、さらに、運転者の運行の安全を確保することができる点呼管理システムを提供することにある。
【課題を解決するための手段】
【０００７】
本発明の点呼管理システムの特徴は、点呼者が営業用自動車に乗務する複数の運転者に対して行う乗務前点呼の各種複数の点呼データを収集・管理するコンピュータと、コンピュータに接続されて点呼データを出力する出力装置とを備え、点呼データが、点呼対象の運転者を個別に特定する運転者特定情報と、点呼対象の運転者の乗務日における乗務前点呼日時と、点呼対象の運転者の所定期間における乗務可能時間と、点呼対象の運転者の所定期間における乗務可能時間からその運転者の所定期間内における累計乗務時間を減じた乗務可能残り時間とを含み、コンピュータが、運転者特定情報を運転者毎に区分して記憶する運転者特定情報記憶手段と、乗務前点呼日時を運転者毎に区分して記憶する乗務前点呼日時記憶手段と、乗務可能時間を運転者毎に区分して記憶する乗務可能時間記憶手段と、点呼対象の運転者の所定期間における乗務可能時間からその運転者の乗務前点呼日時における累計乗務時間を減じて乗務可能残り時間を算出する乗務可能残り時間算出手段と、算出した乗務可能残り時間を運転者毎に区分しつつ乗務前点呼日時に関連付けて記憶する乗務可能残り時間記憶手段と、所定の運転者の運転者特定情報と乗務前点呼日時と乗務可能時間と乗務可能残り時間とのうち、少なくとも運転者特定情報と乗務前点呼日時と乗務可能残り時間とを出力装置を介して出力する運転者別点呼データ出力手段とを有することにある。
【０００８】
本発明の点呼管理システムの一例としては、コンピュータが、過去から現在までのうちの所定の時期を指定したときに、指定した時期における運転者特定情報と乗務前点呼日時毎の乗務可能時間と乗務可能残り時間とのうち、少なくとも運転者特定情報と乗務前点呼日時毎の乗務可能残り時間とを出力装置を介して出力する時期別点呼データ出力手段を有する。
【０００９】
本発明の点呼管理システムの他の一例としては、点呼データが、点呼対象の運転者を点呼した点呼者を個別に特定する点呼者特定情報を含み、コンピュータが、点呼者特定情報を点呼者毎に区分して記憶する点呼者特定情報記憶手段を有し、乗務前点呼日時記憶手段では、乗務前点呼日時を運転者毎に区分するとともに点呼者毎に区分して記憶し、運転者別点呼データ出力手段では、点呼者特定情報を出力装置を介して出力する。
【００１０】
本発明の点呼管理システムの他の一例として、時期別点呼データ出力手段では、過去から現在までのうちの所定の時期を指定したときに、指定した時期における点呼者特定情報を運転者特定情報とともに出力する。
【００１１】
本発明の点呼管理システムの他の一例としては、点呼データが、点呼対象の運転者の所定期間における走行可能距離と、点呼対象の運転者の所定期間における走行可能距離からその運転者の所定期間内における累計走行距離を減じた走行可能残り距離とを含み、コンピュータが、走行可能距離を運転者毎に区分して記憶する走行可能距離記憶手段と、点呼対象の運転者の所定期間における走行可能距離からその運転者の乗務前点呼日時における累計走行距離を減じて走行可能残り距離を算出する走行可能残り距離算出手段と、算出した走行可能残り距離を運転者毎に区分しつつ乗務前点呼日時に関連付けて記憶する走行可能残り距離記憶手段とを有し、運転者別点呼データ出力手段では、所定の運転者の走行可能距離と走行可能残り距離とのうち、少なくとも走行可能残り距離を出力する。
【００１２】
本発明の点呼管理システムの他の一例として、時期別点呼データ出力手段では、過去から現在までのうちの所定の時期を指定したときに、指定した時期における乗務前点呼日時毎の走行可能距離と走行可能残り距離とのうち、少なくとも乗務前点呼日時毎の走行可能残り距離を運転者特定情報とともに出力する。
【００１３】
本発明の点呼管理システムの他の一例としては、点呼データが、点呼対象の運転者の所定期間内における売上目標金額と、点呼対象の運転者の所定期間内における累計売上金額と、累計売上金額を売上目標金額で除した目標達成率とを含み、コンピュータが、売上目標金額を運転者毎に区分して記憶する売上目標金額記憶手段と、累計売上金額を運転者毎に区分しつつ乗務前点呼日時に関連付けて記憶する累計売上金額記憶手段と、点呼対象の運転者の乗務前点呼日時における累計売上金額を所定期間における売上目標金額で除して目標達成率を算出する目標達成率算出手段と、算出した目標達成率を運転者毎に区分しつつ乗務前点呼日時に関連付けて記憶する目標達成率記憶手段とを有し、運転者別点呼データ出力手段では、所定の運転者の売上目標金額と累計売上金額と目標達成率とのうち、少なくとも目標達成率を出力する。
【００１４】
本発明の点呼管理システムの他の一例として、時期別点呼データ出力手段では、過去から現在までのうちの所定の時期を指定したときに、指定した時期における乗務前点呼日時毎の売上目標金額と累計売上金額と目標達成率とのうち、少なくとも乗務前点呼日時毎の目標達成率を運転者特定情報とともに出力する。
【００１５】
本発明の点呼管理システムの他の一例としては、点呼データが、点呼対象の運転者の乗務日における１日の当日売上目標金額と、点呼対象の運転者の前回の乗務日における前回目標達成率とを含み、コンピュータが、当日売上目標金額を運転者毎に区分して記憶する当日売上目標金額記憶手段と、点呼対象の運転者の前回の乗務日における売上金額を前回売上目標金額で除して前回目標達成率を算出する前回目標達成率算出手段と、算出した前回目標達成率を運転者毎に区分しつつ乗務前点呼日時に関連付けて記憶する前回目標達成率記憶手段とを有し、運転者別点呼データ出力手段では、所定の運転者の当日売上目標金額と前回目標達成率とを出力する。
【００１６】
本発明の点呼管理システムの他の一例として、時期別点呼データ出力手段では、過去から現在までのうちの所定の時期を指定したときに、指定した時期における乗務前点呼日時毎の当日売上目標金額と前回目標達成率とを運転者特定情報とともに出力する。
【００１７】
本発明の点呼管理システムの他の一例としては、点呼データが、点呼対象の運転者の所定期間内における乗務時間当たりの売上金額と、点呼対象の運転者の所定期間内における走行距離当たりの売上金額とを含み、コンピュータが、点呼対象の運転者の乗務前点呼日時における累計売上金額を乗務前点呼日時における累計乗務時間で除して乗務時間当たりの売上金額を算出する時間当たり売上金額算出手段と、算出した乗務時間当たりの売上金額を運転者毎に区分しつつ乗務前点呼日時に関連付けて記憶する時間当たり売上金額記憶手段と、点呼対象の運転者の乗務前点呼日時における累計売上金額を乗務前点呼日時における累計走行距離で除して走行距離当たりの売上金額を算出する距離当たり売上金額算出手段と、算出した走行距離当たりの売上金額を運転者毎に区分しつつ乗務前点呼日時に関連付けて記憶する距離当たり売上金額記憶手段とを有し、運転者別点呼データ出力手段では、所定の運転者の乗務時間当たりの売上金額と走行距離当たりの売上金額とを出力する。
【００１８】
本発明の点呼管理システムの他の一例として、時期別点呼データ出力手段では、過去から現在までのうちの所定の時期を指定したときに、指定した時期における乗務前点呼日時毎の乗務時間当たりの売上金額と走行距離当たりの売上金額とを運転者特定情報とともに出力する。
【００１９】
本発明の点呼管理システムの他の一例としては、点呼データが、点呼対象の運転者の乗務間隔と、点呼対象の運転者の乗務日における乗務前点呼時の健康状態とを含み、コンピュータが、乗務間隔を運転者毎に区分して記憶する乗務間隔記憶手段と、健康状態を運転者毎に区分しつつ乗務前点呼日時に関連付けて記憶する健康状態記憶手段とを有し、運転者別点呼データ出力手段では、所定の運転者の乗務間隔と健康状態とを出力する。
【００２０】
本発明の点呼管理システムの他の一例として、時期別点呼データ出力手段では、過去から現在までのうちの所定の時期を指定したときに、指定した時期における乗務前点呼日時毎の乗務間隔と健康状態とを運転者特定情報とともに出力する。
【００２１】
本発明の点呼管理システムの他の一例としては、点呼データが、点呼対象の運転者が所持する自動車運転免許証の免許証情報と、営業用自動車のうちの点呼対象の運転者が乗務する乗務自動車の乗務前車両点検の点検実施状況とを含み、コンピュータが、免許証情報を運転者毎に区分しつつ乗務前点呼日時に関連付けて記憶する免許証情報記憶手段と、点検実施状況を運転者毎に区分しつつ乗務前点呼日時に関連付けて記憶する点検実施状況記憶手段とを有し、運転者別点呼データ出力手段では、所定の運転者の免許証情報と点検実施状況とを出力する。
【００２２】
本発明の点呼管理システムの他の一例として、時期別点呼データ出力手段では、過去から現在までのうちの所定の時期を指定したときに、指定した時期における乗務前点呼日時毎の免許証情報と点検実施状況とを運転者特定情報とともに出力する。
【００２３】
本発明の点呼管理システムの他の一例としては、点呼データが、点呼対象の運転者の乗務日における勤務時間と、点呼対象の運転者の乗務日における休息時間と、点呼対象の運転者の乗務日における走行距離と、点呼対象の運転者の乗務日における帰庫時間とを含み、コンピュータが、勤務時間を運転者毎に区分しつつ乗務前点呼日時に関連付けて記憶する勤務時間記憶手段と、休息時間を運転者毎に区分しつつ乗務前点呼日時に関連付けて記憶する休息時間記憶手段と、走行距離を運転者毎に区分しつつ乗務前点呼日時に関連付けて記憶する走行距離記憶手段と、帰庫時間を運転者毎に区分しつつ乗務前点呼日時に関連付けて記憶する帰庫時間記憶手段とを有し、運転者別点呼データ出力手段では、所定の運転者の勤務時間と休息時間と走行距離と帰庫時間とを出力する。
【００２４】
本発明の点呼管理システムの他の一例として、時期別点呼データ出力手段では、過去から現在までのうちの所定の時期を指定したときに、指定した時期における乗務前点呼日時毎の勤務時間と休息時間と走行距離と帰庫時間とを運転者特定情報とともに出力する。
【００２５】
本発明の点呼管理システムの他の一例としては、点呼データが、過去から現在までの営業用自動車の各種複数の事故画像を含み、コンピュータが、それら事故画像を記憶する事故画像記憶手段と、点呼対象の運転者に対して行う乗務前点呼時に、その運転者に視認させる事故画像を出力装置を介して出力する事故画像出力手段とを有する。
【００２６】
本発明の点呼管理システムの他の一例として、事故画像には、車両対車両事故画像、車両対人事故画像、車両対二輪車事故画像、車両対自転車事故画像、車両単独事故画像が含まれ、前記コンピュータが、それら事故画像の中から前記運転者に視認させる少なくとも１つの事故画像を選択する事故画像選択手段を有し、前記事故画像出力手段では、前記事故画像選択手段によって選択された事故画像を出力する請求項１９記載の点呼管理システム。
【００２７】
本発明の点呼管理システムの他の一例として、事故画像記憶手段では、各種複数の事故画像に運転者を識別する運転者識別子を設定してそれら事故画像を運転者識別子とともに記憶し、事故画像出力手段では、乗務前点呼時に点呼対象の運転者の運転者識別子に対応する事故画像を出力する。
【００２８】
本発明の点呼管理システムの他の一例としては、コンピュータが、事故画像出力手段によって出力した事故画像にそれを視認した運転者を識別する運転者識別子を設定し、出力済みの事故画像を運転者識別子とともに記憶する出力済み事故画像記憶手段を有する。
【００２９】
本発明の点呼管理システムの他の一例としては、点呼データが、過去から現在までの営業用自動車の各種複数の事故未遂画像を含み、コンピュータが、それら事故未遂画像を記憶する事故未遂画像記憶手段と、点呼対象の運転者に対して行う乗務前点呼時に、その運転者に視認させる事故未遂画像を出力装置を介して出力する事故未遂画像出力手段とを有する。
【００３０】
本発明の点呼管理システムの他の一例として、事故未遂画像には、車両対車両事故未遂画像、車両対人事故未遂画像、車両対二輪車事故未遂画像、車両対自転車事故未遂画像、車両単独事故未遂画像が含まれ、コンピュータが、それら事故未遂画像の中から運転者に視認させる少なくとも１つの事故未遂画像を選択する事故未遂画像選択手段を有し、事故未遂画像出力手段では、事故未遂画像選択手段によって選択された事故未遂画像を出力する。
【００３１】
本発明の点呼管理システムの他の一例として、事故未遂画像記憶手段では、各種複数の事故未遂画像に運転者を識別する運転者識別子を設定してそれら事故未遂画像を運転者識別子とともに記憶し、事故未遂画像出力手段では、乗務前点呼時に点呼対象の運転者の運転者識別子に対応する事故未遂画像を出力する。
【００３２】
本発明の点呼管理システムの他の一例としては、コンピュータが、事故未遂画像出力手段によって出力した事故未遂画像にそれを視認した運転者を識別する運転者識別子を設定し、出力済みの事故未遂画像を運転者識別子とともに記憶する出力済み事故未遂画像記憶手段を有する。
【発明の効果】
【００３３】
本発明にかかる点呼管理システムによれば、点呼対象の運転者の乗務可能残り時間を算出しつつ、運転者の運転者特定情報や乗務前点呼日時、乗務可能時間、乗務可能残り時間を記憶するとともに、その運転者の運転者特定情報と乗務前点呼日時と乗務可能時間と乗務可能残り時間とのうち、少なくとも運転者特定情報と乗務前点呼日時と乗務可能残り時間とを出力するから、点呼者が各運転者の乗務可能残り時間を運転者毎に個別に算出かつ記録する必要や点呼時にそれら点呼データを各運転者に書面で通知する必要はなく、点呼準備や点呼作業にかかる労力を大幅に軽減することができる。点呼管理システムは、点呼対象の運転者の乗務可能残り時間を出力するから、各運転者の乗務可能残り時間を容易に確認かつ把握することができるとともに、乗務可能残り時間を各運転者に認識させることができ、各運転者に所定期間における乗務可能時間の遵守を徹底させることができる。この点呼管理システムは、点呼者や運転者が乗務可能残り時間を把握することで、運転者の超過労働や過労運転を防ぐことができ、乗務可能時間や乗務可能残り時間を含む点呼データを利用して運転者の運行の安全を確保することができる。
【００３４】
過去から現在までのうちの所定の時期を指定したときに、指定した時期における乗務前点呼日時毎の乗務可能残り時間を運転者特定情報とともに出力する点呼管理システムは、指定時期における乗務可能残り時間を出力することで、所定の運転者の過去から現在までの乗務前点呼日時毎の乗務可能残り時間を正確に把握することができ、点呼者が運転者の乗務可能残り時間を所定の期間や期日毎に把握しつつ、各運転者に乗務可能時間の遵守を徹底させることができる。この点呼管理システムは、乗務可能時間や乗務可能残り時間を含む点呼データを利用して運転者の超過労働や過労運転を防ぐことができ、それら点呼データを利用して運転者の運行の安全を確保することができる。
【００３５】
点呼対象の運転者を点呼した点呼者を個別に特定する点呼者特定情報を点呼者毎に区分して記憶するとともに、乗務前点呼日時を運転者毎に区分しつつ点呼者毎に区分して記憶し、点呼者特定情報を出力する点呼管理システムは、点呼者が点呼時に自己の氏名を記録する必要はなく、点呼準備や点呼作業にかかる労力を大幅に軽減することができる。点呼管理システムは、点呼者特定情報を出力するから、点呼日時における点呼担当者を容易に確認かつ把握することができ、点呼者の運転者に対する点呼が適正に行われたかを判断することができる。
【００３６】
過去から現在までのうちの所定の時期を指定したときに、指定した時期における点呼者特定情報を運転者特定情報とともに出力する点呼管理システムは、指定時期における点呼者特定情報を出力することで、所定の運転者を点呼した過去から現在までの点呼者を正確に把握することができ、過去から現在にかけて点呼者の運転者に対する点呼が適正に行われたかを判断することができる。
【００３７】
点呼対象の運転者の走行可能残り距離を算出しつつ、運転者の走行可能距離と走行可能残り距離とを記憶するとともに、その運転者の走行可能距離と走行可能残り距離とのうち、少なくとも走行可能残り距離を出力する点呼管理システムは、点呼者が各運転者の走行可能残り距離を運転者毎に個別に算出かつ記録する必要や点呼時に走行可能残り距離を各運転者に書面で通知する必要はなく、点呼準備や点呼作業にかかる労力を大幅に軽減することができる。点呼管理システムは、点呼対象の運転者の走行可能距離や走行可能残り距離を出力するから、各運転者の走行可能距離や走行可能残り距離を容易に確認かつ把握することができるとともに、走行可能残り距離を各運転者に認識させることができ、各運転者に所定期間における走行可能距離の遵守を徹底させることができる。この点呼管理システムは、点呼者や運転者が走行可能残り距離を把握することで、運転者の超過労働や過労運転を防ぐことができ、走行可能距離や走行可能残り距離を含む点呼データを利用して運転者の運行の安全を確保することができる。
【００３８】
過去から現在までのうちの所定の時期を指定したときに、指定した時期における乗務前点呼日時毎の走行可能残り距離を運転者特定情報とともに出力する点呼管理システムは、指定時期における走行可能残り距離を出力することで、所定の運転者の過去から現在までの乗務前点呼日時毎の走行可能残り距離を正確に把握することができ、点呼者が運転者の走行可能残り距離を所定の期間や期日毎に把握しつつ、各運転者に走行可能距離の遵守を徹底させることができる。この点呼管理システムは、走行可能距離や走行可能残り距離を含む点呼データを利用して運転者の超過労働や過労運転を防ぐことができ、それら点呼データを利用して運転者の運行の安全を確保することができる。
【００３９】
点呼対象の運転者の累計売上金額を売上目標金額で除した目標達成率を算出しつつ、各運転者の売上目標金額と累計売上金額と目標達成率とを記憶するとともに、その運転者の売上目標金額と累計売上金額と目標達成率とのうち、少なくとも目標達成率を出力する点呼管理システムは、点呼者が各運転者の目標達成率を運転者毎に個別に算出かつ記録する必要や点呼時に目標達成率を各運転者に書面で通知する必要はなく、点呼準備や点呼作業にかかる労力を大幅に軽減することができる。この点呼管理システムは、点呼対象の運転者の売上目標金額や累計売上金額、目標達成率を出力するから、各運転者の売上目標金額や累計売上金額、目標達成率を容易に確認かつ把握することができるとともに、目標達成率を各運転者に認識させることができ、各運転者の目標達成や売上向上に対する意識付けを図ることができる。
【００４０】
過去から現在までのうちの所定の時期を指定したときに、指定した時期における乗務前点呼日時毎の目標達成率を運転者特定情報とともに出力する点呼管理システムは、指定時期における目標達成率を出力することで、所定の運転者の過去から現在までの乗務前点呼日時毎の目標達成率を正確に把握することができ、点呼者が運転者の目標達成率を所定の期間や期日毎に把握しつつ、各運転者に目標の達成や売上の向上を促すことができ、各運転者の目標達成や売上向上に対する意識付けを図ることができる。
【００４１】
点呼対象の運転者の前回の乗務日における売上金額を前回売上目標金額で除した前回目標達成率を算出しつつ、当日売上目標金額と前回目標達成率とを記憶するとともに、その運転者の当日売上目標金額と前回目標達成率とを出力する点呼管理システムは、点呼者が各運転者の前回目標達成率を運転者毎に個別に算出かつ記録する必要や点呼時に前回目標達成率を各運転者に書面で通知する必要はなく、点呼準備や点呼作業にかかる労力を大幅に軽減することができる。この点呼管理システムは、点呼対象の運転者の当日売上目標金額や前回目標達成率を出力するから、各運転者の当日売上目標金額や前回目標達成率を容易に確認かつ把握することができるとともに、当日売上目標金額や前回目標達成率を各運転者に認識させることができ、各運転者の目標達成や売上向上に対する意識付けを図ることができる。
【００４２】
過去から現在までのうちの所定の時期を指定したときに、指定した時期における乗務前点呼日時毎の当日売上目標金額と前回目標達成率とを運転者特定情報とともに出力する点呼管理システムは、指定時期における当日売上目標金額や前回目標達成率を出力することで、所定の運転者の過去から現在までの乗務前点呼日時毎の当日売上目標金額や前回目標達成率を正確に把握することができ、点呼者が運転者の当日売上目標金額や前回目標達成率を所定の期間や期日毎に把握しつつ、各運転者に目標の達成や売上の向上を促すことができ、各運転者の目標達成や売上向上に対する意識付けを図ることができる。
【００４３】
点呼対象の運転者の乗務時間当たりの売上金額や走行距離当たりの売上金額を算出しつつ、各運転者の時間当たり売上金額と距離当たり売上金額とを記憶するとともに、その運転者の乗務時間当たりの売上金額と走行距離当たりの売上金額とを出力する点呼管理システムは、点呼者が各運転者の乗務時間当たりの売上金額や走行距離当たりの売上金額を運転者毎に個別に算出かつ記録する必要や点呼時に乗務時間当たりの売上金額や走行距離当たりの売上金額を各運転者に書面で通知する必要はなく、点呼準備や点呼作業にかかる労力を大幅に軽減することができる。この点呼管理システムは、点呼対象の運転者の乗務時間当たりの売上金額や走行距離当たりの売上金額を出力するから、各運転者の乗務時間当たりの売上金額や走行距離当たりの売上金額を容易に確認かつ把握することができるとともに、乗務時間当たりの売上金額や走行距離当たりの売上金額を各運転者に認識させることができ、各運転者の乗務時間当たりの売上金額や走行距離当たりの売上金額の向上に対する意識付けを図ることができる。
【００４４】
過去から現在までのうちの所定の時期を指定したときに、指定した時期における乗務前点呼日時毎の乗務時間当たりの売上金額と走行距離当たりの売上金額とを運転者特定情報とともに出力する点呼管理システムは、指定時期における乗務時間当たりの売上金額や走行距離当たりの売上金額を出力することで、所定の運転者の過去から現在までの乗務前点呼日時毎の乗務時間当たりの売上金額や走行距離当たりの売上金額を正確に把握することができ、点呼者が運転者の乗務時間当たりの売上金額や走行距離当たりの売上金額を所定の期間や期日毎に把握しつつ、各運転者に乗務時間当たりの売上金額や走行距離当たりの売上金額の向上を促すことができ、各運転者の売上向上に対する意識付けを図ることができる。
【００４５】
点呼対象の運転者の乗務間隔と健康状態とを記憶するとともに、その運転者の乗務間隔と健康状態とを出力する点呼管理システムは、各運転者の乗務間隔や健康状態を記憶するから、点呼者が乗務間隔や健康状態を書面に記録する必要はなく、記録の手間を省くことで点呼者が時間や手間を要せずに点呼作業を行うことができる。点呼管理システムは、点呼対象の運転者の乗務間隔を出力するから、各運転者の乗務前点呼日時における乗務間隔を容易に確認かつ把握することができるとともに、乗務間隔を各運転者に認識させることができ、点呼者が運転者に乗務間隔の遵守を徹底させることができる。点呼管理システムは、点呼対象の運転者の健康状態を出力するから、各運転者の乗務前点呼日時における健康状態を容易に確認かつ把握することができるとともに、健康状態を各運転者に認識させることができ、点呼者や運転者が健康状態に基づいて自動車を正常に運転し得るかを判断することができる。この点呼管理システムは、点呼者が運転者の乗務間隔や健康状態を把握しつつ運転者が自己の健康状態を客観的に把握することで、乗務日における運転者の運行の安全を確保することができる。
【００４６】
過去から現在までのうちの所定の時期を指定したときに、指定した時期における乗務前点呼日時毎の乗務間隔と健康状態とを運転者特定情報とともに出力する点呼管理システムは、指定時期における運転者の乗務前点呼日時毎の乗務間隔や健康状態を出力することで、運転者の過去から現在までの乗務間隔や健康状態を正確に把握することができ、点呼者が運転者の乗務間隔や健康状態を所定の期間や期日毎に把握しつつ運転者が自己の健康状態を所定の期間や期日毎に把握することで、運転者の運行の安全を確保することができる。
【００４７】
点呼対象の運転者の免許証情報と乗務自動車の乗務前車両点検の点検実施状況とを記憶するとともに、その運転者の免許証情報と点検実施状況とを出力する点呼管理システムは、点呼者が免許証情報や点検実施状況を書面に記録する必要はなく、記録の手間を省くことで点呼者が時間や手間を要せずに点呼作業を行うことができる。点呼管理システムは、点呼対象の運転者の免許証情報と点検実施状況とを出力するから、各運転者の免許証情報や点検実施状況を容易に確認かつ把握することができるとともに、免許証情報や点検実施状況を各運転者に認識させることができ、点呼者や運転者が免許証情報に基づいて免許証の所持の有無や有効期限を確実に確認することができるとともに、点検実施状況に基づいて営業用自動車の乗務前点検を確実に実施させることができる。この点呼管理システムは、点呼者や運転者が免許証情報と点検実施状況とを把握することで、乗務日における運転者の運行の安全を確保することができる。
【００４８】
過去から現在までのうちの所定の時期を指定したときに、指定した時期における乗務前点呼日時毎の免許証情報と点検実施状況とを運転者特定情報とともに出力する点呼管理システムは、指定時期における免許証情報や点検実施状況を出力することで、運転者の過去から現在までの免許証情報や点検実施状況を正確に把握することができ、点呼者が運転者の免許証情報や点検実施状況を所定の期間や期日毎に把握しつつ、免許証情報や点検実施状況に基づいて免許証の有効期限を指摘したり、営業用自動車の点検の励行を行うことができる。この点呼管理システムは、免許証情報や点検実施状況を含む点呼データを利用して運転者の運行の安全を確保することができる。
【００４９】
点呼対象の運転者の勤務時間や休息時間、走行距離、帰庫時間を記憶するとともに、その運転者の勤務時間と休息時間と走行距離と帰庫時間とを出力する点呼管理システムは、点呼者が勤務時間や休息時間、走行距離、帰庫時間を書面に記録する必要はなく、記録の手間を省くことで点呼者が時間や手間を要せずに点呼作業を行うことができる。点呼管理システムは、点呼対象の運転者の勤務時間や休息時間、走行距離、帰庫時間を出力するから、各運転者の勤務時間や休息時間、走行距離、帰庫時間を容易に確認かつ把握することができるとともに、勤務時間や休息時間、走行距離、帰庫時間を各運転者に認識させることができ、勤務時間や休息時間、走行距離、帰庫時間の遵守を徹底させることができる。この点呼管理システムは、点呼者や運転者が勤務時間や休息時間、走行距離、帰庫時間を把握することで、乗務日における運転者の運行の安全を確保することができる。
【００５０】
過去から現在までのうちの所定の時期を指定したときに、指定した時期における乗務前点呼日時毎の勤務時間と休息時間と走行距離と帰庫時間とを運転者特定情報とともに出力する点呼管理システムは、指定時期における勤務時間と休息時間と走行距離と帰庫時間とを出力することで、運転者の過去から現在までの乗務前点呼日時毎の勤務時間や休息時間、走行距離、帰庫時間を正確に把握することができ、点呼者が運転者の勤務時間や休息時間、走行距離、帰庫時間を所定の期間や期日毎に把握しつつ、勤務時間や休息時間、走行距離、帰庫時間の遵守を徹底させることができる。この点呼管理システムは、勤務時間や休息時間、走行距離、帰庫時間を含む点呼データを利用して運転者の運行の安全を確保することができる。
【００５１】
乗務前点呼時に営業用自動車の事故画像を出力する点呼管理システムは、点呼時に事故状況を写真や書面で伝える必要はなく、事故状況を写真や書面で伝える手間を省くことで時間や手間を要せずに点呼作業を行うことができる。システムは、乗務前点呼時に点呼対象の運転者に事故画像を視認させることにより、事故の恐怖感を運転者に与えつつ、運転者の安全運転に対する意識高揚を図ることができ、乗務中の営業用自動車の事故発生を未然に防ぐことができる。システムは、事故画像によって各種の事故原因を解析することができ、運転者に対して事故回避の参考資料を提供することができるとともに、運転者の運転技術の向上を図ることができる。このシステムは、事故画像から営業用自動車に交通法規違反が認められる場合、事故画像を利用して運転者に交通法規の遵守を徹底させることができる。
【００５２】
事故画像に車両対車両事故画像や車両対人事故画像、車両対二輪車事故画像、車両対自転車事故画像、車両単独事故画像が含まれ、それら事故画像の中から運転者に視認させる少なくとも１つの事故画像を選択しつつ、選択された事故画像を出力する点呼管理システムは、各運転者に視認させるのに適する事故画像を選択し、その事故画像を出力するから、運転者の営業用自動車の運転歴や運転技術、性格等に合わせ、その運転手にとって最適な事故画像を視認させることができる。システムは、各運転者毎に最適な事故画像を視認させることで、事故の恐怖感を運転者に与えつつ、運転者の安全運転に対する意識高揚を図ることができ、乗務中の営業用自動車の事故発生を未然に防ぐことができる。
【００５３】
各種複数の事故画像に運転者を識別する運転者識別子を設定してそれら事故画像を運転者識別子とともに記憶し、乗務前点呼時に点呼対象の運転者の運転者識別子に対応する事故画像を出力する点呼管理システムは、点呼時に各運転者に個別に対応させた事故画像を出力するから、運転者の営業用自動車の運転歴や運転技術、性格等に合わせ、その運転手にとって最適な事故画像を視認させることができる。このシステムは、各運転者毎に最適な事故画像を視認させることで、事故の恐怖感を運転者に確実に与えつつ、運転者の安全運転に対する意識高揚を図ることができ、乗務中の営業用自動車の事故発生を未然に防ぐことができる。
【００５４】
出力済みの事故画像にそれを視認した運転者を識別する運転者識別子を設定し、出力済みの事故画像を運転者識別子とともに記憶する点呼支援システムは、所定の運転者が既に視認した事故画像と同一の事故画像の再度の視認を防ぐことができ、同一の事故画像を視認させることによる効果の低下を防ぐことができる。このシステムは、同一の事故画像を運転者に再度視認させることはないから、事故画像の効果を維持することができ、事故の恐怖感を運転者に確実に与えつつ、運転者の安全運転に対する意識高揚を図ることができ、乗務中の営業用自動車の事故発生を未然に防ぐことができる。
【００５５】
乗務前点呼時に営業用自動車の事故未遂画像を出力する点呼管理システムは、点呼時に事故未遂状況を写真や書面で伝える必要はなく、事故未遂状況を写真や書面で伝える手間を省くことで時間や手間を要せずに点呼作業を行うことができる。システムは、乗務前点呼時に点呼対象の運転者に事故未遂画像を視認させることにより、事故の恐怖感を運転者に与えつつ、運転者の安全運転に対する意識高揚を図ることができ、乗務中の営業用自動車の事故発生を未然に防ぐことができる。システムは、事故未遂画像によって各種の事故未遂原因を解析することができ、運転者に対して事故回避の参考資料を提供することができるとともに、運転者の運転技術の向上を図ることができる。このシステムは、事故未遂画像から営業用自動車に交通法規違反が認められる場合、事故未遂画像を利用して運転者に交通法規の遵守を徹底させることができる。
【００５６】
事故未遂画像に車両対車両事故画像や車両対人事故画像、車両対二輪車事故画像、車両対自転車事故画像、車両単独事故画像が含まれ、それら事故未遂画像の中から運転者に視認させる少なくとも１つの事故未遂画像を選択しつつ、選択された事故未遂画像を出力する点呼管理システムは、各運転者に視認させるのに適する事故未遂画像を選択し、その事故未遂画像を出力するから、運転者の営業用自動車の運転歴や運転技術、性格等に合わせ、その運転手にとって最適な事故未遂画像を視認させることができる。システムは、各運転者毎に最適な事故未遂画像を視認させることで、事故の恐怖感を運転者に与えつつ、運転者の安全運転に対する意識高揚を図ることができ、乗務中の営業用自動車の事故発生を未然に防ぐことができる。
【００５７】
各種複数の事故未遂画像に運転者を識別する運転者識別子を設定してそれら事故未遂画像を運転者識別子とともに記憶し、乗務前点呼時に点呼対象の運転者の運転者識別子に対応する事故未遂画像を出力する点呼管理システムは、点呼時に各運転者に個別に対応させた事故未遂画像を出力するから、運転者の営業用自動車の運転歴や運転技術、性格等に合わせ、その運転手にとって最適な事故未遂画像を視認させることができる。このシステムは、各運転者毎に最適な事故未遂画像を視認させることで、事故の恐怖感を運転者に確実に与えつつ、運転者の安全運転に対する意識高揚を図ることができ、乗務中の営業用自動車の事故発生を未然に防ぐことができる。
【００５８】
出力済みの事故未遂画像にそれを視認した運転者を識別する運転者識別子を設定し、出力済みの事故未遂画像を運転者識別子とともに記憶する点呼支援システムは、所定の運転者が既に視認した事故未遂画像と同一の事故未遂画像の再度の視認を防ぐことができ、同一の事故未遂画像を視認させることによる効果の低下を防ぐことができる。このシステムは、同一の事故未遂画像を運転者に再度視認させることはないから、事故未遂画像の効果を維持することができ、事故の恐怖感を運転者に確実に与えつつ、運転者の安全運転に対する意識高揚を図ることができ、乗務中の営業用自動車の事故発生を未然に防ぐことができる。
【図面の簡単な説明】
【００５９】
【図１】点呼管理システムの一例を示す概略構成図。
【図２】点呼管理システムの他の一例を示す概略構成図。
【図３】点呼管理システムへのログイン画面の一例を示す図。
【図４】項目選択画面の一例を示す図。
【図５】運転者認証初期画面の一例を示す図。
【図６】認証方式選択画面の一例を示す図。
【図７】運転者認証の認証確認画面の一例を示す図。
【図８】運転者認証の認証結果画面の一例を示す図。
【図９】乗務前点呼日時確定表示画面の一例を示す図。
【図１０】アルコール検査確認画面の一例を示す図。
【図１１】アルコール検査結果画面の一例を示す図。
【図１２】乗務当日の乗務前の目標事項表示画面の一例を示す図。
【図１３】乗務前の目標達成表示画面の一例を示す図。
【図１４】乗務前のチェック事項表示画面の一例を示す図。
【図１５】当日勤務条件表示画面の一例を示す図。
【図１６】路線図表示画面の一例を示す図。
【図１７】工事・作業情報表示画面の一例を示す図。
【図１８】道路渋滞情報表示画面の一例を示す図。
【図１９】事故情報表示画面の一例を示す図。
【図２０】事故画像表示画面の一例を示す図。
【図２１】事故未遂画像表示画面の一例を示す図。
【図２２】その他画像表示画面の一例を示す図。
【図２３】その他事項表示画面の一例を示す図。
【図２４】乗務後の運転者認証初期画面の一例を示す図。
【図２５】乗務後の運転者認証の認証結果画面の一例を示す図。
【図２６】乗務後点呼日時確定表示画面の一例を示す図。
【図２７】乗務後点呼時におけるアルコール検査確認画面の一例を示す図。
【図２８】乗務後点呼時におけるアルコール検査結果画面の一例を示す図。
【図２９】乗務当日の乗務後の目標事項表示画面の一例を示す図。
【図３０】乗務当日の乗務後のチェック事項表示画面の一例を示す図。
【図３１】乗務当日の乗務後のチェック事項表示画面の一例を示す図。
【図３２】次回勤務条件表示画面の一例を示す図。
【図３３】要望事項等表示画面の一例を示す図。
【図３４】事故情報表示画面の一例を示す図。
【図３５】事故画像表示画面の一例を示す図。
【図３６】事故未遂画像表示画面の一例を示す図。
【図３７】その他事項表示画面の一例を示す図。
【図３８】運転者別点呼データ出力画面の一例を示す図。
【図３９】特定の運転者の乗務前点呼データ出力画面の一例を示す図。
【図４０】特定の運転者の乗務前点呼データ表示画面の一例を示す図。
【図４１】特定の運転者の乗務後点呼データ出力画面の一例を示す図。
【図４２】特定の運転者の乗務後点呼データ表示画面の一例を示す図。
【図４３】時期別点呼データ一出力画面の一例を示す図。
【図４４】時期別乗務前点呼データ項目選択画面の一例を示す図。
【図４５】時期別乗務前点呼データ表示画面の一例を示す図。
【図４６】時期別乗務後点呼データ項目選択画面の一例を示す図。
【図４７】時期別乗務後点呼データ表示画面の一例を示す図。
【発明を実施するための形態】
【００６０】
点呼管理システムの一例を示す概略構成図である図１やシステムの他の一例を示す概略構成図である図２等の添付の図面を参照し、本発明にかかる点呼管理システムの詳細を説明すると、以下のとおりである。なお、営業用自動車としてタクシーを例示してこのシステム１０を説明するが、営業用自動車をタクシーに限定するものではない。営業用自動車には、タクシーの他に、乗務前または乗務後に点呼を義務付けられたハイヤーやバス、業務用貨物車、業務用特殊車両が含まれる。点呼管理システム１０は、各タクシー会社に設置され、それらタクシー会社において乗務前点呼の各種複数の点呼データを取得しつつ、乗務後点呼の各種複数の点呼データを取得し、それら点呼データを一元的に管理する。
【００６１】
図１の点呼管理システム１０は、点呼データを収集・管理するコンピュータ１１Ａと、キーボード１２やマウス１３、スキャナー１４等の入力装置と、ディスプレイ１５やプリンタ１６等の出力装置と、バーコードリーダ１７およびＩＣカードリーダ１８と、アルコールチェッカー１９（アルコール検査器）と、撮像装置２０（カメラ）と、虹彩データ取得装置２１と、指紋データ取得装置２２と、静脈（静紋）データ取得装置２３とから形成されている。それら入力装置１２〜１４や出力装置１５，１６、バーコードリーダ１７、ＩＣカードリーダ１８、アルコールチェッカー１９、撮像装置２０、虹彩データ取得装置２１、指紋データ取得装置２２、静脈データ取得装置２３は、インターフェイスを介してコンピュータ１１Ｂに接続されている。
【００６２】
図２の点呼管理システム１０は、点呼データを収集・送信するコンピュータ１１Ｂと、点呼データを管理するコンピュータ１１Ａと、キーボード１２やマウス１３、スキャナー１４等の入力装置と、ディスプレイ１５やプリンタ１６等の出力装置と、バーコードリーダ１７およびＩＣカードリーダ１８と、アルコールチェッカー１９（アルコール検査器）と、撮像装置２０（カメラ）と、虹彩データ取得装置２１と、指紋データ取得装置２２と、静脈（静紋）データ取得装置２３とから形成されている。それら入力装置１２〜１４や出力装置１５，１６、バーコードリーダ１７、ＩＣカードリーダ１８、アルコールチェッカー１９、撮像装置２０、虹彩データ取得装置２１、指紋データ取得装置２２、静脈データ取得装置２３は、インターフェイスを介してコンピュータ１１Ｂに接続されている。コンピュータ１１Ａとコンピュータ１１Ｂとは、インターネット２４を介して互いにアクセス可能、かつ、所定のデータを送受信可能である。
【００６３】
スキャナー１４は、運転者の運転免許証の免許証情報を読み込み、免許証情報を電子データとしてコンピュータ１１Ａ，１１Ｂに出力する。免許証情報には、免許証番号、運転者の氏名、免許証の有効期限がある。バーコードリーダ１７は、運転者（乗務員）や点呼者（点呼責任者）が所持する社員証に表示されたバーコードを読み取り、読み取ったバーコードの社員証情報を電子データとしてコンピュータ１１Ａ，１１Ｂに出力する。運転者の社員証情報には、運転者の氏名や社員番号、免許証番号等がある。点呼者の社員証情報には、点呼者の氏名や社員番号等がある。
【００６４】
ＩＣカードリーダ１８は、運転者が所持するＩＣカードのＩＣチップに格納された各情報を読み取り、読み取った情報をコンピュータ１１Ａ，１１Ｂに出力する。また、運転者や点呼者が所持する社員証のＩＣチップに格納された各情報を読み取り、読み取った情報をコンピュータ１１Ａ，１１Ｂに出力する。ＩＣチップに格納された各情報には、運転者の社員証情報、点呼者の社員証情報、乗務日の迎車料金、乗務日のメーター料金、乗務日の有料道路料金、乗務日の売上合計料金（累計売上金額）、乗車日時、降車日時、利用時間、走行距離等がある。ＩＣカードは、タクシー会社が発行し、運転者がタクシーに乗務する際に所持する。運転者は、タクシーに乗務する際にＩＣカードをタクシー車載器のＩＣカードリーダ／ライタに挿入し、乗務終了時にＩＣカードをタクシー車載器のＩＣカードリーダ／ライタから抜き取り、そのＩＣカードを点呼者に渡す。
【００６５】
アルコールチェッカー１９は、乗務前点呼時または乗務後点呼時における運転者の呼気に含まれるアルコール濃度を検出し、検出したアルコール濃度を電子データとしてコンピュータ１１Ａ，１１Ｂに出力する。撮像装置２０は、運転者の顔を撮影し、顔画像データをコンピュータ１１Ａ，１１Ｂに出力する。コンピュータ１１Ａ，１１Ｂと撮像装置２０とは、顔画像認証装置を構成する。虹彩データ取得装置２１は、カメラを利用して運転者の目の部分を撮影し、運転者の虹彩（アイリス）画像データをコンピュータ１１Ａ，１１Ｂに出力する。コンピュータ１１Ａ，１１Ｂと虹彩データ取得装置２１とは、虹彩認証装置を構成する。
【００６６】
指紋データ取得装置２２は、運転者の指紋を撮影・画像処理し、指紋データをコンピュータ１１Ａ，１１Ｂに出力する。コンピュータ１１Ａ，１１Ｂと指紋データ取得装置２２とは、指紋認証装置を構成する。静脈データ取得装置２３には、指静脈データ取得装置または掌静脈データ取得装置のいずれかを使用することができる。指静脈データ取得装置は、運転者の指内部の静脈パターンを撮影・画像処理し、静脈データをコンピュータ１１Ａ，１１Ｂに出力する。掌静脈データ取得装置は、運転者の掌内部の静脈パターンを撮影・画像処理し、静脈データをコンピュータ１１Ａ，１１Ｂに出力する。コンピュータ１１Ａ，１１Ｂと静脈データ取得装置２３とは、静脈認証装置を構成する。
【００６７】
乗務前点呼時における点呼データには、点呼対象の運転者を乗務前点呼時に個別に特定する運転者特定情報、運転者を点呼した点呼者を乗務前点呼時に個別に特定する点呼者特定情報、運転者の所定期間における乗務可能時間、運転者の所定期間における走行可能距離、運転者の乗務日における乗務前点呼日時、運転者の乗務前点呼時までの所定期間内における第１累計乗務時間、運転者の所定期間における乗務可能時間からその運転者の乗務前点呼時までの第１累計乗務時間を減じた乗務可能第１残り時間、運転者の乗務前点呼時までの所定期間内における第１累計走行距離、運転者の所定期間における走行可能距離からその運転者の乗務前点呼時までの第１累計走行距離を減じた走行可能第１残り距離がある。
【００６８】
また、乗務前点呼時における点呼データには、運転者の所定期間内における売上第１目標金額、運転者の乗務前点呼時までの所定期間内における第１累計売上金額、第１累計売上金額を売上第１目標金額で除した目標第１達成率、運転者の当日の乗務日における１日の当日売上目標金額、運転者の前回の乗務日における１日の前回売上目標金額、運転者の前回の乗務日における１日の前回売上金額、前回売上金額を前回売上目標金額で除した目標第２達成率（前回目標達成率）、運転者の乗務前点呼時までの第１累計売上金額を所定期間内における累計乗務時間で除した乗務時間当たり第１売上金額、運転者の乗務前点呼時までの第１累計売上金額を所定期間内における累計走行距離で除した走行距離当たり第１売上金額、運転者の前回の乗務日における１日の前回売上金額を前回乗務日の前回乗務時間で除した乗務時間当たり第２売上金額、運転者の前回の乗務日における１日の前回売上金額を前回乗務日の前回走行距離で除した走行距離当たり第２売上金額がある。
【００６９】
さらに、乗務前点呼時における点呼データには、点呼対象の運転者の乗務間隔、運転者の乗務日における乗務前点呼時の健康状態、運転者が所持する自動車運転免許証の免許証情報、営業用自動車のうちの運転者が乗務する乗務自動車の乗務前車両点検の点検実施状況、運転者の乗務日における勤務時間、運転者の乗務日における休息時間、運転者の乗務日における走行距離、運転者の乗務日における帰庫時間、運転者の乗務日における工事情報、運転者の乗務日における道路渋滞情報、運転者の乗務日における他人の事故情報、運転者に通知する注意事項、運転者に通知する売上向上指示事項、運転者に視認させる過去から現在までの営業用自動車の事故画像、運転者に視認させる過去から現在までの営業用自動車の事故未遂画像、その他画像（運転者関連画像）、運転者の飲酒有無情報がある。
【００７０】
乗務後点呼時における点呼データには、点呼対象の運転者を乗務後点呼時に個別に特定する運転者特定情報、運転者を点呼した点呼者を乗務後点呼時に個別に特定する点呼者特定情報、運転者の乗務日における乗務後点呼日時、運転者の所定期間における乗務可能時間、運転者の所定期間における乗務可能時間からその運転者の乗務後点呼時までの所定期間内における第２累計乗務時間を減じた乗務可能第２残り時間、運転者の所定期間における走行可能距離、運転者の所定期間における走行可能距離からその運転者の乗務後点呼時までの所定期間内における第２累計走行距離を減じた走行可能第２残り距離がある。
【００７１】
また、乗務後点呼時における点呼データには、運転者の所定期間における売上第１目標金額、運転者の乗務後点呼時までの所定期間内における第２累計売上金額、第２累計売上金額を売上第１目標金額で除した目標第３達成率、運転者の当日の乗務日における１日の当日売上目標金額、運転者の当日の乗務日における１日の当日売上金額、当日売上金額を当日売上目標金額で除した目標第４達成率、運転者の乗務後点呼時までの第２累計売上金額を所定期間内における乗務時間で除した乗務時間当たり第３売上金額、運転者の乗務後点呼時までの第２累計売上金額を所定期間内における走行距離で除した走行距離当たり第３売上金額、運転者の当日の乗務日における１日の当日売上金額をその乗務日の乗務時間で除した乗務時間当たり第４売上金額、運転者の当日の乗務日における１日の当日売上金額をその乗務日の走行距離で除した走行距離当たり第４売上金額がある。
【００７２】
さらに、乗務後点呼時における点呼データには、点呼対象の運転者の乗務間隔、運転者の乗務日における乗務後点呼時の健康状態、運転者が所持する自動車運転免許証の免許証情報、営業用自動車のうちの運転者が乗務する乗務自動車の乗務後車両点検の点検実施状況、運転者の次回の乗務日における勤務時間、運転者の次回の乗務日における休息時間、運転者の次回の乗務日における走行距離、運転者の次回の乗務日における帰庫時間、運転者の乗務日における顧客からの要望事項、運転者の要望事項、運転者の乗務日におけるタクシー車内の忘れ物情報、運転者の乗務日におけるトラブル事項、運転者に通知する注意事項、運転者に通知する売上向上指示事項、運転者の乗務日における自己の事故情報、運転者の乗務日における自己の事故画像、運転者の乗務日における自己の事故未遂画像、運転者の飲酒有無情報がある。
【００７３】
運転者特定情報には、運転者の氏名、所属部課、性別、年齢、郵便番号、住所、電話番号、メールアドレス、社員番号、免許証番号、免許証の有効期限、顔写真画像データ、虹彩画像データ、指紋データ、静脈データがあるが、運転者特定情報をそれらに限定するものではなく、運転者を個別に特定し得るあらゆる情報が含まれる。点呼者特定情報には、点呼責任者の氏名、所属部課、性別、年齢、役職、社員番号があるが、点呼者特定情報をそれらに限定するものではなく、点呼者を個別に特定し得るあらゆる情報が含まれる。乗務前点呼日時は、タクシーへの乗務前に行われた運転者の実際の点呼日時であり、年月日および点呼時間を含む。
【００７４】
運転者の所定期間における乗務可能時間は、たとえば１ヶ月間のタクシーへの乗務可能時間や１週間のタクシーへの乗務可能時間であり、その期間や乗務可能時間を自由に設定することができるが、法令で定められた乗務時間を超過して設定することはできない。運転者の所定期間における走行可能距離は、たとえば１ヶ月間のタクシーの走行可能距離や１週間のタクシーの走行可能距離であり、その期間や走行可能距離を自由に設定することができるが、法令で定められた走行距離を超過して設定することはできない。
【００７５】
運転者の所定期間内における売上目標金額は、１ヶ月間の売上目標金額や１週間の売上目標金額であり、その期間や売上目標金額を自由に設定することができる。運転者の乗務間隔は、たとえば月の初めに設定される乗務日の間隔である。運転者の健康状態には、自己申告による気分の良否や発熱の有無、疾病の有無等があり、その内容を自由に設定することができる。運転者が所持する自動車運転免許証の免許証情報は、免許証所持の有無や免許証に表示された運転者名、免許証番号、免許証の有効期限があり、他の情報を付加することもできる。乗務前車両点検や乗務後車両点検の点検実施状況は、点検実施の有無の他に、乗務自動車のナンバーや車体番号、乗務自動車の異常、点検内容があり、点検内容を自由に設定することができる。
【００７６】
運転者の乗務日における勤務時間や休息時間、走行距離、帰庫時間は、法令に反しない限り、自由に設定することができる。工事情報には、工事路線名や工事区間、規制内容等がある。道路渋滞情報には、渋滞路線名や渋滞区間、渋滞道路の通過時間等がある。事故情報には、事故現場の住所や事故内容、規制内容等がある。注意事項には、安全運転に対するスローガンや標語、各運転者独自の注意項目等がある。売上向上指示事項には、乗車客の時間別地域別分布状況や昨日までの乗車客の分布状況等がある。
【００７７】
事故画像には、車両対車両事故画像、車両対人事故画像、車両対二輪車事故画像、車両対自転車事故画像、車両単独事故画像がある。事故未遂画像には、車両対車両事故未遂画像、車両対人事故未遂画像、車両対二輪車事故未遂画像、車両対自転車事故未遂画像、車両単独事故未遂画像がある。その他画像（運転者関連画像）には、点呼対象の運転者に関連する画像（たとえば、家族画像、運転者の好む画像、運転者の子供時代の画像等）であって運転者に癒し効果を与える画像である。
【００７８】
コンピュータ１１Ａ，１１Ｂは、中央処理部（ＣＰＵまたはＭＰＵ）とメモリとを備え、大容量ハードディスクを搭載している。コンピュータ１１Ａ，１１Ｂは、ＣＭＳサーバ機能、ＤＮＳサーバ機能、データベースサーバ機能、Ｗｅｂサーバ機能等を有し、インターネット２４に接続可能である。コンピュータ１１Ｂは、乗務前点呼時や乗務後点呼時に取得した各種の点呼データをインターネット２４を介してコンピュータ１１Ａに送信し、さらに、各種データをインターネット２４を介してコンピュータ１１Ａから受信してそれらデータをディスプレイ１５に表示する。
【００７９】
コンピュータ１１Ａの中央処理部は、オペレーティングシステムによる制御に基づいてメモリに格納されたアプリケーションプログラムを起動し、そのアプリケーションプログラムに従って以下の各手段を実行する。コンピュータ１１Ａの中央処理部は、運転者特定情報に所定の運転者識別子を設定し、その運転者識別子とともに運転者特定情報を記憶する運転者特定情報記憶手段を実行する。運転者特定情報記憶手段においてコンピュータ１１Ａは、任意の数字や任意の文字、任意の記号、または、任意の数字や文字、記号の組み合わせ等からなる運転者識別子を運転者毎に生成しつつ、運転者の氏名、所属部課、性別、年齢、郵便番号、住所、電話番号、メールアドレス、社員番号、免許証番号、免許証の有効期限、顔写真画像データ、虹彩画像データ、指紋データ、静脈データに運転者識別子を設定し、それら運転者特定情報を運転者識別子とともにハードディスクに作られた各運転者ファイルに格納する。なお、運転者の社員番号や免許証番号を運転者識別子として利用することもできる。
【００８０】
運転者の顔写真画像データは、所定期間内にカメラで撮影した運転者の顔写真を入力装置を利用してコンピュータ１１Ａに入力する。運転者の虹彩画像データは、虹彩データ取得装置２１を利用して虹彩画像データを取得し、その虹彩画像データをコンピュータ１１Ａに入力する。運転者の指紋データは、指紋データ取得装置２２を利用して指紋データを取得し、その指紋データをコンピュータ１１Ａに入力する。運転者の静脈データは、静脈データ取得装置２３を利用して静脈データを取得し、その静脈データをコンピュータ１１Ａに入力する。
【００８１】
コンピュータ１１Ａの中央処理部は、点呼者特定情報に所定の点呼者識別子を設定し、その点呼者識別子とともに点呼者特定情報を記憶する点呼者特定情報記憶手段を実行する。点呼者特定情報記憶手段においてコンピュータ１１Ａは、任意の数字や任意の文字、任意の記号、または、任意の数字や文字、記号の組み合わせ等からなる点呼者識別子を点呼者毎に生成しつつ、点呼責任者の氏名、所属部課、性別、年齢、役職、社員番号、免許証番号に点呼者識別子を設定し、それら点呼者特定情報をハードディスクに作られた各点呼者ファイルに格納する。なお、点呼者の社員番号や免許証番号を点呼者識別子として利用することもできる。
【００８２】
コンピュータ１１Ａの中央処理部は、各運転者の所定期間における乗務可能時間を運転者識別子に関連付けた状態で記憶する乗務可能時間記憶手段を実行する。乗務可能時間は、適用日（乗務可能時間をカウントする最初の日）に入力装置を介してコンピュータ１１Ａに入力され、各運転者の運転者ファイルに格納される。乗務可能時間は、乗務前点呼時または乗務後点呼時に出力装置を介して出力され、さらに所定の時期（年月日または所定の期間）を指定すると、その時期の乗務可能時間が出力装置を介して出力される（乗務可能時間出力手段）。
【００８３】
コンピュータ１１Ａの中央処理部は、各運転者の所定期間における走行可能距離を運転者識別子に関連付けた状態で記憶する走行可能距離記憶手段を実行する。走行可能距離は、適用日（走行可能時間をカウントする最初の日）に入力装置を介してコンピュータ１１Ａに入力され、各運転者の運転者ファイルに格納される。走行可能距離は、乗務前点呼時または乗務後点呼時に出力装置を介して出力され、さらに所定の時期（年月日または所定の期間）を指定すると、その時期の走行可能距離が出力装置を介して出力される（走行可能距離出力手段）。
【００８４】
コンピュータ１１Ａの中央処理部は、各運転者の所定期間内における売上第１目標金額を運転者識別子に関連付けた状態で記憶する売上第１目標金額記憶手段を実行する。売上第１目標金額は、適用日（売上第１目標金額を適用する最初の日）に入力装置を介してコンピュータ１１Ａに入力され、各運転者の運転者ファイルに格納される。売上第１目標金額は、乗務前点呼時または乗務後点呼時に出力装置を介して出力され、さらに所定の時期（年月日または所定の期間）を指定すると、その時期の売上第１目標金額が出力装置を介して出力される（売上第１目標金額出力手段）。
【００８５】
コンピュータ１１Ａの中央処理部は、各運転者の当日の乗務日における１日の当日売上目標金額を運転者識別子に関連付けた状態で記憶する当日売上目標金額記憶手段を実行する。当日売上目標金額は、乗務前点呼時以前に入力装置を介してコンピュータ１１Ａに入力され、各運転者の運転者ファイルに格納される。当日売上目標金額は、乗務前点呼時または乗務後点呼時に出力装置を介して出力され、さらに所定の時期（年月日または所定の期間）を指定すると、その時期の当日売上目標金額が出力装置を介して出力される（当日売上目標金額出力手段）。
【００８６】
コンピュータ１１Ａの中央処理部は、各運転者の乗務間隔を運転者識別子に関連付けた状態で記憶する乗務間隔記憶手段を実行する。乗務間隔は、適用日（その乗務間隔を適用する最初の日）に入力装置を介してコンピュータ１１Ａに入力され、各運転者の運転者ファイルに格納される。乗務間隔は、乗務前点呼時または乗務後点呼時に出力装置を介して出力され、さらに所定の時期（年月日または所定の期間）を指定すると、その時期の乗務間隔が出力装置を介して出力される（乗務間隔出力手段）。
【００８７】
コンピュータ１１Ａの中央処理部は、乗務前点呼時または乗務後点呼時における運転者の真偽を認証する運転者認証手段を実行する。運転者認証手段では、乗務前点呼時または乗務後点呼時に読み取った各種情報とハードディスクに格納された運転者特定情報とを比較する。その一例としては、乗務前点呼時または乗務後点呼時にスキャナー１４によって運転者の運転免許証情報を読み取り、免許証情報をスキャナー１４からコンピュータ１１Ａ，１１Ｂに入力する。コンピュータ１１Ａは、スキャナー１４から出力された免許証情報（免許証番号、運転者の氏名、免許証の有効期限）とハードディスクに格納された運転者特定情報とを比較し、運転者の真偽を判定する（免許証認証手段）。
【００８８】
コンピュータ１１Ａは、免許証情報のうち、免許証番号、運転者の氏名、免許証の有効期限の少なくとも１つと運転者特定情報から抽出した免許証番号、運転者の氏名、免許証の有効期限の少なくとも１つとを比較し、免許証情報と運転者特定情報とが一致した場合、運転者本人と判定し、それらが不一致の場合、運転者を偽者と判定する。コンピュータ１１Ａは、免許証認証手段による認証結果を運転者識別子と認証日時とに関連付けた状態で各運転者の運転者ファイルに時系列に格納する（免許証認証結果格納手段）。認証結果は、乗務前点呼時または乗務後点呼時に出力装置を介して出力され、さらに所定の時期（年月日または所定の期間）を指定すると、その時期の認証結果が出力装置を介して出力される（免許証認証結果出力手段）。
【００８９】
運転者の真偽を判定する他の一例としては、乗務前点呼時または乗務後点呼時にバーコードリーダ１７によって運転者が所持する社員証に表示されたバーコードを読み取り、社員証情報をバーコードリーダ１７からコンピュータ１１Ａ，１１Ｂに入力する。コンピュータ１１Ａは、バーコードリーダ１７から出力された運転者の社員証情報（運転者の氏名、社員番号、免許証番号）とハードディスクに格納された運転者特定情報とを比較し、運転者の真偽を判定する（社員証第１認証手段）。
【００９０】
コンピュータ１１Ａは、社員証情報のうち、運転者の氏名、社員番号、免許証番号の少なくとも１つと運転者特定情報から抽出した運転者の氏名、社員番号、免許証番号の少なくとも１つとを比較し、社員証情報と運転者特定情報とが一致した場合、運転者本人と判定し、それらが不一致の場合、運転者を偽者と判定する。コンピュータ１１Ａは、社員証第１認証手段による認証結果を運転者識別子と認証日時とに関連付けた状態で各運転者の運転者ファイルに時系列に格納する（社員証認証結果格納手段）。認証結果は、乗務前点呼時または乗務後点呼時に出力装置を介して出力され、さらに所定の時期（年月日または所定の期間）を指定すると、その時期の認証結果が出力装置を介して出力される（社員証認証結果出力手段）。
【００９１】
運転者の真偽を判定する他の一例としては、乗務前点呼時または乗務後点呼時にＩＣカードリーダ１８によってＩＣカードのＩＣチップに格納された各情報を読み取り、社員証情報をＩＣカードリーダからコンピュータ１１Ａ，１１Ｂに入力する。コンピュータ１１Ａは、ＩＣカードリーダ１８から出力された運転者の社員証情報（運転者の氏名、社員番号、免許証番号）とハードディスクに格納された運転者特定情報とを比較し、運転者の真偽を判定する（社員証第２認証手段）。
【００９２】
コンピュータ１１Ａは、社員証情報のうち、運転者の氏名、社員番号、免許証番号の少なくとも１つと運転者特定情報から抽出した運転者の氏名、社員番号、免許証番号の少なくとも１つとを比較し、社員証情報と運転者特定情報とが一致した場合、運転者本人と判定し、それらが不一致の場合、運転者を偽者と判定する。社員証第２認証手段による認証結果は、運転者識別子と乗務前点呼日時または乗務後点呼日時とに関連付けた状態で各運転者の運転者ファイルに時系列に格納される（社員証認証結果格納手段）。認証結果は、乗務前点呼時または乗務後点呼時に出力装置を介して出力され、さらに所定の時期（年月日または所定の期間）を指定すると、その時期の認証結果が出力装置を介して出力される（社員証認証結果出力手段）。
【００９３】
運転者の真偽を判定する他の一例としては、乗務前点呼時または乗務後点呼時に撮像装置２０によって点呼対象の運転者の顔の画像を撮影し、顔画像データを撮像装置２０からコンピュータ１１Ａ，１１Ｂに入力する。コンピュータ１１Ａは、撮像装置２０から出力された運転者の顔画像データとハードディスクに格納された顔写真画像データとを比較し、運転者の真偽を判定する（顔画像認証手段）。
【００９４】
コンピュータ１１Ａは、顔画像データと顔写真画像データとを比較し、顔画像データと顔写真画像データとが一致した場合、運転者本人と判定し、それらが不一致の場合、運転者を偽者と判定する。顔画像認証手段による認証結果は、運転者識別子と乗務前点呼日時または乗務後点呼日時とに関連付けた状態で各運転者の運転者ファイルに時系列に格納される（顔画像認証結果格納手段）。認証結果は、乗務前点呼時または乗務後点呼時に出力装置を介して出力され、さらに所定の時期（年月日または所定の期間）を指定すると、その時期の認証結果が出力装置を介して出力される（顔画像認証結果出力手段）。
【００９５】
運転者の真偽を判定する他の一例としては、乗務前点呼時または乗務後点呼時に虹彩データ取得装置２１によって点呼対象の運転者の虹彩パターンを撮影し、虹彩画像データを虹彩データ取得装置２１からコンピュータ１１Ａ，１１Ｂに入力する。コンピュータ１１Ａは、虹彩データ取得装置２１から出力された運転者の虹彩画像データとハードディスクに格納された虹彩画像データとを比較し、運転者の真偽を判定する（虹彩認証手段）。
【００９６】
コンピュータ１１Ａは、虹彩画像データどうしを比較し、虹彩画像データが一致した場合、運転者本人と判定し、それらが不一致の場合、運転者を偽者と判定する。虹彩認証手段による認証結果は、運転者識別子と乗務前点呼日時または乗務後点呼日時とに関連付けた状態で各運転者の運転者ファイルに時系列に格納される（虹彩認証結果格納手段）。認証結果は、乗務前点呼時または乗務後点呼時に出力装置を介して出力され、さらに所定の時期（年月日または所定の期間）を指定すると、その時期の認証結果が出力装置を介して出力される（虹彩認証結果出力手段）。
【００９７】
運転者の真偽を判定する他の一例としては、乗務前点呼時または乗務後点呼時に指紋データ取得装置２２によって点呼対象の運転者の指紋パターンを撮影し、指紋データを指紋データ取得装置２２からコンピュータ１１Ａ，１１Ｂに入力する。コンピュータ１１Ａは、指紋データ取得装置２２から出力された運転者の指紋データとハードディスクに格納された指紋データとを比較し、運転者の真偽を判定する（指紋認証手段）。
【００９８】
コンピュータ１１Ａは、指紋データどうしを比較し、指紋データが一致した場合、運転者本人と判定し、それらが不一致の場合、運転者を偽者と判定する。指紋認証手段による認証結果は、運転者識別子と乗務前点呼日時または乗務後点呼日時とに関連付けた状態で各運転者の運転者ファイルに時系列に格納される（指紋認証結果格納手段）。認証結果は、乗務前点呼時または乗務後点呼時に出力装置を介して出力され、さらに所定の時期（年月日または所定の期間）を指定すると、その時期の認証結果が出力装置を介して出力される（指紋認証結果出力手段）。
【００９９】
運転者の真偽を判定する他の一例としては、乗務前点呼時または乗務後点呼時に静脈データ取得装置２３によって点呼対象の運転者の静脈パターンを撮影し、静脈データを静脈データ取得装置２３からコンピュータ１１Ａ，１１Ｂに入力する。コンピュータ１１Ａは、静脈データ取得装置２３から出力された運転者の静脈データとハードディスクに格納された静脈データとを比較し、運転者の真偽を判定する（静脈認証手段）。
【０１００】
コンピュータ１１Ａは、静脈データどうしを比較し、静脈データが一致した場合、運転者本人と判定し、それらが不一致の場合、運転者を偽者と判定する。静脈認証手段による認証結果は、運転者識別子と乗務前点呼日時または乗務後点呼日時とに関連付けた状態で各運転者の運転者ファイルに時系列に格納される（静脈認証結果格納手段）。認証結果は、乗務前点呼時または乗務後点呼時に出力装置を介して出力され、さらに所定の時期（年月日または所定の期間）を指定すると、その時期の認証結果が出力装置を介して出力される（静脈認証結果出力手段）。
【０１０１】
コンピュータ１１Ａの中央処理部は、乗務前点呼時における運転者認証手段によって、点呼対象の運転者が真正（本人）であると判断した場合、乗務前点呼日時を運転者識別子と点呼者識別子とに関連付けた状態で記憶する乗務前点呼日時記憶手段を実行する。乗務前点呼日時は、年月日および時間であり、各運転者の運転者ファイルに格納される。乗務前点呼日時は、乗務前点呼時に出力装置を介して出力され、さらに所定の時期（年月日または所定の期間）を指定すると、その時期の乗務前点呼日時が出力装置を介して出力される（乗務前点呼日時出力手段）。
【０１０２】
コンピュータ１１Ａの中央処理部は、乗務前点呼時における点呼対象の運転者のアルコールチェッカー１９から出力されたアルコール濃度に基づいてその運転者の飲酒の有無を決定する飲酒有無決定手段を実行し、飲酒決定手段によって決定した飲酒有無情報を運転者識別子と乗務前点呼日時とに関連付けた状態で記憶する飲酒有無情報記憶手段を実行する。飲酒有無情報は、各運転者の運転者ファイルに格納されている。飲酒有無情報は、乗務前点呼時に出力装置を介して出力され、さらに所定の時期（年月日または所定の期間）を指定すると、その時期の飲酒有無情報が出力装置を介して出力される（飲酒有無情報出力手段）。
【０１０３】
コンピュータ１１Ａの中央処理部は、乗務前点呼時に点呼対象の運転者が所持する免許証の免許証情報とあらかじめ記憶した運転者特定情報のうちの免許証情報を比較し、所持する免許証がその運転者の真正のそれであるかを判断する免許証真正判断手段を実行する。運転者が所持する運転免許証の免許証情報は、乗務前点呼時に入力装置を介してコンピュータ１１Ａに入力される。免許証情報は、乗務前点呼時に出力装置を介して出力され、さらに所定の時期（年月日または所定の期間）を指定すると、その時期の免許証情報が出力装置を介して出力される（免許証情報出力手段）。
【０１０４】
コンピュータ１１Ａの中央処理部は、乗務前点呼時に点呼対象の運転者の乗務前点呼時までの所定期間内における第１累計乗務時間を算出し（第１累計乗務時間算出手段）、算出した第１累計乗務時間を運転者識別子と乗務前点呼日時とに関連付けた状態で記憶する第１累計乗務時間記憶手段を実行する。第１累計乗務時間は、たとえば、月初から１０日後の日が乗務日である場合、月初から９日までにその運転者が乗務した乗務時間の累計である。乗務日における乗務時間は、ＩＣカードに書き込まれており（この場合の乗務時間は、ＩＣカードをタクシーの車載器に挿入した時間からＩＣカードを車載器から抜き取ったときまでの時間となる。）、ＩＣカードリーダ１８からコンピュータ１１Ａ，１１Ｂに入力され、各運転者の運転者ファイルに格納される。また、乗務時間を乗務前点呼時から乗務後点呼時までの時間とすることもできる。この場合は、乗務時間がコンピュータ１１Ａによって計算され、各運転者の運転者ファイルに格納される。
【０１０５】
コンピュータ１１Ａの中央処理部は、乗務前点呼時に点呼対象の運転者の所定期間における乗務可能時間からその運転者の乗務前点呼時における第１累計乗務時間を減じて乗務可能第１残り時間を算出する乗務可能第１残り時間算出手段を実行する。中央処理部は、乗務可能第１残り時間算出手段によって算出した乗務可能第１残り時間を運転者識別子と乗務前点呼日時とに関連付けた状態で記憶する乗務可能第１残り時間記憶手段を実行する。乗務可能第１残り時間は、各運転者の運転者ファイルに格納される。乗務可能第１残り時間は、乗務前点呼時に出力装置を介して出力され、さらに所定の時期（年月日または所定の期間）を指定すると、その時期の乗務可能第１残り時間が出力装置を介して出力される（乗務可能第１残り時間出力手段）。
【０１０６】
コンピュータ１１Ａの中央処理部は、乗務前点呼時に点呼対象の運転者の乗務前点呼時までの所定期間内における第１累計走行距離を算出し（第１累計走行距離算出手段）、算出した第１累計走行距離を運転者識別子と乗務前点呼日時とに関連付けた状態で記憶する第１累計走行距離憶手段を実行する。第１累計走行距離は、たとえば、月初から１０日後の日が乗務日である場合、月初から９日までにその運転者が乗務したタクシーの走行距離の累計である。乗務日における走行距離は、ＩＣカードに書き込まれており（走行距離は、ＩＣカードをタクシーの車載器に挿入したときからＩＣカードを車載器から抜き取ったときまでの走行距離となる。）、ＩＣカードリーダ１８からコンピュータ１１Ａ，１１Ｂに入力され、各運転者の運転者ファイルに格納される。
【０１０７】
コンピュータ１１Ａの中央処理部は、乗務前点呼時に点呼対象の運転者の所定期間における走行可能距離からその運転者の乗務前点呼時における第１累計走行距離を減じて走行可能第１残り距離を算出する走行可能第１残り距離算出手段を実行する。中央処理部は、走行可能第１残り距離算出手段によって算出した走行可能第１残り距離を運転者識別子と乗務前点呼日時とに関連付けた状態で記憶する走行可能第１残り距離記憶手段を実行する。走行可能第１残り距離は、各運転者の運転者ファイルに格納される。走行可能第１残り距離は、乗務前点呼時に出力装置を介して出力され、さらに所定の時期（年月日または所定の期間）を指定すると、その時期の走行可能第１残り距離が出力装置を介して出力される（走行可能第１残り距離出力手段）。
【０１０８】
コンピュータ１１Ａの中央処理部は、乗務前点呼時に点呼対象の運転者の乗務前点呼時までの所定期間内における第１累計売上金額を算出し（第１累計売上金額算出手段）、算出した第１累計売上金額を運転者識別子と乗務前点呼日時とに関連付けた状態で記憶する第１累計売上金額記憶手段を実行する。第１累計売上金額は、たとえば、月初から１０日後の日が乗務日である場合、月初から９日までにその運転者が乗務したタクシーの売上金額の累計である。乗務日における売上金額は、ＩＣカードに書き込まれており（売上金額は、ＩＣカードをタクシーの車載器に挿入したときからＩＣカードを車載器から抜き取ったときまでの売上金額となる。）、ＩＣカードリーダ１８からコンピュータ１１Ａ，１１Ｂに入力され、各運転者の運転者ファイルに格納される。
【０１０９】
コンピュータ１１Ａの中央処理部は、乗務前点呼時に点呼対象の運転者の乗務前点呼日時における第１累計売上金額を所定期間における売上第１目標金額で除して目標第１達成率を算出する目標第１達成率算出手段を実行し、算出した目標第１達成率を運転者識別子と乗務前点呼日時とに関連付けた状態で記憶する目標第１達成率記憶手段を実行する。目標第１達成率は、各運転者の運転者ファイルに格納される。目標第１達成率は、乗務前点呼時に出力装置を介して出力され、さらに所定の時期（年月日または所定の期間）を指定すると、その時期の目標第１達成率が出力装置を介して出力される（目標第１達成率出力手段）。
【０１１０】
コンピュータ１１Ａの中央処理部は、運転者の前回の乗務日における１日の前回売上目標金額とその運転者の前回の乗務日における１日の前回売上金額とをハードディスクから抽出し、乗務前点呼時に点呼対象の運転者の前回売上金額を前回売上目標金額で除して目標第２達成率を算出する目標第２達成率算出手段を実行し、算出した目標第２達成率を運転者識別子と乗務前点呼日時とに関連付けた状態で記憶する目標第２達成率記憶手段を実行する。目標第２達成率は、各運転者の運転者ファイルに格納される。目標第２達成率は、乗務前点呼時に出力装置を介して出力され、さらに所定の時期（年月日または所定の期間）を指定すると、その時期の目標第２達成率が出力装置を介して出力される（目標第２達成率出力手段）。
【０１１１】
コンピュータ１１Ａの中央処理部は、乗務前点呼時に点呼対象の運転者の乗務前点呼日時における累計売上金額を乗務前点呼時までの累計乗務時間で除して乗務時間当たり第１売上金額を算出する乗務時間当たり第１売上金額算出手段を実行し、算出した乗務時間当たり第１売上金額を運転者識別子と乗務前点呼日時とに関連付けた状態で記憶する乗務時間当たり第１売上金額記憶手段を実行する。乗務時間当たり第１売上金額は、各運転者の運転者ファイルに格納される。乗務時間当たり第１売上金額は、乗務前点呼時に出力装置を介して出力され、さらに所定の時期（年月日または所定の期間）を指定すると、その時期の乗務時間当たり第１売上金額が出力装置を介して出力される（乗務時間当たり第１売上金額出力手段）。
【０１１２】
コンピュータ１１Ａの中央処理部は、乗務前点呼時に点呼対象の運転者の乗務前点呼日時における累計売上金額を乗務前点呼時までの累計走行距離で除して走行距離当たり第１売上金額を算出する走行距離当たり第１売上金額算出手段を実行し、算出した走行距離当たり第１売上金額を運転者識別子と乗務前点呼日時とに関連付けた状態で記憶する走行距離当たり第１売上金額記憶手段を実行する。走行距離当たり第１売上金額は、各運転者の運転者ファイルに格納される。走行距離当たり第１売上金額は、乗務前点呼時に出力装置を介して出力され、さらに所定の時期（年月日または所定の期間）を指定すると、その時期の走行距離当たり第１売上金額が出力装置を介して出力される（走行距離当たり第１売上金額出力手段）。
【０１１３】
コンピュータ１１Ａの中央処理部は、乗務前点呼時に点呼対象の運転者の前回乗務日における１日の前回売上金額を前回乗務日の前回乗務時間で除して乗務時間当たり第２売上金額を算出する乗務時間当たり第２売上金額算出手段を実行し、算出した乗務時間当たり第２売上金額を運転者識別子と乗務前点呼日時とに関連付けた状態で記憶する乗務時間当たり第２売上金額記憶手段を実行する。乗務時間当たり第２売上金額は、各運転者の運転者ファイルに格納される。乗務時間当たり第２売上金額は、乗務前点呼時に出力装置を介して出力され、さらに所定の時期（年月日または所定の期間）を指定すると、その時期の乗務時間当たり第２売上金額が出力装置を介して出力される（乗務時間当たり第２売上金額出力手段）。
【０１１４】
コンピュータ１１Ａの中央処理部は、乗務前点呼時に点呼対象の運転者の前回乗務日における１日の前回売上金額を前回乗務日の前回走行距離で除して走行距離当たり第２売上金額を算出する走行距離当たり第２売上金額算出手段を実行し、算出した走行距離当たり第２売上金額を運転者識別子と乗務前点呼日時とに関連付けた状態で記憶する走行距離当たり第２売上金額記憶手段を実行する。走行距離当たり第２売上金額は、各運転者の運転者ファイルに格納される。走行距離当たり第２売上金額は、乗務前点呼時に出力装置を介して出力され、さらに所定の時期（年月日または所定の期間）を指定すると、その時期の走行距離当たり第２売上金額が出力装置を介して出力される（走行距離当たり第２売上金額出力手段）。
【０１１５】
コンピュータ１１Ａの中央処理部は、乗務前点呼時に点呼対象の運転者の健康状態を運転者識別子と乗務前点呼日時とに関連付けた状態で記憶する健康状態記憶手段を実行する。健康状態は、乗務前点呼時に入力装置を介してコンピュータ１１Ａ，１１Ｂに入力され、各運転者の運転者ファイルに格納される。健康状態は、乗務前点呼時に出力装置を介して出力され、さらに所定の時期（年月日または所定の期間）を指定すると、その時期の健康状態が出力装置を介して出力される（健康状態出力手段）。
【０１１６】
コンピュータ１１Ａの中央処理部は、乗務前点呼時に営業用自動車のうち、点呼対象の運転者が乗務する乗務自動車の乗務前車両点検の点検実施状況を運転者識別子と乗務前点呼日時とに関連付けた状態で記憶する点検実施状況記憶手段を実行する。点検実施状況は、乗務前点呼時に入力装置を介してコンピュータ１１Ａ，１１Ｂに入力され、各運転者の運転者ファイルに格納される。点検実施状況は、乗務前点呼時に出力装置を介して出力され、さらに所定の時期（年月日または所定の期間）を指定すると、その時期の点検実施状況が出力装置を介して出力される（点検実施状況出力手段）。
【０１１７】
コンピュータ１１Ａの中央処理部は、点呼対象の運転者の乗務日における勤務時間、休息時間、走行距離、帰庫時間を運転者識別子と乗務前点呼日時とに関連付けた状態で記憶する当日勤務条件記憶手段を実行する。当日勤務条件は、乗務日以前に入力装置を介してコンピュータ１１Ａ，１１Ｂに入力され、各運転者の運転者ファイルに格納されている。当日勤務条件は、乗務前点呼時に出力装置を介して出力され、さらに所定の時期（年月日または所定の期間）を指定すると、その時期の当日勤務条件が出力装置を介して出力される（当日勤務条件出力手段）。
【０１１８】
コンピュータ１１Ａの中央処理部は、点呼対象の運転者の乗務日における工事情報を運転者識別子と乗務前点呼日時とに関連付けた状態で記憶する工事情報記憶手段を実行する。工事情報は、国土交通省道路局の工事情報や日本道路情報センターの工事情報、インターネットによる各種の工事情報を利用することができる。工事情報は、乗務日以前または点呼前の乗務日当日に入力装置を介してコンピュータ１１Ａ，１１Ｂに入力され、または、乗務日以前または点呼前の乗務日当日にネットワークを介してコンピュータ１１Ａ，１１Ｂに自動的に入力され、ハードディスクの工事情報ファイルに格納される。工事情報は、乗務前点呼時に出力装置を介して出力される（工事情報出力手段）。
【０１１９】
コンピュータ１１Ａの中央処理部は、点呼対象の運転者の乗務日における道路渋滞情報を運転者識別子と乗務前点呼日時とに関連付けた状態で記憶する道路渋滞情報記憶手段を実行する。道路渋滞情報は、国土交通省道路局の道路渋滞情報や日本道路情報センターの道路渋滞情報、インターネットによる各種の道路渋滞情報を利用することができる。道路渋滞情報は、乗務日以前または点呼前の乗務日当日に入力装置を介してコンピュータ１１Ａ，１１Ｂに入力され、また、乗務日以前または点呼前の乗務日当日にネットワークを介してコンピュータ１１Ａ，１１Ｂに自動的に入力され、ハードディスクの道路渋滞情報ファイルに格納される。道路渋滞情報は、乗務前点呼時に出力装置を介して出力される（道路渋滞情報出力手段）。
【０１２０】
コンピュータ１１Ａの中央処理部は、点呼対象の運転者の乗務日における他人の事故情報を運転者識別子と乗務前点呼日時とに関連付けた状態で記憶する事故情報記憶手段を実行する。事故情報は、国土交通省道路局の事故情報や日本道路情報センターの事故情報、インターネットによる各種の事故情報を利用することができる。事故情報は、乗務日以前または点呼前の乗務日当日に入力装置を介してコンピュータ１１Ａ，１１Ｂに入力され、また、乗務日以前または点呼前の乗務日当日にネットワークを介してコンピュータ１１Ａ，１１Ｂに自動的に入力され、ハードディスクの事故情報ファイルに格納される。事故情報は、乗務前点呼時に出力装置を介して出力される（事故情報出力手段）。
【０１２１】
コンピュータ１１Ａの中央処理部は、乗務日に点呼対象の運転者に視認させる過去から現在までの営業用自動車の事故画像を運転者識別子と乗務前点呼日時とに関連付けた状態で記憶する事故画像記憶手段を実行する。事故画像は、乗務日以前または点呼前の乗務日当日に入力装置を介してコンピュータ１１Ａ，１１Ｂに入力され、ハードディスクの事故画像ファイルに格納される。中央処理部は、各種複数の事故画像の中から運転者に視認させる少なくとも１つの事故画像を選択する事故画像選択手段を実行し、選択した事故画像に運転者を識別する運転者識別子を設定して選択した事故画像を運転者識別子とともに記憶する。
【０１２２】
コンピュータ１１Ａの中央処理部は、乗務前点呼時に運転者識別子を指定して事故画像の出力を要求すると、その識別子に対応する事故画像を出力装置を介して出力し、さらに所定の時期（年月日または所定の期間）を指定すると、その時期の事故画像を出力装置を介して出力する事故画像出力手段を実行する。中央処理部は、事故画像出力手段によって出力した事故画像にそれを視認した運転者を識別する運転者識別子を設定し、出力済みの事故画像を運転者識別子とともに記憶する出力済み事故画像記憶手段を実行する。
【０１２３】
コンピュータ１１Ａの中央処理部は、乗務日に点呼対象の運転者に視認させる過去から現在までの営業用自動車の事故未遂画像を運転者識別子と乗務前点呼日時とに関連付けた状態で記憶する事故未遂画像記憶手段を実行する。事故未遂画像は、乗務日以前または点呼前の乗務日当日に入力装置を介してコンピュータ１１Ａ，１１Ｂに入力され、ハードディスクの事故未遂画像ファイルに格納される。中央処理部は、各種複数の事故未遂画像の中から運転者に視認させる少なくとも１つの事故未遂画像を選択する事故未遂画像選択手段を実行し、選択した事故未遂画像に運転者を識別する運転者識別子を設定して選択した事故未遂画像を運転者識別子とともに記憶する。
【０１２４】
コンピュータ１１Ａの中央処理部は、乗務前点呼時に運転者識別子を指定して事故未遂画像の出力を要求すると、その識別子に対応する事故未遂画像を出力装置を介して出力し、さらに所定の時期（年月日または所定の期間）を指定すると、その時期の事故未遂画像を出力装置を介して出力する事故未遂画像出力手段を実行する。中央処理部は、事故未遂画像出力手段によって出力した事故未遂画像にそれを視認した運転者を識別する運転者識別子を設定し、出力済みの事故未遂画像を運転者識別子とともに記憶する出力済み事故未遂画像記憶手段を実行する。
【０１２５】
コンピュータ１１Ａの中央処理部は、乗務日に点呼対象の運転者に視認させるその他画像を運転者識別子と乗務前点呼日時とに関連付けた状態で記憶するその他画像記憶手段を実行する。その他画像は、乗務日以前または点呼前の乗務日当日に入力装置を介してコンピュータ１１Ａ，１１Ｂに入力され、ハードディスクのその他画像ファイルに格納される。その他画像には、運転者の家族の写真や運転者の飼っている動物の写真等の事故を起こさないとする意識を運転者に自然に意識させる画像である。その他画像は、乗務前点呼時に出力装置を介して出力され、さらに所定の時期（年月日または所定の期間）を指定すると、その時期のその他画像が出力装置を介して出力される（その他画像出力手段）。
【０１２６】
コンピュータ１１Ａの中央処理部は、乗務日に点呼対象の運転者に通知する注意事項を運転者識別子と乗務前点呼日時とに関連付けた状態で記憶する注意事項記憶手段を実行する。注意事項は、乗務日以前または点呼前の乗務日当日に入力装置を介してコンピュータ１１Ａ，１１Ｂに入力され、各運転者の運転者ファイルに格納されている。注意事項は、乗務前点呼時に出力装置を介して出力され、さらに所定の時期（年月日または所定の期間）を指定すると、その時期の注意事項が出力装置を介して出力される（注意事項出力手段）。
【０１２７】
コンピュータ１１Ａの中央処理部は、乗務日に点呼対象の運転者に通知する売上向上指示事項を運転者識別子と乗務前点呼日時とに関連付けた状態で記憶する売上向上指示事項記憶手段を実行する。売上向上指示事項は、乗務日以前または点呼前の乗務日当日に入力装置を介してコンピュータ１１Ａ，１１Ｂに入力され、各運転者の運転者ファイルに格納されている。売上向上指示事項は、乗務前点呼時に出力装置を介して出力され、さらに所定の時期（年月日または所定の期間）を指定すると、その時期の売上向上指示事項が出力装置を介して出力される（売上向上指示事項出力手段）。
【０１２８】
コンピュータ１１Ａの中央処理部は、乗務後点呼時における運転者認証手段によって、点呼対象の運転者が真正（本人）であると判断した場合、乗務後点呼日時を運転者識別子と点呼者識別子とに関連付けた状態で記憶する乗務後点呼日時記憶手段を実行する。乗務後点呼日時は、年月日および時間であり、各運転者の運転者ファイルに格納される。乗務後点呼日時は、乗務後点呼時に出力装置を介して出力され、さらに所定の時期（年月日または所定の期間）を指定すると、その時期の乗務後点呼日時が出力装置を介して出力される（乗務後点呼日時出力手段）。
【０１２９】
コンピュータ１１Ａの中央処理部は、乗務後点呼時における点呼対象の運転者のアルコールチェッカー１９から出力されたアルコール濃度に基づいてその運転者の飲酒の有無を決定する飲酒有無決定手段を実行し、飲酒決定手段によって決定した飲酒有無情報を運転者識別子と乗務後点呼日時とに関連付けた状態で記憶する飲酒有無情報記憶手段を実行する。飲酒有無情報は、各運転者の運転者ファイルに格納されている。飲酒有無情報は、乗務後点呼時に出力装置を介して出力され、さらに所定の時期（年月日または所定の期間）を指定すると、その時期の飲酒有無情報が出力装置を介して出力される（飲酒有無情報出力手段）。
【０１３０】
コンピュータ１１Ａの中央処理部は、乗務後点呼時に点呼対象の運転者が所持する免許証の免許証情報とあらかじめ記憶した運転者特定情報のうちの免許証情報を比較し、所持する免許証がその運転者の真正のそれであるかを判断する免許証真正判断手段を実行する。運転者が所持する運転免許証の免許証情報は、乗務後点呼時に入力装置を介してコンピュータ１１Ａ，１１Ｂに入力される。免許証情報は、乗務後点呼時に出力装置を介して出力され、さらに所定の時期（年月日または所定の期間）を指定すると、その時期の免許証情報が出力装置を介して出力される（免許証情報出力手段）。
【０１３１】
コンピュータ１１Ａの中央処理部は、乗務後点呼時に点呼対象の運転者の乗務後点呼時までの所定期間内における第２累計乗務時間を算出し（第２累計乗務時間算出手段）、算出した第２累計乗務時間を運転者識別子と乗務前点呼日時とに関連付けた状態で記憶する第２累計乗務時間記憶手段を実行する。第２累計乗務時間は、たとえば、月初から１０日後の日が乗務日である場合、月初から１０日までにその運転者が乗務した乗務時間の累計である。乗務日における当日の乗務時間は、ＩＣカードに書き込まれており、ＩＣカードリーダ１８からコンピュータ１１Ａ，１１Ｂに入力され、各運転者の運転者ファイルに格納される。また、乗務時間を乗務前点呼時から乗務後点呼時までの時間とすることもできる。この場合は、乗務時間がコンピュータ１１Ａ，１１Ｂによって計算され、各運転者の運転者ファイルに格納される。
【０１３２】
コンピュータ１１Ａの中央処理部は、乗務後点呼時に点呼対象の運転者の所定期間における乗務可能時間からその運転者の乗務後点呼時における第２累計乗務時間を減じて乗務可能第２残り時間を算出する乗務可能第２残り時間算出手段を実行する。中央処理部は、乗務可能第２残り時間算出手段によって算出した乗務可能第２残り時間を運転者識別子と乗務前点呼日時とに関連付けた状態で記憶する乗務可能第２残り時間記憶手段を実行する。乗務可能第２残り時間は、各運転者の運転者ファイルに格納される。乗務可能第２残り時間は、乗務前点呼時に出力装置を介して出力され、さらに所定の時期（年月日または所定の期間）を指定すると、その時期の乗務可能第２残り時間が出力装置を介して出力される（乗務可能第２残り時間出力手段）。
【０１３３】
コンピュータ１１Ａの中央処理部は、乗務後点呼時に点呼対象の運転者の乗務後点呼時までの所定期間内における第２累計走行距離を算出し（第２累計走行距離算出手段）、算出した第２累計走行距離を運転者識別子と乗務前点呼日時とに関連付けた状態で記憶する第２累計走行距離憶手段を実行する。第２累計走行距離は、たとえば、月初から１０日後の日が乗務日である場合、月初から１０日までにその運転者が乗務したタクシーの走行距離の累計である。乗務日における当日の走行距離は、ＩＣカードに書き込まれており、ＩＣカードリーダ１８からコンピュータ１１Ａ，１１Ｂに入力され、各運転者の運転者ファイルに格納される。
【０１３４】
コンピュータ１１Ａの中央処理部は、乗務後点呼時に点呼対象の運転者の所定期間における走行可能距離からその運転者の乗務後点呼時における第２累計走行距離を減じて走行可能第２残り距離を算出する走行可能第２残り距離算出手段を実行する。中央処理部は、走行可能第２残り距離算出手段によって算出した走行可能第２残り距離を運転者識別子と乗務前点呼日時とに関連付けた状態で記憶する走行可能第２残り距離記憶手段を実行する。走行可能第２残り距離は、各運転者の運転者ファイルに格納される。走行可能第２残り距離は、乗務後点呼時に出力装置を介して出力され、さらに所定の時期（年月日または所定の期間）を指定すると、その時期の走行可能第２残り距離が出力装置を介して出力される（走行可能第２残り距離出力手段）。
【０１３５】
コンピュータ１１Ａの中央処理部は、乗務後点呼時に点呼対象の運転者の乗務後点呼時までの所定期間内における第２累計売上金額を算出し（第２累計売上金額算出手段）、算出した第２累計売上金額を運転者識別子と乗務前点呼日時とに関連付けた状態で記憶する第２累計売上金額記憶手段を実行する。第２累計売上金額は、たとえば、月初から１０日後の日が乗務日である場合、月初から１０日までにその運転者が乗務したタクシーの売上金額の累計である。乗務日における当日の売上金額は、ＩＣカードに書き込まれており、ＩＣカードリーダ１８からコンピュータ１１Ａ，１１Ｂに入力され、各運転者の運転者ファイルに格納される。
【０１３６】
コンピュータ１１Ａの中央処理部は、乗務後点呼時に点呼対象の運転者の乗務後点呼日時における第２累計売上金額を所定期間における売上第１目標金額で除して目標第３達成率を算出する目標第３達成率算出手段を実行し、算出した目標第３達成率を運転者識別子と乗務後点呼日時とに関連付けた状態で記憶する目標第３達成率記憶手段を実行する。目標第３達成率は、各運転者の運転者ファイルに格納される。目標第３達成率は、乗務前点呼時に出力装置を介して出力され、さらに所定の時期（年月日または所定の期間）を指定すると、その時期の目標第３達成率が出力装置を介して出力される（目標第３達成率出力手段）。
【０１３７】
コンピュータ１１Ａの中央処理部は、運転者の当日の乗務日における１日の当日売上目標金額とその運転者の当日の乗務日における１日の当日売上金額とをハードディスクから抽出し、乗務前点呼時に点呼対象の運転者の当日売上金額を当日売上目標金額で除して目標第４達成率を算出する目標第４達成率算出手段を実行し、算出した目標第４達成率を運転者識別子と乗務前点呼日時とに関連付けた状態で記憶する目標第４達成率記憶手段を実行する。目標第４達成率は、各運転者の運転者ファイルに格納される。目標第４達成率は、乗務後点呼時に出力装置を介して出力され、さらに所定の時期（年月日または所定の期間）を指定すると、その時期の目標第４達成率が出力装置を介して出力される（目標第４達成率出力手段）。
【０１３８】
コンピュータ１１Ａの中央処理部は、乗務後点呼時に点呼対象の運転者の乗務後点呼日時における第２累計売上金額を乗務後点呼時までの第２累計乗務時間で除して乗務時間当たり第３売上金額を算出する乗務時間当たり第３売上金額算出手段を実行し、算出した乗務時間当たり第３売上金額を運転者識別子と乗務前点呼日時とに関連付けた状態で記憶する乗務時間当たり第３売上金額記憶手段を実行する。乗務時間当たり第３売上金額は、各運転者の運転者ファイルに格納される。乗務時間当たり第３売上金額は、乗務後点呼時に出力装置を介して出力され、さらに所定の時期（年月日または所定の期間）を指定すると、その時期の乗務時間当たり第３売上金額が出力装置を介して出力される（乗務時間当たり第３売上金額出力手段）。
【０１３９】
コンピュータ１１Ａの中央処理部は、乗務後点呼時に点呼対象の運転者の乗務後点呼日時における第２累計売上金額を乗務後点呼時までの第２累計走行距離で除して走行距離当たり第３売上金額を算出する走行距離当たり第３売上金額算出手段を実行し、算出した走行距離当たり第３売上金額を運転者識別子と乗務前点呼日時とに関連付けた状態で記憶する走行距離当たり第３売上金額記憶手段を実行する。走行距離当たり第３売上金額は、各運転者の運転者ファイルに格納される。走行距離当たり第３売上金額は、乗務後点呼時に出力装置を介して出力され、さらに所定の時期（年月日または所定の期間）を指定すると、その時期の走行距離当たり第３売上金額が出力装置を介して出力される（走行距離当たり第３売上金額出力手段）。
【０１４０】
コンピュータ１１Ａの中央処理部は、乗務後点呼時に点呼対象の運転者の当日の乗務日における１日の当日売上金額をその乗務日の乗務時間で除して乗務時間当たり第４売上金額を算出する乗務時間当たり第４売上金額算出手段を実行し、算出した乗務時間当たり第４売上金額を運転者識別子と乗務前点呼日時とに関連付けた状態で記憶する乗務時間当たり第４売上金額記憶手段を実行する。乗務時間当たり第４売上金額は、各運転者の運転者ファイルに格納される。乗務時間当たり第４売上金額は、乗務後点呼時に出力装置を介して出力され、さらに所定の時期（年月日または所定の期間）を指定すると、その時期の乗務時間当たり第４売上金額が出力装置を介して出力される（乗務時間当たり第４売上金額出力手段）。
【０１４１】
コンピュータ１１Ａの中央処理部は、乗務後点呼時に点呼対象の運転者の当日の乗務日における１日の当日売上金額をその乗務日の走行距離で除して走行距離当たり第４売上金額を算出する走行距離当たり第４売上金額算出手段を実行し、算出した走行距離当たり第４売上金額を運転者識別子と乗務前点呼日時とに関連付けた状態で記憶する走行距離当たり第４売上金額記憶手段を実行する。走行距離当たり第４売上金額は、各運転者の運転者ファイルに格納される。走行距離当たり第４売上金額は、乗務後点呼時に出力装置を介して出力され、さらに所定の時期（年月日または所定の期間）を指定すると、その時期の走行距離当たり第４売上金額が出力装置を介して出力される（走行距離当たり第４売上金額出力手段）。
【０１４２】
コンピュータ１１Ａの中央処理部は、乗務後点呼時に点呼対象の運転者の健康状態を運転者識別子と乗務後点呼日時とに関連付けた状態で記憶する健康状態記憶手段を実行する。健康状態は、乗務後点呼時に入力装置を介してコンピュータ１１Ａ，１１Ｂに入力され、各運転者の運転者ファイルに格納される。健康状態は、乗務後点呼時に出力装置を介して出力される（健康状態出力手段）。
【０１４３】
コンピュータ１１Ａの中央処理部は、乗務後点呼時に営業用自動車のうちの点呼対象の運転者が乗務した乗務自動車の乗務後車両点検の点検実施状況を運転者識別子と乗務後点呼日時とに関連付けた状態で記憶する点検実施状況記憶手段を実行する。点検実施状況は、乗務後点呼時に入力装置を介してコンピュータ１１Ａ，１１Ｂに入力され、各運転者の運転者ファイルに格納される。点検実施状況は、乗務後点呼時に出力装置を介して出力され、さらに所定の時期（年月日または所定の期間）を指定すると、その時期の点検実施状況が出力装置を介して出力される（点検実施状況出力手段）。
【０１４４】
コンピュータ１１Ａの中央処理部は、点呼対象の運転者の当日の乗務日における顧客からの要望事項や運転者本人の要望事項を運転者識別子と乗務後点呼日時とに関連付けた状態で記憶する要望事項記憶手段を実行する。要望事項は、乗務後点呼時または乗務後点呼後に入力装置を介してコンピュータ１１Ａ，１１Ｂに入力され、各運転者の運転者ファイルに格納されている。要望事項は、乗務後点呼時に出力装置を介して出力され、さらに所定の時期（年月日または所定の期間）を指定すると、その時期の要望事項が出力装置を介して出力される（要望事項出力手段）。
【０１４５】
コンピュータ１１Ａの中央処理部は、点呼対象の運転者の当日の乗務日における顧客の忘れ物情報（忘れ物の種類、忘れ物の取得日時、保管場所）を運転者識別子と乗務後点呼日時とに関連付けた状態で記憶する忘れ物情報記憶手段を実行する。忘れ物情報は、乗務後点呼時または乗務後点呼後に入力装置を介してコンピュータ１１Ａ，１１Ｂに入力され、各運転者の運転者ファイルに格納される。忘れ物情報は、乗務後点呼時に出力装置を介して出力され、さらに所定の時期（年月日または所定の期間）を指定すると、その時期の忘れ物情報が出力装置を介して出力される（忘れ物情報出力手段）。
【０１４６】
コンピュータ１１Ａの中央処理部は、点呼対象の運転者の当日の乗務日におけるトラブル事項を運転者識別子と乗務後点呼日時とに関連付けた状態で記憶するトラブル事項記憶手段を実行する。トラブル事項は、乗務後点呼時または乗務後点呼後に入力装置を介してコンピュータ１１Ａ，１１Ｂに入力され、各運転者の運転者ファイルに格納される。トラブル事項は、乗務後点呼時に出力装置を介して出力され、さらに所定の時期（年月日または所定の期間）を指定すると、その時期のトラブル事項が出力装置を介して出力される（トラブル事項出力手段）。
【０１４７】
コンピュータ１１Ａの中央処理部は、点呼対象の運転者の乗務日における自己の事故情報を運転者識別子と乗務前点呼日時とに関連付けた状態で記憶する事故情報記憶手段を実行する。事故情報は、乗務後点呼時または乗務後点呼後に入力装置を介してコンピュータ１１Ａ，１１Ｂに入力され、各運転者の運転者ファイルに格納されている。事故情報は、乗務前点呼時に出力装置を介して出力され、さらに所定の時期（年月日または所定の期間）を指定すると、その時期の事故情報が出力装置を介して出力される（事故情報出力手段）。
【０１４８】
コンピュータ１１Ａの中央処理部は、点呼対象の運転者の乗務日における自己の事故画像を運転者識別子と乗務前点呼日時とに関連付けた状態で記憶する事故画像記憶手段を実行する。事故画像は、乗務後点呼時または乗務後点呼後に入力装置を介してコンピュータ１１Ａ，１１Ｂに入力され、各運転者の運転者ファイルに格納されている。事故画像は、乗務後点呼後に出力装置を介して出力され、さらに所定の時期（年月日または所定の期間）を指定すると、その時期の事故画像が出力装置を介して出力される（事故画像出力手段）。
【０１４９】
コンピュータ１１Ａの中央処理部は、点呼対象の運転者の乗務日における自己の事故未遂画像を運転者識別子と乗務前点呼日時とに関連付けた状態で記憶する事故未遂画像記憶手段を実行する。事故未遂画像は、乗務後点呼時または乗務後点呼後に入力装置を介してコンピュータ１１Ａ，１１Ｂに入力され、各運転者の運転者ファイルに格納されている。事故未遂画像は、乗務後点呼後に出力装置を介して出力され、さらに所定の時期（年月日または所定の期間）を指定すると、その時期の事故未遂画像が出力装置を介して出力される（事故未遂画像出力手段）。
【０１５０】
コンピュータ１１Ａの中央処理部は、点呼対象の運転者の次回の乗務日における勤務時間、休息時間、走行距離、帰庫時間を運転者識別子と乗務後点呼日時とに関連付けた状態で記憶する次回勤務条件記憶手段を実行する。次回勤務条件は、当日の乗務日に入力装置を介してコンピュータ１１Ａ，１１Ｂに入力され、各運転者の運転者ファイルに格納されている。次回勤務条件は、乗務後点呼時に出力装置を介して出力され、さらに所定の時期（年月日または所定の期間）を指定すると、その時期の次回勤務条件が出力装置を介して出力される（次回勤務条件出力手段）。
【０１５１】
コンピュータ１１Ａの中央処理部は、点呼対象の運転者に乗務後に通知する注意事項を運転者識別子と乗務後点呼日時とに関連付けた状態で記憶する注意事項記憶手段を実行する。注意事項は、乗務前点呼後の乗務日当日に入力装置を介してコンピュータ１１Ａ，１１Ｂに入力され、各運転者の運転者ファイルに格納されている。注意事項は、乗務後点呼時に出力装置を介して出力される（注意事項出力手段）。
【０１５２】
コンピュータ１１Ａの中央処理部は、点呼対象の運転者に乗務後に通知する売上向上指示事項を運転者識別子と乗務後点呼日時とに関連付けた状態で記憶する売上向上指示事項記憶手段を実行する。売上向上指示事項は、乗務前点呼後の乗務日当日に入力装置を介してコンピュータ１１Ａ，１１Ｂに入力され、各運転者の運転者ファイルに格納されている。売上向上指示事項は、乗務前点呼時に出力装置を介して出力される（売上向上指示事項出力手段）。
【０１５３】
コンピュータ１１Ａの中央処理部は、所定の運転者識別子を指定したときに、指定した運転者識別子に対応する運転者の点呼データの一覧をディスプレイ１５に表示し、または、プリンタ１６を介して出力する運転者別点呼データ一覧出力手段を実行する。中央処理部は、過去から現在までのうちの所定の時期を指定したときに、指定した時期における点呼データの一覧表を運転者特定情報とともにディスプレイ１５に表示し、または、プリンタ１６を介して出力する時期別点呼データ一覧出力手段を実行する。指定時期は、たとえば所定の期間や所定の期日であり、任意に指定することができる。運転者別点呼データ出力手段や時期別点呼データ一覧出力手段では、点呼時における点呼データを表示した点呼時指示書を出力し、各運転者の点呼簿を出力する。
【０１５４】
運転者別点呼データ出力手段や時期別点呼データ一覧出力手段において出力される乗務前点呼データには、認証結果情報、運転者特定情報、点呼者特定情報、乗務前点呼日時、乗務可能時間、第１累計乗務時間、乗務可能第１残り時間、走行可能距離、第１累計走行距離、走行可能第１残り距離、売上第１目標金額、第１累計売上金額、目標第１達成率、当日売上目標金額、前回売上目標金額、前回売上金額、目標第２達成率（前回目標達成率）、乗務時間当たり第１売上金額、走行距離当たり第１売上金額、乗務時間当たり第２売上金額、走行距離当たり第２売上金額、乗務間隔、健康状態、免許証情報、点検実施状況、勤務時間、休息時間、走行距離、帰庫時間、工事情報、道路渋滞情報、事故情報、注意事項、売上向上指示事項、事故画像、事故未遂画像、飲酒有無情報がある。
【０１５５】
運転者別点呼データ出力手段や時期別点呼データ一覧出力手段において出力される乗務後点呼データには、認証結果情報、運転者特定情報、点呼者特定情報、乗務後点呼日時、乗務可能時間、第２累計乗務時間、乗務可能第２残り時間、走行可能距離、第２累計走行距離、走行可能第２残り距離、売上第１目標金額、第２累計売上金額、目標第３達成率、当日売上目標金額、当日売上金額、目標第４達成率、乗務時間当たり第３売上金額、走行距離当たり第３売上金額、乗務時間当たり第４売上金額、走行距離当たり第４売上金額、乗務間隔、健康状態、免許証情報、勤務時間、休息時間、走行距離、帰庫時間、要望事項、忘れ物情報、注意事項、売上向上指示事項、事故画像、事故未遂画像、飲酒有無情報がある。
【０１５６】
図３は、ディスプレイ１５に表示されたこのシステム１０へのログイン画面の一例を示す図であり、図４は、項目選択画面の一例を示す図である。図５は、運転者認証（本人認証）初期画面の一例を示す図であり、図６は、認証方式選択画面の一例を示す図である。図７は、運転者認証の認証確認画面の一例を示す図であり、図８は、運転者認証の認証結果画面の一例を示す図である。なお、図３以下の各図の表示エリアや入力エリアでは具体的な文字や数字の図示を省略する。乗務前点呼時に点呼責任者がコンピュータ１１Ａを起動させると、コンピュータ１１Ａに接続されたディスプレイ１５にシステム１０へのログイン画面が表示される。
【０１５７】
ディスプレイ１５には、図３に示すように、点呼者名の入力エリア、パスワードの入力エリア、ログインボタンが表示される。点呼責任者は、キーボードを利用してそれら入力エリアに点呼者名とその点呼者名のパスワードとを入力した後、「ログインボタン」を押す。なお、バーコードリーダ１７を利用し、点呼者が所持する社員証に表示されたバーコードを読み取り、読み取ったバーコードの社員証情報をバーコードリーダ１７からコンピュータ１１Ａ，１１Ｂに入力することで、点呼者名やパスワードの入力を省くこともできる。
【０１５８】
コンピュータ１１Ａは、入力された点呼者名およびパスワードをメモリに格納されたそれらと比較し、点呼者名およびパスワードの正誤を判断する。点呼者名およびパスワードが正しくパスワード認証の結果が可である場合、コンピュータ１１Ａは、システム１０の使用を許可し、図４に示す項目選択画面をディスプレイ１５に表示する。項目選択画面には、乗務前運転者認証ボタン、乗務後運転者認証ボタン、運転者別点呼データ出力ボタン、時期別点呼データ出力ボタン、乗務前指示書出力ボタン、乗務後指示書出力ボタン、実行ボタン、クリアボタン、終了ボタンが表示される。なお、点呼者名やパスワードが誤っていてパスワード認証の結果が不可である場合、コンピュータ１１Ａは、システム１０の使用を禁止し、使用不可メッセージをディスプレイ１５に表示する（図示せず）。
【０１５９】
図４の項目選択画面において点呼者が「乗務前運転者認証ボタン」を押すと、コンピュータ１１Ａは、図５の運転者認証初期画面をディスプレイ１５に表示する。運転者認証初期画面には、点呼者表示エリアに点呼者名、現在時刻表示エリアに現在時間、基準日表示エリアに現在日付が表示され、実行ボタン、終了ボタンが表示される。なお、点呼時には、点呼対象の運転者が点呼責任者の目前にいることが原則であるが、運転者が責任者の所在地以外の場所にいる場合は、図２に示すインターネット２４を介して点呼を行うこともでき、または、テレビ電話や電話対応によって点呼を行うこともできる。
【０１６０】
現在時刻表示エリアの「プルダウンボタン」を押すと、乗務前を乗務後に切り替えることができる。また、基準日表示エリアの「プルダウンボタン」を押すと、基準日を変更することができる。現在時刻や基準日を確認後、「実行ボタン」を押すと、コンピュータ１１Ａは、図６に示す認証方式選択画面をディスプレイ１５に表示する。認証方式選択画面には、確認証方式および確認証方式に対応したチェックボックス、運転者の氏名入力エリア、実行ボタン、クリアボタン、終了ボタンが表示される。
【０１６１】
運転者または点呼責任者がキーボード１２やマウス１３を利用して氏名入力エリアに運転者の氏名を入力し、さらに、点呼責任者がチェックボックスにチェックマークを入れて「実行ボタン」を押すと、チェックマークを入れた認証方式による認証が実行される。なお、図示はしていないが、ディスプレイ１５に確認証方式の手順説明が表示される。また、複数の確認証方式を同時に選択し、それら認証方式を組み合わせた認証を実行することもできる。氏名入力エリアのプルダウンリストから運転者の氏名を選び出すこともできる。
【０１６２】
認証方式において免許証認証を選択すると、コンピュータ１１Ａ，１１Ｂは、スキャナー１４による点呼対象の運転者の免許証情報の読み込みを指示する。運転者の免許証がスキャナー１４によって読み込まれると、スキャナー１４からコンピュータ１１Ａ，１１Ｂに免許証情報が出力される。なお、免許証情報を受け取ったコンピュータ１１Ｂは、その免許証情報をインターネット２４を介してコンピュータ１１Ａに送信する。
【０１６３】
コンピュータ１１Ａ，１１Ｂは、図７に示す認証確認画面をディスプレイ１５に表示する。認証確認画面には、点呼者名表示エリアに点呼者名、認証日時表示エリアに認証日時、免許証番号表示エリアに読み取った免許証番号、氏名表示エリアに読み取った氏名、有効期限表示エリアに読み取った有効期限が表示され、読み取った免許証情報に対応する各運転者情報が運転者情報表示エリアに表示される。さらに、その運転者情報に対応する運転者の顔写真画像が画像表示エリアに表示され、認証結果入力エリアが表示されるとともに、実行ボタン、クリアボタン、終了ボタンが表示される。点呼者名表示エリアには、点呼者名のみならず、点呼者の所属部課、性別、年齢、役職、社員番号を表示することもできる。
【０１６４】
ここで、点呼責任者は、図７に示す認証確認画面を見ながら、点呼対象の運転者を確認しつつ、認証結果可または不可を判断し、認証結果入力エリアのいずれかのチェックボックスにチェックマークを入れる。なお、チェックボックスにチェックマークを入れなくてもよい。チェックボックスにチェックマークを入れることによってコンピュータ１１Ａと点呼責任者との両者による二重の認証チェックを行うことができる。点呼者が図７の画面において「実行ボタン」を押すと、コンピュータ１１Ａは、スキャナー１４から出力された免許証情報のうち、免許証番号、運転者の氏名、免許証の有効期限の少なくとも１つと運転者特定情報から抽出した免許証番号、運転者の氏名、免許証の有効期限の少なくとも１つとを比較する。コンピュータ１１Ａは、免許証情報と運転者特定情報とが一致した場合、運転者本人と判定し、それらが不一致の場合、運転者を偽者と判定する（免許証認証手段）。
【０１６５】
コンピュータ１１Ａは、運転者の真偽を判定した後、免許証認証手段による認証結果を運転者識別子と認証日時とに関連付けた状態で運転者の運転者ファイルに格納する（免許証認証結果格納手段）。コンピュータ１１Ａは、図８に示す認証結果画面をディスプレイ１５に表示するとともに、その認証結果画面をインターネット２４を介してコンピュータ１１Ｂに送信し、コンピュータ１１Ｂに接続されたディスプレイ１５に認証結果画面を表示する（以下、コンピュータ１１Ｂに接続されたディスプレイ１５を含むと略す）（免許証認証結果出力手段）。認証結果画面には、点呼者氏名表示エリアに点呼者氏名、運転者氏名表示エリアに運転者氏名、認証結果表示エリアに可または不可、乗務前点呼日時表示エリアに乗務前点呼日時が表示され、次へボタン、戻るボタン、終了ボタンが表示される。なお、認証結果が不可の場合、乗務前点呼日時が認定されず、乗務前点呼日時表示エリアに乗務前点呼日時は表示されない。
【０１６６】
認証方式において社員証第１認証を選択すると、コンピュータ１１Ａ，１１Ｂは、バーコードリーダ１７による点呼対象の運転者の社員証に表示されたバーコードの読み込みを指示する。社員証のバーコードがバーコードリーダ１７によって読み込まれると、バーコードリーダ１７からコンピュータ１１Ａ，１１Ｂに社員証情報が出力される。なお、社員証情報を受け取ったコンピュータ１１Ｂは、その社員証情報をインターネット２４を介してコンピュータ１１Ａに送信する。コンピュータ１１Ａ，１１Ｂは、認証確認画面をディスプレイ１５に表示する（図７援用）。点呼責任者は、図７に示す認証確認画面を見ながら、点呼対象の運転者を確認しつつ、認証結果可または不可を判断し、認証結果入力エリアのいずれかのチェックボックスにチェックマークを入れる。
【０１６７】
点呼者が図７の画面において「実行ボタン」を押すと、コンピュータ１１Ａは、バーコードリーダ１７から出力された社員証情報のうち、運転者の氏名、社員番号、免許証番号の少なくとも１つと運転者特定情報から抽出した運転者の氏名、社員番号、免許証番号の少なくとも１つとを比較する。コンピュータ１１Ａは、社員証情報と運転者特定情報とが一致した場合、運転者本人と判定し、それらが不一致の場合、運転者を偽者と判定する（社員証第１認証手段）。コンピュータ１１Ａは、運転者の真偽を判定した後、社員証第１認証手段による認証結果を運転者識別子と認証日時とに関連付けた状態で運転者の運転者ファイルに格納する（社員証認証結果格納手段）。コンピュータ１１Ａは、認証結果画面をディスプレイ１５（コンピュータ１１Ｂに接続されたディスプレイ１５を含む）に表示する（図８援用）（社員証認証結果出力手段）。
【０１６８】
認証方式において社員証第２認証を選択すると、コンピュータ１１Ａ，１１Ｂは、ＩＣカードリーダ１８によって点呼対象の運転者が所持するＩＣカードのＩＣチップの各情報の読み込みを指示する。ＩＣカードのＩＣチップの各情報がＩＣカードリーダ１８によって読み込まれると、ＩＣカードリーダ１８からコンピュータ１１Ａ，１１Ｂに社員証情報が出力される。なお、社員証情報を受け取ったコンピュータ１１Ｂは、その社員証情報をインターネット２４を介してコンピュータ１１Ａに送信する。コンピュータ１１Ａ，１１Ｂは、認証確認画面をディスプレイに表示する（図７援用）。点呼責任者は、図７に示す認証確認画面を見ながら、点呼対象の運転者を確認しつつ、認証結果可または不可を判断し、認証結果入力エリアのいずれかのチェックボックスにチェックマークを入れる。
【０１６９】
点呼者が図７の画面において「実行ボタン」を押すと、コンピュータ１１Ａは、ＩＣカードリーダ１８から出力された社員証情報のうち、運転者の氏名、社員番号、免許証番号の少なくとも１つと運転者特定情報から抽出した運転者の氏名、社員番号、免許証番号の少なくとも１つとを比較する。コンピュータ１１Ａは、社員証情報と運転者特定情報とが一致した場合、運転者本人と判定し、それらが不一致の場合、運転者を偽者と判定する（社員証第２認証手段）。コンピュータ１１Ａは、運転者の真偽を判定した後、社員証第２認証手段による認証結果を運転者識別子と認証日時とに関連付けた状態で運転者の運転者ファイルに格納する（社員証認証結果格納手段）。コンピュータ１１Ａは、認証結果画面をディスプレイ１５（コンピュータ１１Ｂに接続されたディスプレイ１５を含む）に表示する（図８援用）（社員証認証結果出力手段）。
【０１７０】
認証方式において顔画像認証を選択すると、コンピュータ１１Ａは、撮像装置２０による点呼対象の運転者の顔の撮影を指示する。運転者の顔が撮像装置２０によって撮影されると、撮像装置２０からコンピュータ１１Ａ，１１Ｂに顔画像データが出力される。なお、顔画像データを受け取ったコンピュータ１１Ｂは、その顔画像データをインターネット２４を介してコンピュータ１１Ａに送信する。コンピュータ１１Ａ，１１Ｂは、認証確認画面をディスプレイ１５に表示する（図７援用）。点呼責任者は、図７に示す認証確認画面を見ながら、点呼対象の運転者を確認しつつ、認証結果可または不可を判断し、認証結果入力エリアのいずれかのチェックボックスにチェックマークを入れる。
【０１７１】
点呼者が図７の画面において「実行ボタン」を押すと、コンピュータ１１Ａは、撮影装置２０から出力された顔画像データとハードディスクに格納された顔写真画像データとを比較する。コンピュータ１１Ａは、顔画像データと顔写真画像データとが一致した場合、運転者本人と判定し、それらが不一致の場合、運転者を偽者と判定する（顔画像認証手段）。コンピュータ１１Ａは、運転者の真偽を判定した後、顔画像認証手段による認証結果を運転者識別子と認証日時とに関連付けた状態で各運転者の運転者ファイルに時系列に格納する（顔画像認証結果格納手段）。コンピュータ１１Ａは、認証結果画面をディスプレイ１５（コンピュータ１１Ｂに接続されたディスプレイ１５を含む）に表示する（図８援用）（顔画像認証結果出力手段）。
【０１７２】
認証方式において虹彩認証を選択すると、コンピュータ１１Ａ，１１Ｂは、虹彩データ取得装置２１による点呼対象の運転者の虹彩パターンの撮影を指示する。運転者の虹彩パターンが虹彩データ取得装置２１によって撮影されると、虹彩データ取得装置２１からコンピュータ１１Ａ，１１Ｂに虹彩画像データが出力される。なお、虹彩画像データを受け取ったコンピュータ１１Ｂは、その虹彩画像データをインターネット２４を介してコンピュータ１１Ａに送信する。コンピュータ１１Ａ，１１Ｂは、認証確認画面をディスプレイ１５に表示する（図７援用）。点呼責任者は、図７に示す認証確認画面を見ながら、点呼対象の運転者を確認しつつ、認証結果可または不可を判断し、認証結果入力エリアのいずれかのチェックボックスにチェックマークを入れる。
【０１７３】
点呼者が図７の画面において「実行ボタン」を押すと、コンピュータ１１Ａは、虹彩データ取得装置２１から出力された虹彩画像データとハードディスクに格納された虹彩画像データとを比較する。コンピュータ１１Ａは、虹彩画像データどうしが一致した場合、運転者本人と判定し、それらが不一致の場合、運転者を偽者と判定する（虹彩認証手段）。コンピュータ１１Ａは、運転者の真偽を判定した後、虹彩認証手段による認証結果を運転者識別子と認証日時とに関連付けた状態で運転者の運転者ファイルに格納する（虹彩認証結果格納手段）。コンピュータ１１Ａは、認証結果画面をディスプレイ１５（コンピュータ１１Ｂに接続されたディスプレイ１５を含む）に表示する（図８援用）（虹彩認証結果出力手段）。
【０１７４】
認証方式において指紋認証を選択すると、コンピュータ１１Ａ，１１Ｂは、指紋データ取得装置２２による点呼対象の運転者の指紋パターンの撮影を指示する。運転者の指紋パターンが指紋データ取得装置２２によって撮影されると、指紋データ取得装置２２からコンピュータ１１Ａ，１１Ｂに指紋データが出力される。なお、指紋データを受け取ったコンピュータ１１Ｂは、その指紋データをインターネット２４を介してコンピュータ１１Ａに送信する。コンピュータ１１Ａ，１１Ｂは、認証確認画面をディスプレイ１５に表示する（図７援用）。点呼責任者は、図７に示す認証確認画面を見ながら、点呼対象の運転者を確認しつつ、認証結果可または不可を判断し、認証結果入力エリアのいずれかのチェックボックスにチェックマークを入れる。
【０１７５】
点呼者が図７の画面において「実行ボタン」を押すと、コンピュータ１１Ａは、指紋データ取得装置２２から出力された指紋データとハードディスクに格納された指紋データとを比較する。コンピュータ１１Ａは、指紋データどうしが一致した場合、運転者本人と判定し、それらが不一致の場合、運転者を偽者と判定する（指紋認証手段）。コンピュータ１１Ａは、運転者の真偽を判定した後、指紋認証手段による認証結果を運転者識別子と認証日時とに関連付けた状態で運転者の運転者ファイルに格納する（指紋認証結果格納手段）。コンピュータ１１Ａは、認証結果画面をディスプレイ１５（コンピュータ１１Ｂに接続されたディスプレイ１５を含む）に表示する（図８援用）（指紋認証結果出力手段）。
【０１７６】
認証方式において静脈認証を選択すると、コンピュータ１１Ａ，１１Ｂは、静脈データ取得装置２３による点呼対象の運転者の静脈パターンの撮影を指示する。運転者の静脈パターンが静脈データ取得装置２３によって撮影されると、静脈データ取得装置２３からコンピュータ１１Ａ，１１Ｂに静脈データが出力される。なお、静脈データを受け取ったコンピュータ１１Ｂは、その静脈データをインターネット２４を介してコンピュータ１１Ａに送信する。コンピュータ１１Ａ，１１Ｂは、認証確認画面をディスプレイ１５に表示する（図７援用）。点呼責任者は、図７に示す認証確認画面を見ながら、点呼対象の運転者を確認しつつ、認証結果可または不可を判断し、認証結果入力エリアのいずれかのチェックボックスにチェックマークを入れる。
【０１７７】
点呼者が図７の画面において「実行ボタン」を押すと、コンピュータ１１Ａは、静脈データ取得装置２３から出力された静脈データとハードディスクに格納された静脈データとを比較する。コンピュータ１１Ａは、静脈データどうしが一致した場合、運転者本人と判定し、それらが不一致の場合、運転者を偽者と判定する（静脈認証手段）。コンピュータ１１Ａは、運転者の真偽を判定した後、静脈認証手段による認証結果を運転者識別子と認証日時とに関連付けた状態で運転者の運転者ファイルに格納する（静脈認証結果格納手段）。コンピュータ１１Ａは、認証結果画面をディスプレイ１５（コンピュータ１１Ｂに接続されたディスプレイ１５を含む）に表示する（図８援用）（静脈認証結果出力手段）。このシステム１０は、確認証手段によって運転者の真偽を確認するから、運転者のなりすましを防ぐことができ、乗務前点呼の真正を担保することができる。
【０１７８】
図９は、乗務前点呼日時確定表示画面の一例を示す図である。図８の認証結果画面において点呼責任者が「次へボタン」を押すと、コンピュータ１１Ａは、各運転者認証手段によって点呼対象の運転者が真正（本人）であると判断した場合に限り、その時点（認証日時）を乗務前点呼日時として認定する。コンピュータ１１Ａは、認定した乗務前点呼日時を運転者識別子と点呼者識別子とに関連付けた状態で運転者の運転者ファイルに格納する（乗務前点呼日時記憶手段）。コンピュータ１１Ａは、図９に示す乗務前点呼日時をディスプレイ１５（コンピュータ１１Ｂに接続されたディスプレイ１５を含む）に表示する（乗務前点呼日時出力手段）。乗務前点呼日時確定表示画面には、点呼日時表示エリアに確定した点呼日時、運転者情報表示エリアに運転者情報、画像表示エリアに顔写真画像が表示され、次へボタン、戻るボタン、終了ボタンが表示される。
【０１７９】
図１０は、アルコール検査確認画面の一例を示す図であり、図１１は、アルコール検査結果画面の一例を示す図である。図９の乗務前点呼日時確定表示画面において点呼者が「次へボタン」を押すと、コンピュータ１１Ａ，１１Ｂは、アルコールチェッカー１９による点呼対象の運転者の呼気の採取を指示する。運転者の呼気がアルコールチェッカー１９によって採取され、アルコールチェッカー１９からコンピュータ１１Ａ，１１Ｂに運転者の呼気に含まれるアルコール濃度が出力される。なお、アルコール濃度を受け取ったコンピュータ１１Ｂは、そのアルコール濃度をインターネット２４を介してコンピュータ１１Ａに送信する。コンピュータ１１Ａ，１１Ｂは、図１０に示すアルコール検査確認画面をディスプレイ１５に表示する。アルコール検査確認画面には、乗務前点呼日時表示エリアに点呼日時、運転者情報表示エリアに運転者情報、アルコール濃度表示エリアにアルコール濃度が表示され、飲酒有無入力エリア、実行ボタン、クリアボタン、終了ボタンが表示される。
【０１８０】
点呼責任者は、点呼対象の運転者の様子を確認しつつ、飲酒有無を判断し、飲酒結果入力エリアのいずれかのチェックボックスにチェックマークを入れる。なお、チェックボックスにチェックマークを入れなくてもよい。チェックボックスにチェックマークを入れることによってコンピュータ１１Ａと点呼責任者との両者による二重の飲酒チェックを行うことができる。点呼者が図１０の画面において「実行ボタン」を押すと、コンピュータ１１Ａは、アルコールチェッカー１９から出力されたアルコール濃度とハードディスクに格納された許容アルコール濃度とを比較する。コンピュータ１１Ａは、測定されたアルコール濃度が許容アルコール濃度よりも低い場合、飲酒無と判定し、アルコール濃度が許容アルコール濃度よりも高い場合、飲酒有と判定する（飲酒有無決定手段）。
【０１８１】
コンピュータ１１Ａは、運転者の飲酒の有無を判定した後、飲酒有無決定手段による判定結果を運転者識別子と乗務前点呼日時とに関連付けた状態で運転者の運転者ファイルに格納する（飲酒有無情報記憶手段）。コンピュータ１１Ａは、図１１に示すアルコール検査結果画面をディスプレイ１５（コンピュータ１１Ｂに接続されたディスプレイ１５を含む）に表示する（飲酒有無情報出力手段）。コンピュータ１１Ａ，１１Ｂは、飲酒有無情報の出力指示があると、アルコール検査結果シート（図示せず）を運転者名とともにプリンタ１６を介して出力する（飲酒有無情報出力手段）。
【０１８２】
アルコール検査結果画面には、運転者氏名表示エリアに運転者氏名、点呼者氏名表示エリアに点呼者氏名、乗務前点呼日時表示エリアに乗務前点呼日時、飲酒有無表示エリアに無または有が表示され、次へボタン、戻るボタン、終了ボタンが表示される。なお、飲酒有の場合、図示はしていないが、コンピュータ１１Ａ，１１Ｂの近傍に設置されたスピーカーから特殊音が発生するとともに、パトランプが点滅し、飲酒有を外部に伝えるようになっている。飲酒有の場合、その日の乗務は禁止される。点呼者は、飲酒の経過を運転手から聴取し、必要があれば、測定されたアルコール濃度とともに聴取録を作る。
【０１８３】
次に点呼者は、点呼対象の運転者が運転免許証を所持しているかを確かめるため、運転者から運転免許証を預かり、その免許証の免許証番号および有効期限をキーボード１２やマウス１３またはスキャナー１４を介してコンピュータ１１Ａ，１１Ｂに入力する。なお、免許証認証手段においてスキャナーから免許証情報がコンピュータ１１Ａに既に入力されている場合は免許証情報の入力を行う必要はなく、免許証真正判定手段も行われない。免許証情報を受け取ったコンピュータ１１Ｂは、その免許証情報をインターネット２４を介してコンピュータ１１Ａに送信する。コンピュータ１１Ａは、運転者特定情報のうちの免許証情報と入力された免許証情報とを比較し、運転者が所持する運転免許証がその運転者の真正のそれであるかを判定する（免許証真正判定手段）。
【０１８４】
コンピュータ１１Ａは、運転者が所持する免許証の免許証番号、運転者の氏名、免許証の有効期限の少なくとも１つと運転者特定情報から抽出した免許証番号、運転者の氏名、免許証の有効期限の少なくとも１つとを比較する。コンピュータ１１Ａは、それら免許証情報が一致した場合、運転者が所持する免許証を真正のそれと判定し、それらが不一致の場合、運転者が所持する免許証を不正なそれと判定する。コンピュータ１１Ａは、運転者が所持する免許証を不正なそれと判定すると、免許証不携帯メッセージをディスプレイ１５（コンピュータ１１Ｂに接続されたディスプレイ１５を含む）に表示する（図示せず）。免許証不携帯の場合、その日の乗務は禁止される。点呼者は、免許不携帯の原因を運転手から聴取し、必要があれば、その運転者の免許証情報とともに聴取録を作る。
【０１８５】
図１２は、乗務当日の乗務前の目標事項表示画面の一例を示す図である。飲酒無と判定された後、図１１のアルコール検査結果画面において点呼者が「次へボタン」を押すと、コンピュータ１１Ａは、運転者認証手段において真正と判定し、かつ、飲酒無と判定した運転者の乗務可能時間、走行可能距離、売上第１目標金額、当日売上目標金額、乗務間隔、飲酒判定結果を運転者ファイルから抽出し、図１２に示す目標事項表示画面をディスプレイ１５（コンピュータ１１Ｂに接続されたディスプレイ１５を含む）に表示する（乗務可能時間出力手段、走行可能距離出力手段、売上第１目標金額出力手段、当日売上目標金額出力手段、乗務間隔出力手段）。コンピュータ１１Ａ，１１Ｂは、目標事項の出力指示があると、目標事項を印刷した目標印刷シート（図示せず）を運転者名とともにプリンタ１６を介して出力する（乗務可能時間出力手段、走行可能距離出力手段、売上第１目標金額出力手段、当日売上目標金額出力手段、乗務間隔出力手段）。
【０１８６】
目標事項表示画面には、運転者氏名表示エリアに運転者氏名、点呼者氏名表示エリアに点呼者氏名、乗務前点呼日時表示エリアに乗務前点呼日時、乗務可能時間表示エリアに乗務可能時間、走行可能距離表示エリアに走行可能距離、売上第１目標金額表示エリアに売上第１目標金額、当日売上目標金額表示エリアに当日売上目標金額、乗務間隔表示エリアに乗務間隔、飲酒判定結果表示エリアに判定結果、社員番号表示エリアに社員番号、免許証番号表示エリアに免許証番号、有効期限表示エリアに有効期限が表示され、次へボタン、戻るボタン、終了ボタンが表示される。
【０１８７】
システム１０は、乗務前点呼時に点呼対象の運転者の乗務可能時間や走行可能距離、乗務間隔を出力するから、各運転者の乗務前点呼日時における乗務可能時間や走行可能距離、乗務間隔を容易に確認かつ把握することができるとともに、乗務可能時間や走行可能距離、乗務間隔を各運転者に認識させることができ、運転者にそれらの遵守を徹底させることができる。システム１０は、乗務前点呼時に点呼対象の運転者の売上第１目標金額や当日売上目標金額を出力するから、各運転者の乗務前点呼日時における売上第１目標金額や当日売上目標金額を容易に確認かつ把握することができるとともに、売上第１目標金額や当日売上目標金額を各運転者に認識させることができ、運転者にそれらの必達を徹底させることができる。システム１０は、乗務前点呼時に点呼対象の運転者の飲酒判定結果を出力するから、飲酒運転を未然に防ぐことができる。
【０１８８】
図１３は、乗務当日の乗務前の目標達成表示画面の一例を示す図である。図１２の目標事項表示画面において点呼者が「次へボタン」を押すと、コンピュータ１１Ａは、運転者の乗務前点呼時までの第１累計乗務時間を算出し（第１累計乗務時間算出手段）、算出した第１累計乗務時間を運転者識別子と乗務前点呼日時とに関連付けた状態で運転者の運転者ファイルに格納する（第１累計乗務時間記憶手段）。コンピュータ１１Ａは、運転者の乗務当日における乗務可能時間からその運転者の乗務前点呼時における第１累計乗務時間を減じて乗務可能第１残り時間を算出し（乗務可能第１残り時間算出手段）、算出した乗務可能第１残り時間を運転者識別子と乗務前点呼日時とに関連付けた状態で運転者の運転者ファイルに格納する（乗務可能第１残り時間記憶手段）。
【０１８９】
コンピュータ１１Ａは、運転者の乗務前点呼時までの第１累計走行距離を算出し（第１累計走行距離算出手段）、算出した第１累計走行距離を運転者識別子と乗務前点呼日時とに関連付けた状態で運転者の運転者ファイルに格納する（第１累計走行距離憶手段）。コンピュータ１１Ａは、運転者の乗務当日における走行可能距離からその運転者の乗務前点呼時における第１累計走行距離を減じて走行可能第１残り距離を算出し（走行可能第１残り距離算出手段）、算出した走行可能第１残り距離を運転者識別子と乗務前点呼日時とに関連付けた状態で運転者の運転者ファイルに格納する（走行可能第１残り距離記憶手段）。
【０１９０】
コンピュータ１１Ａは、運転者の乗務前点呼時までの第１累計売上金額を算出し（第１累計売上金額算出手段）、算出した第１累計売上金額を運転者識別子と乗務前点呼日時とに関連付けた状態で運転者の運転者ファイルに格納する（第１累計売上金額記憶手段）。コンピュータ１１Ａは、運転者の乗務前点呼日時における第１累計売上金額を売上第１目標金額で除して目標第１達成率を算出し（目標第１達成率算出手段）、算出した目標第１達成率を運転者識別子と乗務前点呼日時とに関連付けた状態で運転者の運転者ファイルに格納する（目標第１達成率記憶手段）。
【０１９１】
コンピュータ１１Ａは、運転者の前回の乗務日における１日の前回売上目標金額とその運転者の前回の乗務日における１日の前回売上金額とをハードディスクから抽出し、その運転者の前回売上金額を前回売上目標金額で除して目標第２達成率を算出し（目標第２達成率算出手段）、算出した目標第２達成率を運転者識別子と乗務前点呼日時とに関連付けた状態で運転者の運転者ファイルに格納する（目標第２達成率記憶手段）。コンピュータ１１Ａは、運転者の乗務前点呼日時における累計売上金額を乗務前点呼時までの累計乗務時間で除して乗務時間当たり第１売上金額を算出し（乗務時間当たり第１売上金額算出手段）、算出した乗務時間当たり第１売上金額を運転者識別子と乗務前点呼日時とに関連付けた状態で運転者の運転者ファイルに格納する（乗務時間当たり第１売上金額記憶手段）。
【０１９２】
コンピュータ１１Ａは、運転者の乗務前点呼日時における累計売上金額を乗務前点呼時までの第１累計走行距離で除して走行距離当たり第１売上金額を算出し（走行距離当たり第１売上金額算出手段）、算出した走行距離当たり第１売上金額を運転者識別子と乗務前点呼日時とに関連付けた状態で運転者の運転者ファイルに格納する（走行距離当たり第１売上金額記憶手段）。コンピュータ１１Ａは、運転者の前回乗務日における１日の前回売上金額を前回乗務日の前回乗務時間で除して乗務時間当たり第２売上金額を算出し（乗務時間当たり第２売上金額算出手段）、算出した乗務時間当たり第２売上金額を運転者識別子と乗務前点呼日時とに関連付けた状態で運転者の運転者ファイルに格納する（乗務時間当たり第２売上金額記憶手段）。
【０１９３】
コンピュータ１１Ａは、運転者の前回乗務日における１日の前回売上金額を前回乗務日の前回走行距離で除して走行距離当たり第２売上金額を算出し（走行距離当たり第２売上金額算出手段）、算出した走行距離当たり第２売上金額を運転者識別子と乗務前点呼日時とに関連付けた状態で運転者の運転者ファイルに格納する（走行距離当たり第２売上金額記憶手段）。なお、コンピュータ１１Ａは、第１累計乗務時間、乗務可能第１残り時間、第１累計走行距離、走行可能第１残り距離、第１累計売上金額、目標第１達成率、目標第２達成率、乗務時間当たり第１売上金額、走行距離当たり第１売上金額、乗務時間当たり第２売上金額、走行距離当たり第２売上金額の算出を乗務前点呼時以前に行い、それらを運転者ファイルに格納することもある。
【０１９４】
コンピュータ１１Ａは、各算出手段を実行した後、または、各算出手段を実行済みの場合、第１累計乗務時間、乗務可能第１残り時間、第１累計走行距離、走行可能第１残り距離、第１累計売上金額、目標第１達成率、目標第２達成率、乗務時間当たり第１売上金額、走行距離当たり第１売上金額、乗務時間当たり第２売上金額、走行距離当たり第２売上金額を運転者ファイルから抽出し、図１３に示す目標達成表示画面をディスプレイ１５（コンピュータ１１Ｂに接続されたディスプレイ１５を含む）に表示する（第１累計乗務時間出力手段、乗務可能第１残り時間出力手段、走行可能第１残り距離出力手段、第１累計売上金額出力手段、目標第１達成率出力手段、目標第２達成率出力手段、乗務時間当たり第１売上金額出力手段、走行距離当たり第１売上金額出力手段、乗務時間当たり第２売上金額出力手段、走行距離当たり第２売上金額出力手段）。
【０１９５】
コンピュータ１１Ａ，１１Ｂは、目標達成事項の出力指示があると、目標達成事項を印刷した目標達成印刷シート（図示せず）を運転者名とともにプリンタ１６を介して出力する（第１累計乗務時間出力手段、乗務可能第１残り時間出力手段、走行可能第１残り距離出力手段、第１累計売上金額出力手段、目標第１達成率出力手段、目標第２達成率出力手段、乗務時間当たり第１売上金額出力手段、走行距離当たり第１売上金額出力手段、乗務時間当たり第２売上金額出力手段、走行距離当たり第２売上金額出力手段）。
【０１９６】
目標達成表示画面には、運転者氏名表示エリアに運転者氏名、点呼者氏名表示エリアに点呼者氏名、乗務前点呼日時表示エリアに乗務前点呼日時、累計乗務時間表示エリアに累計乗務時間、乗務可能残り時間表示エリアに乗務可能残り時間、累計走行距離表示エリアに累計走行距離、走行可能残り距離表示エリアに走行可能残り距離、累計売上金額表示エリアに累計売上金額、目標第１達成率表示エリアに目標第１達成率、目標第２達成率表示エリアに目標第２達成率、乗務時間当たり第１売上金額表示エリアに乗務時間当たり第１売上金額、走行距離当たり第１売上金額表示エリアに走行距離当たり第１売上金額、乗務時間当たり第２売上金額表示エリアに乗務時間当たり第２売上金額、走行距離当たり第２売上金額表示エリアに走行距離当たり第２売上金額が表示される。さらに、社員番号表示エリアに社員番号、免許証番号表示エリアに免許証番号、有効期限表示エリアに有効期限が表示され、次へボタン、戻るボタン、終了ボタンが表示される。
【０１９７】
システム１０は、乗務前点呼時に点呼対象の運転者の乗務可能残り時間や走行可能残り距離を出力するから、点呼者が各運転者の乗務可能残り時間や走行可能残り距離を運転者毎に個別に算出かつ記録する必要や点呼時に乗務可能残り時間や走行可能残り距離を各運転者に書面で通知する必要はなく、点呼準備や乗務前点呼作業にかかる労力を大幅に軽減することができる。
【０１９８】
システム１０は、乗務前点呼時に各運転者の乗務可能残り時間や走行可能残り距離を容易に確認かつ把握することができるとともに、乗務可能残り時間や走行可能残り距離を各運転者に認識させることができ、各運転者に乗務可能時間や走行可能残り距離の遵守を徹底させることができる。システム１０は、乗務前点呼時に点呼者や運転者が乗務可能残り時間や走行可能残り距離を把握することで、運転者の超過労働や過労運転を防ぐことができ、乗務可能残り時間や走行可能残り距離を含む点呼データを利用して運転者の運行の安全を確保することができる。
【０１９９】
システム１０は、点呼対象の運転者の第１目標達成率や第２目標達成率（前回目標達成率）、乗務時間当たり第１売上金額、走行距離当たり第１売上金額、乗務時間当たり第２売上金額、走行距離当たり第２売上金額を出力するから、点呼者が各運転者の第１目標達成率や第２目標達成率、乗務時間当たり第１売上金額、走行距離当たり第１売上金額、乗務時間当たり第２売上金額、走行距離当たり第２売上金額を運転者毎に個別に算出かつ記録する必要や点呼時に第１目標達成率や第２目標達成率、乗務時間当たり第１売上金額、走行距離当たり第１売上金額、乗務時間当たり第２売上金額、走行距離当たり第２売上金額を各運転者に書面で通知する必要はなく、点呼準備や乗務前点呼作業にかかる労力を大幅に軽減することができる。
【０２００】
システム１０は、乗務前点呼時に運転者の第１目標達成率や第２目標達成率、乗務時間当たり第１売上金額、走行距離当たり第１売上金額、乗務時間当たり第２売上金額、走行距離当たり第２売上金額を出力するから、各運転者の第１目標達成率や第２目標達成率、乗務時間当たり第１売上金額、走行距離当たり第１売上金額、乗務時間当たり第２売上金額、走行距離当たり第２売上金額を容易に確認かつ把握することができるとともに、第１目標達成率や第２目標達成率、乗務時間当たり第１売上金額、走行距離当たり第１売上金額、乗務時間当たり第２売上金額、走行距離当たり第２売上金額を各運転者に認識させることができ、各運転者の目標達成や売上向上に対する意識付けを図ることができる。
【０２０１】
図１４は、乗務当日の乗務前のチェック事項表示画面の一例を示す図である。図１３の目標達成表示画面において点呼者が「次へボタン」を押すと、コンピュータ１１Ａ，１１Ｂは、図１４に示すチェック事項表示画面をディスプレイ１５に表示する。チェック事項表示画面には、運転者氏名表示エリアに運転者氏名、点呼者氏名表示エリアに点呼者氏名、乗務前点呼日時表示エリアに乗務前点呼日時が表示される。さらに、健康状態チェックボックス、車両点検状況チェックボックス、工事情報表示チェックボックス、渋滞情報表示チェックボックス、事故情報表示チェックボックス、事故画像表示チェックボックス、事故未遂画像表示チェックボックス、その他画像表示チェックボックス、実行ボタン、クリアボタン、終了ボタンが表示される。
【０２０２】
点呼者は、点呼対象の運転者を問診し、あわせてその運転者の様子を見ながら、運転者の健康状態をチェックし、健康状態良または否のいずれかのチェックボックスにチェックマークを入れる。点呼者は、乗務する車両の点検実施の有無を運転者から聞き出し、点検有または無のいずれかのチェックボックスにチェックマークを入れる。さらに、点呼者は、工事情報や渋滞情報、事故情報の表示のチェックボックスにチェックマークを入れ、事故画像や事故未遂画像、その他画像の表示のチェックボックスにチェックマークを入れる。なお、工事情報や渋滞情報、事故情報の非表示チェックボックスにチェックマークを入れると、それら情報は表示されない。また、事故画像や事故未遂画像、その他画像の非表示チェックボックスにチェックマークを入れると、それら情報は表示されない。
【０２０３】
点呼者がそれらチェックボックスにチェックマークを入れた後、「実行ボタン」を押すと、コンピュータ１１Ａは、運転者の健康状態を運転者識別子と乗務前点呼日時とに関連付けた状態で運転者の運転者ファイルに格納し（健康状態記憶手段）、運転者が乗務する乗務自動車の乗務前車両点検の点検実施状況を運転者識別子と乗務前点呼日時とに関連付けた状態で運転者の運転者ファイルに格納する（点検実施状況記憶手段）。
【０２０４】
図１５は、当日勤務条件表示画面の一例を示す図である。図１４のチェック事項表示画面において点呼者が「実行ボタン」を押すと、コンピュータ１１Ａは、ハードディスクの運転者ファイルからその運転者の勤務条件を抽出し、図１５に示す当日勤務条件表示画面をディスプレイ１５（コンピュータ１１Ｂに接続されたディスプレイ１５を含む）に表示する（当日勤務条件出力手段、健康状態出力手段、点検実施状況出力手段）。コンピュータ１１Ａ，１１Ｂは、当日勤務条件の出力指示があると、勤務時間や休息時間、走行距離、帰庫時間、健康状態、車両点検状況を印刷した勤務条件シート（図示せず）を運転者名とともにプリンタ１６を介して出力する（当日勤務条件出力手段、健康状態出力手段、点検実施状況出力手段）。
【０２０５】
当日勤務条件表示画面には、運転者氏名表示エリアに運転者氏名、点呼者氏名表示エリアに点呼者氏名、乗務前点呼日時表示エリアに乗務前点呼日時、勤務時間表示エリアに当日の勤務時間、休息時間表示エリアに当日の休息時間、走行距離表示エリアに当日の走行距離、帰庫時間表示アリアに当日の帰庫時間が表示される。さらに、工事情報表示ボタン、渋滞情報表示ボタン、事故情報表示ボタン、事故画像表示ボタン、事故未遂画像表示ボタン、その他画像表示ボタン、実行ボタン、次へボタン、戻るボタン、終了ボタンが表示される。
【０２０６】
システム１０は、乗務前点呼時に点呼対象の運転者の健康状態を記憶するから、点呼者が各運転者の健康状態を書面に記録する必要はなく、記録の手間を省くことで点呼者が時間や手間を要せずに乗務前点呼作業を行うことができる。システム１０は、乗務前点呼時に点呼対象の運転者の健康状態を出力するから、各運転者の乗務前点呼日時における健康状態を容易に確認かつ把握することができるとともに、健康状態を各運転者に認識させることができ、点呼者や運転者が健康状態に基づいて自動車を正常に運転し得るかを判断することができる。システム１０は、点呼者が運転者の健康状態を把握しつつ運転者が自己の健康状態を客観的に把握することで、乗務日における運転者の運行の安全を確保することができる。
【０２０７】
システム１０は、乗務前点呼時に点呼対象の運転者の乗務前車両点検の点検実施状況を記憶するから、点呼者が点検実施状況を書面に記録する必要はなく、記録の手間を省くことで点呼者が時間や手間を要せずに乗務前点呼作業を行うことができる。システム１０は、乗務前点呼時に点呼対象の運転者の乗務前車両点検の点検実施状況を出力するから、各運転者の点検実施状況を容易に確認かつ把握することができるとともに、点検実施状況を各運転者に認識させることができ、点検実施状況に基づいて乗務前点検を確実に実施させることができる。
【０２０８】
システム１０は、点呼対象の運転者の当日勤務条件を記憶するから、点呼者が勤務条件を書面に記録する必要はなく、記録の手間を省くことで点呼者が時間や手間を要せずに乗務前点呼作業を行うことができる。システム１０は、点呼対象の運転者の当日勤務条件を出力するから、各運転者の勤務条件を容易に確認かつ把握することができるとともに、勤務条件を各運転者に認識させることができ、運転者に勤務条件の遵守を徹底させることができる。
【０２０９】
図１６は、路線図表示画面の一例を示す図であり、図１７は、工事・作業情報表示画面の一例を示す図である。工事情報を表示するには、図１５の当日勤務条件表示画面において「工事情報表示ボタン」を反転させた後、「実行ボタン」を押す。「工事情報表示ボタン」を反転させて「実行ボタン」を押すと、コンピュータ１１Ａは、ハードディスクの工事情報ファイルから運転者に視認させる工事情報を運転者特定情報（運転者識別子）によって抽出し、図１６に示す路線図表示画面をディスプレイ１５に表示する。路線図表示画面には、道路工事・作業の場所や道路渋滞の路線、事故の場所が示され、工事・作業ボタン、道路渋滞ボタン、事故情報ボタンが表示される。図１６の路線図表示画面において「工事・作業ボタン」を押すと、コンピュータ１１Ａ，１１Ｂは、図１７に示す工事・作業情報表示画面をディスプレイ１５（コンピュータ１１Ｂに接続されたディスプレイ１５を含む）に表示する（工事情報出力手段）。コンピュータ１１Ａ，１１Ｂは、工事情報の出力指示があると、図１６の路線図や図１７の工事・作業情報を運転者名とともにプリンタ１６を介して出力する（工事情報出力手段）。
【０２１０】
工事・作業情報表示画面には、路線名表示エリアに路線名、方向表示エリアに方向、規制区間表示エリアに規制区間、要因表示エリアに各要因、内容表示エリアに規制内容が表示され、戻るボタン、終了ボタンが表示される。システム１０は、乗務前点呼時に運転者がディスプレイ１５に表示された路線図や工事・作業情報、プリントされた路線図や工事・作業情報を見ることによって、工事の場所を知ることができ、工事渋滞に巻き込まれることはなく、営業車の運行の円滑化を図ることができる。
【０２１１】
図１８は、道路渋滞情報表示画面の一例を示す図である。渋滞情報を表示するには、図１７の工事・作業情報表示画面の「戻るボタン」を押す。「戻るボタン」を押すと、コンピュータ１１Ａは、図１５の当日勤務条件表示画面を表示する。当日勤務条件表示画面において「渋滞情報表示ボタン」を反転させた後、「実行ボタン」を押す。「渋滞情報表示ボタン」を反転させて「実行ボタン」を押すと、コンピュータ１１Ａ，１１Ｂは、図１６に示す路線図表示画面をディスプレイ１５に表示する。さらに、図１６の路線図表示画面において「道路渋滞ボタン」を押すと、コンピュータ１１Ａは、ハードディスクの渋滞情報ファイルから運転者に視認させる渋滞情報を運転者特定情報（運転者識別子）によって抽出し、図１８に示す道路渋滞情報表示画面をディスプレイ１５（コンピュータ１１Ｂに接続されたディスプレイ１５を含む）に表示する（道路渋滞情報出力手段）。コンピュータ１１Ａ，１１Ｂは、道路渋滞情報の出力指示があると、図１６の路線図や図１８の道路渋滞情報を運転者名とともにプリンタ１６を介して出力する（道路渋滞情報出力手段）。
【０２１２】
道路渋滞情報表示画面には、起点路線名表示エリアに起点路線名、方向表示エリアに方向、区間表示エリアに渋滞区間、所要時間表示エリアに所要時間が表示され、戻るボタン、終了ボタンが表示される。システム１０は、乗務前点呼時に運転者がディスプレイ１５に表示された路線図や道路渋滞情報、プリントされた路線図や道路渋滞情報を見ることによって、渋滞路線や渋滞箇所を知ることができ、渋滞に巻き込まれることはなく、営業車の運行の円滑化を図ることができる。
【０２１３】
図１９は、事故情報表示画面の一例を示す図である。事故情報を表示するには、図１８の道路渋滞情報表示画面の「戻るボタン」を押す。「戻るボタン」を押すと、コンピュータ１１Ａ，１１Ｂは、図１５の当日勤務条件表示画面を表示する。当日勤務条件表示画面において「事故情報表示ボタン」を反転させた後、「実行ボタン」を押す。「事故情報表示ボタン」を反転させて「実行ボタン」を押すと、コンピュータ１１Ａ，１１Ｂは、図１６に示す路線図表示画面をディスプレイ１５に表示する。さらに、図１６の路線図表示画面において「事故情報ボタン」を押すと、コンピュータ１１Ａは、ハードディスクの事故情報ファイルから運転者に視認させる事故情報を運転者特定情報（運転者識別子）によって抽出し、図１９に示す事故情報表示画面をディスプレイ１５（コンピュータ１１Ｂに接続されたディスプレイ１５を含む）に表示する（事故情報出力手段）。コンピュータ１１Ａ，１１Ｂは、事故情報の出力指示があると、図１６の路線図や図１９の事故情報を運転者名とともにプリンタ１６を介して出力する（事故情報出力手段）。
【０２１４】
事故情報表示画面には、事故場所表示エリアに事故場所、事故状況表示エリアに事故状況、道路状況表示エリアに道路状況が表示され、戻るボタン、終了ボタンが表示される。システム１０は、乗務前点呼時に運転者がディスプレイ１５に表示された路線図や事故情報、プリントされた路線図や事故情報を見ることによって、事故の場所や内容を知ることができ、事故渋滞に巻き込まれることはなく、営業車の運行の円滑化を図ることができる。
【０２１５】
図２０は、事故画像表示画面の一例を示す図である。過去の事故画像を表示するには、図１９の事故情報表示画面の「戻るボタン」を押す。「戻るボタン」を押すと、コンピュータ１１Ａ，１１Ｂは、図１５の当日勤務条件表示画面を表示する。当日勤務条件表示画面において「事故画像表示ボタン」を反転させた後、「実行ボタン」を押す。「事故画像表示ボタン」を反転させて「実行ボタン」を押すと、コンピュータ１１Ａは、ハードディスクの事故画像ファイルから運転者に視認させる事故画像を運転者特定情報（運転者識別子）によって抽出し、図２０に示す事故画像表示画面をディスプレイ１５（コンピュータ１１Ｂに接続されたディスプレイ１５を含む）に表示する（事故画像出力手段）。
【０２１６】
事故画像表示画面には、運転者氏名表示エリアに運転者氏名、点呼者氏名表示エリアに点呼者氏名、乗務前点呼日時表示エリアに乗務前点呼日時、事故現場表示エリアに事故の場所、事故状況表示エリアに事故状況、事故原因表示エリアに事故原因が表示され、戻るボタン、終了ボタンが表示される。さらに、事故画像表示エリアにドライブレコーダーによって撮影された事故の動画が表示される。システム１０は、乗務前点呼時に運転者がディスプレイ１５に表示された事故画像を見ることによって、運転者の安全運転に対する意識高揚を図ることができ、運行中の事故の発生を未然に防ぐことができる。
【０２１７】
図２１は、事故未遂画像表示画面の一例を示す図である。過去の事故未遂画像を表示するには、図２０の事故画像表示画面の「戻るボタン」を押す。「戻るボタン」を押すと、コンピュータ１１Ａ，１１Ｂは、図１５の当日勤務条件表示画面を表示する。当日勤務条件表示画面において「事故未遂画像表示ボタン」を反転させた後、「実行ボタン」を押す。「事故未遂画像表示ボタン」を反転させて「実行ボタン」を押すと、コンピュータ１１Ａは、ハードディスクの事故未遂画像ファイルから運転者に視認させる事故未遂画像を運転者特定情報（運転者識別子）によって抽出し、図２０に示す事故未遂画像表示画面をディスプレイ１５（コンピュータ１１Ｂに接続されたディスプレイ１５を含む）に表示する（事故未遂画像出力手段）。
【０２１８】
事故未遂画像表示画面には、運転者氏名表示エリアに運転者氏名、点呼者氏名表示エリアに点呼者氏名、乗務前点呼日時表示エリアに乗務前点呼日時、事故未遂現場表示エリアに未遂事故の場所、事故未遂状況表示エリアに未遂事故状況、事故未遂原因表示エリアに未遂事故原因が表示され、戻るボタン、終了ボタンが表示される。さらに、事故未遂画像表示エリアにドライブレコーダーによって撮影された未遂事故の動画が表示される。システム１０は、乗務前点呼時に運転者がディスプレイ１１５に表示された事故未遂画像を見ることによって、運転者の安全運転に対する意識高揚を図ることができ、運行中の事故の発生を未然に防ぐことができる。
【０２１９】
図２２は、その他画像表示画面の一例を示す図である。その他画像を表示するには、図２１の事故未遂画像表示画面の「戻るボタン」を押す。「戻るボタン」を押すと、コンピュータ１１Ａ，１１Ｂは、図１５の当日勤務条件表示画面を表示する。当日勤務条件表示画面において「その他画像表示ボタン」を反転させた後、「実行ボタン」を押す。「その他画像表示ボタン」を反転させて「実行ボタン」を押すと、コンピュータ１１Ａは、ハードディスクのその他画像ファイルから運転者に視認させるその他画像を運転者特定情報（運転者識別子）によって抽出し、図２２に示すその他画像表示画面をディスプレイ１５（コンピュータ１１Ｂに接続されたディスプレイ１５を含む）に表示する（その他画像出力手段）。
【０２２０】
その他画像表示画面には、運転者氏名表示エリアに運転者氏名、点呼者氏名表示エリアに点呼者氏名、乗務前点呼日時表示エリアに乗務前点呼日時が表示され、戻るボタン、終了ボタンが表示される。さらに、その他画像表示エリアに動画または静止画が表示される。システム１０は、乗務前点呼時に運転者がディスプレイ１５に表示されたその他画像を見ることによって、運転者の運転時の気持ちの引き締めや緊張を図ることができ、運行中の事故の発生を未然に防ぐことができる。
【０２２１】
図２３は、注意事項と売上向上指示事項とを表示したその他事項表示画面の一例を示す図である。その他事項を表示するには、図２２の事故未遂画像表示画面の「戻るボタン」を押す。「戻るボタン」を押すと、コンピュータ１１Ａ，１１Ｂは、図１５の当日勤務条件表示画面を表示する。当日勤務条件表示画面において「次へボタン」を押す。「次へボタン」を押すと、コンピュータ１１Ａは、ハードディスクの運転者ファイルから運転者に視認させる注意事項や売上向上指示事項を抽出し、図２３に示すその他事項表示画面をディスプレイ１５（コンピュータ１１Ｂに接続されたディスプレイ１５を含む）に表示する（注意事項出力手段、売上向上指示事項出力手段）。コンピュータ１１Ａ，１１Ｂは、その他事項の出力指示があると、図２３のその他事項を運転者名とともにプリンタ１６を介して出力する（注意事項出力手段、売上向上指示事項出力手段）。
【０２２２】
その他事項表示画面には、運転者氏名表示エリアに運転者氏名、点呼者氏名表示エリアに点呼者氏名、乗務前点呼日時表示エリアに乗務前点呼日時、注意事項表示エリアに注意事項、売上向上指示事項表示エリアに売上向上指示事項が表示され、戻るボタン、終了ボタンが表示される。運転者は、注意事項を見ることで、運行の安全を再度確認することができ、売上向上指示を見ることで、売上金額の向上策を確認することができる。
【０２２３】
問題なく乗務前点呼が終了すると、運転者はＩＣカードを所持してタクシーに乗車し、勤務に就く。なお、タクシーには、車載装置が設置されている。タクシーに設置された車載装置は、タクシーメーター、タクシー無線機、ＧＰＳ端末、ＥＴＣ車載器、ＩＣカードリーダ／ライタ、ドライブレコーダーとから形成されている。無線機やＧＰＳ端末、ＥＴＣ車載器、ＩＣカードリーダ／ライタ、ドライブレコーダーは、インターフェイスを介してタクシーメーターに接続されている。タクシーメーターには、中央処理部（ＣＰＵまたはＭＰＵ）と記憶デバイスとを有するコンピュータが内蔵されている。タクシーメーターには、ＩＣカードが挿脱可能に挿入される。運転者は、タクシーの運行に先立って、ＩＣカードをタクシーメーターに挿入する。ＩＣカードのＩＣチップに格納される各情報には、乗務日における売上合計料金、乗務日における利用者の乗車日時や降車日時、乗務日における勤務時間、乗務日における走行距離、自己の事故画像、自己の事故未遂画像がある。
【０２２４】
タクシーメーターに内蔵されたコンピュータは、オペレーティングシステムによる制御に基づいて、その記憶デバイスに格納されたアプリケーションを起動し、起動したアプリケーションに従って、以下の各手段を実行する。タクシーメーターのコンピュータは、乗務日における迎車料金、メーター料金、ＥＴＣ車載器から出力された有料道路料金を合計して合計料金を算出するとともに、ＩＣカードリーダ／ライタを介してそれら料金（運行データ）をＩＣカードのメモリに格納する料金情報格納手段を実行する。タクシーメーターのコンピュータは、乗務日における利用者の乗車日時や降車日時、利用時間、走行距離等の運行情報をＩＣカードリーダ／ライタを介してＩＣカードのメモリに格納する運行情報格納手段を実行する。タクシーメーターのコンピュータは、ドライブレコーダーから出力された運行記録画像のうち、事故画像と事故未遂画像とを選択し、事故画像と事故未遂画像とをＩＣカードリーダ／ライタを介してＩＣカードのメモリに格納する運行画像格納手段を実行する。
【０２２５】
図２４は、乗務後の運転者認証（本人認証）初期画面の一例を示す図であり、図２５は、乗務後の運転者認証の認証結果画面の一例を示す図である。１日の乗務が終了し、タクシー会社の帰社した運転者は、タクシー車載器のＩＣカードリーダ／ライタからＩＣカードを抜き取り、乗務後点呼時にそのＩＣカードを点呼者に渡す。点呼者は、運転者からＩＣカードを受け取り、ＩＣカードをＩＣカードリーダ１８にかざす。ＩＣカードリーダ１８は、ＩＣカードのＩＣチップに格納された各情報を読み取り、読み取った情報をコンピュータ１１Ａ，１１Ｂに出力（インターネットを介した送信を含む）する。なお、各情報を受け取ったコンピュータ１１Ｂは、それら情報をインターネット２４を介してコンピュータ１１Ａに送信する。コンピュータ１１Ａは、ＩＣカードリーダ１８から出力されたＩＣカードの各情報を運転者識別子と入力日時とに関連付けた状態でハードディスクに格納する。
【０２２６】
なお、ディスプレイ１５には、図４の項目選択画面が表示されているものとする。項目選択画面において点呼者が「乗務後運転者認証ボタン」を押すと、コンピュータ１１Ａ，１１Ｂは、図２４の運転者認証初期画面をディスプレイ１５に表示する。運転者認証初期画面には、点呼者表示エリアに点呼者名、現在時刻表示エリアに現在時間、基準日表示エリアに現在日付が表示され、実行ボタン、終了ボタンが表示される。現在時刻や基準日を確認後、「実行ボタン」を押すと、コンピュータ１１Ａ，１１Ｂは、図６に示す認証方式選択画面をディスプレイ１５に表示する。
【０２２７】
図６の認証方式選択画面において運転者または点呼責任者がキーボード１２やマウス１３を利用して氏名入力エリアに運転者の氏名を入力し、さらに、点呼責任者がチェックボックスにチェックマークを入れて実行ボタンを押すと、チェックマークを入れた認証方式による認証が実行される。確認証手順は、乗務前点呼において説明したそれらと同一であるから、その説明は省略する。コンピュータ１１Ａは、図２５に示す認証結果画面をディスプレイ１５（コンピュータ１１Ｂに接続されたディスプレイ１５を含む）に表示する（免許証認証結果出力手段、社員証認証結果出力手段、顔画像認証結果出力手段、虹彩認証結果出力手段、指紋認証結果出力手段、静脈認証結果出力手段）。システム１０は、確認証手段によって運転者の真偽を確認するから、運転者のなりすましを防ぐことができ、乗務後点呼の真正を担保することができる。
【０２２８】
図２６は、乗務後点呼日時確定表示画面の一例を示す図である。図２５の認証結果画面において点呼責任者が「次へボタン」を押すと、コンピュータ１１Ａは、各運転者認証手段によって点呼対象の運転者が真正（本人）であると判断した場合に限り、その時点（認証日時）を乗務後点呼日時として認定する。コンピュータ１１Ａは、認定した乗務後点呼日時を運転者識別子と点呼者識別子とに関連付けた状態で運転者の運転者ファイルに格納する（乗務後点呼日時記憶手段）。コンピュータ１１Ａは、図２６に示す乗務後点呼日時をディスプレイ１５（コンピュータ１１Ｂに接続されたディスプレイ１５を含む）に表示する（乗務後点呼日時出力手段）。乗務後点呼日時確定表示画面には、点呼日時表示エリアに確定した点呼日時、運転者情報表示エリアに運転者情報、画像表示エリアに顔写真画像が表示され、次へボタン、戻るボタン、終了ボタンが表示される。
【０２２９】
図２７は、乗務後点呼時におけるアルコール検査確認画面の一例を示す図であり、図２８は、乗務後点呼時におけるアルコール検査結果画面の一例を示す図である。図２６の乗務後点呼日時確定表示画面において点呼者が「次へボタン」を押すと、コンピュータ１１Ａ，１１Ｂは、アルコールチェッカー１９による点呼対象の運転者の呼気の採取を指示する。運転者の呼気がアルコールチェッカー１９によって採取され、アルコールチェッカー１９からコンピュータ１１Ａ，１１Ｂに運転者の呼気に含まれるアルコール濃度が出力される。なお、アルコール濃度を受け取ったコンピュータ１１Ｂは、そのアルコール濃度をインターネット２４を介してコンピュータ１１Ａに送信する。
【０２３０】
コンピュータ１１Ａは、図２７に示すアルコール検査確認画面をディスプレイ１５（コンピュータ１１Ｂに接続されたディスプレイ１５を含む）に表示する。アルコール検査確認画面には、乗務後点呼日時表示エリアに点呼日時、運転者情報表示エリアに運転者情報、アルコール濃度表示エリアにアルコール濃度が表示されるとともに、飲酒有無入力エリア、実行ボタン、クリアボタン、終了ボタンが表示される。
【０２３１】
点呼責任者は、点呼対象の運転者の様子を確認しつつ、飲酒有無を判断し、飲酒結果入力エリアのいずれかのチェックボックスにチェックマークを入れる。なお、チェックボックスにチェックマークを入れなくてもよい。チェックボックスにチェックマークを入れることによってコンピュータ１１Ａと点呼責任者との両者による二重の飲酒チェックを行うことができる。点呼者が図２７の画面において「実行ボタン」を押すと、コンピュータ１１Ａは、アルコールチェッカー１９から出力されたアルコール濃度とハードディスクに格納された許容アルコール濃度とを比較する。コンピュータ１１Ａは、測定されたアルコール濃度が許容アルコール濃度よりも低い場合、飲酒無と判定し、アルコール濃度が許容アルコール濃度よりも高い場合、飲酒有と判定する（飲酒有無決定手段）。
【０２３２】
コンピュータ１１Ａは、運転者の飲酒の有無を判定した後、飲酒有無決定手段による判定結果を運転者識別子と乗務後点呼日時とに関連付けた状態で運転者の運転者ファイルに格納する（飲酒有無情報記憶手段）。コンピュータ１１Ａは、図２８に示すアルコール検査結果画面をディスプレイ１５（コンピュータ１１Ｂに接続されたディスプレイ１５を含む）に表示する（飲酒有無情報出力手段）。コンピュータ１１Ａ，１１Ｂは、飲酒有無情報の出力指示があると、アルコール検査結果シート（図示せず）を運転者名とともにプリンタ１６を介して出力する（飲酒有無情報出力手段）。
【０２３３】
アルコール検査結果画面には、運転者氏名表示エリアに運転者氏名、点呼者氏名表示エリアに点呼者氏名、乗務前点呼日時表示エリアに乗務後点呼日時、飲酒有無表示エリアに無または有が表示され、次へボタン、戻るボタン、終了ボタンが表示される。なお、飲酒有の場合、図示はしていないが、スピーカーから特殊音が発生するとともに、パトランプが点滅し、飲酒有を外部に伝えるようになっている。飲酒有の場合、乗務日における飲酒運転が疑われ、点呼者は飲酒の経過を運転手から聴取し、必要があれば、測定されたアルコール濃度とともに聴取録を作る。
【０２３４】
次に点呼者は、点呼対象の運転者が運転免許証を所持しているかを確かめるため、運転者から運転免許証を預かり、その免許証の免許証番号および有効期限をキーボード１２やマウス１３またはスキャナー１４を介してコンピュータ１１Ａ，１１Ｂに入力する。免許証情報を受け取ったコンピュータ１１Ｂは、その免許証情報をインターネット２４を介してコンピュータ１１Ａに送信する。なお、乗務後点呼時の免許証認証手段においてスキャナー１４から免許証情報がコンピュータ１１Ａに既に入力されている場合は免許証情報の入力を行う必要はなく、免許証真正判定手段も行われない。免許証情報を受け取ったコンピュータ１１Ｂは、その免許証情報をインターネット２４を介してコンピュータ１１Ａに送信する。コンピュータ１１Ａは、運転者特定情報のうちの免許証情報と入力された免許証情報とを比較し、運転者が所持する運転免許証がその運転者の真正のそれであるかを判定する（免許証真正判定手段）。
【０２３５】
コンピュータ１１Ａは、運転者が所持する免許証の免許証番号、運転者の氏名、免許証の有効期限の少なくとも１つと運転者特定情報から抽出した免許証番号、運転者の氏名、免許証の有効期限の少なくとも１つとを比較する。コンピュータ１１Ａは、それら免許証情報が一致した場合、運転者が所持する免許証を真正のそれと判定し、それらが不一致の場合、運転者が所持する免許証を不正なそれと判定する。コンピュータ１１Ａは、運転者が所持する免許証を不正なそれと判定すると、免許証不携帯メッセージをディスプレイ１５（コンピュータ１１Ｂに接続されたディスプレイ１５を含む）に表示する（図示せず）。免許証不携帯の場合、点呼者は、免許の紛失等の原因を運転手から聴取し、必要があれば、その運転者の免許証情報とともに聴取録を作る。
【０２３６】
図２９は、乗務当日の乗務後の目標事項表示画面の一例を示す図である。飲酒無と判定された後、図２８のアルコール検査結果画面において点呼者が「次へボタン」を押すと、コンピュータ１１Ａは、運転者認証手段において真正と判定し、かつ、飲酒無と判定した運転者の乗務可能時間、走行可能距離、売上第１目標金額、当日売上目標金額、乗務間隔、飲酒判定結果を運転者ファイルから抽出し、図２９に示す目標事項表示画面をディスプレイ１５（コンピュータ１１Ｂに接続されたディスプレイ１５を含む）に表示する（乗務可能時間出力手段、走行可能距離出力手段、売上第１目標金額出力手段、当日売上目標金額出力手段、乗務間隔出力手段）。コンピュータ１１Ａ，１１Ｂは、目標事項の出力指示があると、目標事項を印刷した目標印刷シート（図示せず）をプリンタ１６を介して出力する（乗務可能時間出力手段、走行可能距離出力手段、売上第１目標金額出力手段、当日売上目標金額出力手段、乗務間隔出力手段）。
【０２３７】
目標事項表示画面には、運転者氏名表示エリアに運転者氏名、点呼者氏名表示エリアに点呼者氏名、乗務後点呼日時表示エリアに乗務後点呼日時、乗務可能時間表示エリアに乗務可能時間、走行可能距離表示エリアに走行可能距離、売上第１目標金額表示エリアに売上第１目標金額、当日売上目標金額表示エリアに当日売上目標金額、乗務間隔表示エリアに乗務間隔、飲酒判定結果表示エリアに判定結果、社員番号表示エリアに社員番号、免許証番号表示エリアに免許証番号、有効期限表示エリアに有効期限が表示され、次へボタン、戻るボタン、終了ボタンが表示される。
【０２３８】
システム１０は、乗務後点呼時に点呼対象の運転者の乗務可能時間や走行可能距離、乗務間隔を出力するから、各運転者の乗務前点呼日時における乗務可能時間や走行可能距離、乗務間隔を容易に確認かつ把握することができるとともに、乗務可能時間や走行可能距離、乗務間隔を各運転者に認識させることができ、運転者にそれらの遵守を徹底させることができる。システム１０は、乗務後点呼時に点呼対象の運転者の飲酒判定結果を出力するから、乗務中の飲酒を未然に防ぐことができる。
【０２３９】
図３０は、乗務当日の乗務後の目標達成表示画面の一例を示す図である。図２９の目標事項表示画面において点呼者が「次へボタン」を押すと、コンピュータ１１Ａは、運転者の乗務後点呼時までの第２累計乗務時間を算出し（第２累計乗務時間算出手段）、算出した第２累計乗務時間を運転者識別子と乗務後点呼日時とに関連付けた状態で運転者の運転者ファイルに格納する（第２累計乗務時間記憶手段）。コンピュータ１１Ａは、運転者の乗務後点呼時における乗務可能時間からその運転者の乗務後点呼時における第２累計乗務時間を減じて乗務可能第２残り時間を算出し（乗務可能第２残り時間算出手段）、算出した乗務可能第２残り時間を運転者識別子と乗務後点呼日時とに関連付けた状態で運転者の運転者ファイルに格納する乗務可能第２残り時間記憶手段を実行する。
【０２４０】
コンピュータ１１Ａは、運転者の乗務後点呼時までの第２累計走行距離を算出し（第２累計走行距離算出手段）、算出した第２累計走行距離を運転者識別子と乗務後点呼日時とに関連付けた状態で運転者の運転者ファイルに格納する（第２累計走行距離憶手段）。コンピュータ１１Ａは、運転者の乗務後点呼時における走行可能距離からその運転者の乗務後点呼時における第２累計走行距離を減じて走行可能第２残り距離を算出し（走行可能第２残り距離算出手段）、算出した走行可能第２残り距離を運転者識別子と乗務後点呼日時とに関連付けた状態で運転者の運転者ファイルに格納する（走行可能第２残り距離記憶手段）。
【０２４１】
コンピュータ１１Ａは、運転者の乗務後点呼時までの第２累計売上金額を算出し（第２累計売上金額算出手段）、算出した第２累計売上金額を運転者識別子と乗務後点呼日時とに関連付けた状態で運転者の運転者ファイルに格納する（第２累計売上金額記憶手段）。コンピュータ１１Ａは、運転者の乗務後点呼日時における第２累計売上金額を売上第１目標金額で除して目標第３達成率を算出し（目標第３達成率算出手段）、算出した目標第３達成率を運転者識別子と乗務後点呼日時とに関連付けた状態で運転者の運転者ファイルに格納する（目標第３達成率記憶手段）。
【０２４２】
コンピュータ１１Ａは、運転者の当日の乗務日における１日の当日売上目標金額とその運転者の当日の乗務日における１日の当日売上金額とをハードディスクから抽出し、その運転者の当日売上金額を当日売上目標金額で除して目標第４達成率を算出し（目標第４達成率算出手段）、算出した目標第４達成率を運転者識別子と乗務後点呼日時とに関連付けた状態で運転者の運転者ファイルに格納する（目標第４達成率記憶手段）。コンピュータ１１Ａは、運転者の乗務後点呼日時における第２累計売上金額を乗務後点呼時までの第２累計乗務時間で除して乗務時間当たり第３売上金額を算出し（乗務時間当たり第３売上金額算出手段）、算出した乗務時間当たり第３売上金額を運転者識別子と乗務後点呼日時とに関連付けた状態で運転者の運転者ファイルに格納する（乗務時間当たり第３売上金額記憶手段）。
【０２４３】
コンピュータ１１Ａは、運転者の乗務後点呼日時における第２累計売上金額を乗務後点呼時までの第２累計走行距離で除して走行距離当たり第３売上金額を算出し（走行距離当たり第３売上金額算出手段）、算出した走行距離当たり第３売上金額を運転者識別子と乗務後点呼日時とに関連付けた状態で運転者の運転者ファイルに格納する（走行距離当たり第３売上金額記憶手段）。コンピュータ１１Ａは、運転者の当日の乗務日における１日の当日売上金額をその乗務日の当日乗務時間で除して乗務時間当たり第４売上金額を算出し（乗務時間当たり第４売上金額算出手段）、算出した乗務時間当たり第４売上金額を運転者識別子と乗務後点呼日時とに関連付けた状態で運転者の運転者ファイルに格納する（乗務時間当たり第４売上金額記憶手段）。
【０２４４】
コンピュータ１１Ａは、運転者の当日の乗務日における１日の当日売上金額をその乗務日の当日走行距離で除して走行距離当たり第４売上金額を算出し（走行距離当たり第４売上金額算出手段）、算出した走行距離当たり第４売上金額を運転者識別子と乗務後点呼日時とに関連付けた状態で運転者の運転者ファイルに格納する（走行距離当たり第４売上金額記憶手段）。
【０２４５】
コンピュータ１１Ａは、各算出手段を実行した後、第２累計乗務時間、乗務可能第２残り時間、第２累計走行距離、走行可能第２残り距離、第２累計売上金額、目標第３達成率、目標第４達成率、乗務時間当たり第３売上金額、走行距離当たり第３売上金額、乗務時間当たり第４売上金額、走行距離当たり第４売上金額を運転者ファイルから抽出し、図３０に示す目標達成表示画面をディスプレイ１５（コンピュータ１１Ｂに接続されたディスプレイ１５を含む）に表示する（第２累計乗務時間出力手段、乗務可能第２残り時間出力手段、走行可能第２残り距離出力手段、第２累計売上金額出力手段、目標第３達成率出力手段、目標第４達成率出力手段、乗務時間当たり第３売上金額出力手段、走行距離当たり第３売上金額出力手段、乗務時間当たり第４売上金額出力手段、走行距離当たり第４売上金額出力手段）。
【０２４６】
コンピュータ１１Ａ，１１Ｂは、目標達成事項の出力指示があると、目標達成事項を印刷した目標達成印刷シート（図示せず）をプリンタ１６を介して出力する（第２累計乗務時間出力手段、乗務可能第２残り時間出力手段、走行可能第２残り距離出力手段、第２累計売上金額出力手段、目標第３達成率出力手段、目標第４達成率出力手段、乗務時間当たり第３売上金額出力手段、走行距離当たり第３売上金額出力手段、乗務時間当たり第４売上金額出力手段、走行距離当たり第４売上金額出力手段）。
【０２４７】
目標達成表示画面には、運転者氏名表示エリアに運転者氏名、点呼者氏名表示エリアに点呼者氏名、乗務後点呼日時表示エリアに乗務後点呼日時、累計乗務時間表示エリアに累計乗務時間、乗務可能残り時間表示エリアに乗務可能残り時間、累計走行距離表示エリアに累計走行距離、走行可能残り距離表示エリアに走行可能残り距離、累計売上金額表示エリアに累計売上金額、目標第３達成率表示エリアに目標第３達成率、目標第４達成率表示エリアに目標第４達成率、乗務時間当たり第３売上金額表示エリアに乗務時間当たり第３売上金額、走行距離当たり第３売上金額表示エリアに走行距離当たり第３売上金額、乗務時間当たり第４売上金額表示エリアに乗務時間当たり第４売上金額、走行距離当たり第４売上金額表示エリアに走行距離当たり第４売上金額が表示される。さらに、社員番号表示エリアに社員番号、免許証番号表示エリアに免許証番号、有効期限表示エリアに有効期限が表示され、次へボタン、戻るボタン、終了ボタンが表示される。
【０２４８】
システムは、乗務後点呼時に点呼対象の運転者の乗務可能残り時間や走行可能残り距離を出力するから、点呼者が各運転者の乗務可能残り時間や走行可能残り距離を運転者毎に個別に算出かつ記録する必要や点呼時に乗務可能残り時間や走行可能残り距離を各運転者に書面で通知する必要はなく、点呼準備や乗務後点呼作業にかかる労力を大幅に軽減することができる。システムは、乗務後点呼時に各運転者の乗務可能残り時間や走行可能残り距離を容易に確認かつ把握することができるとともに、乗務可能残り時間や走行可能残り距離を各運転者に認識させることができ、各運転者に乗務可能時間や走行可能残り距離の遵守を徹底させることができる。システムは、乗務後点呼時に点呼者や運転者が乗務可能残り時間や走行可能残り距離を把握することで、運転者の超過労働や過労運転を防ぐことができ、乗務可能残り時間や走行可能残り距離を含む点呼データを利用して運転者の運行の安全を確保することができる。
【０２４９】
このシステムは、点呼対象の運転者の目標第３達成率や目標第４達成率（当日目標達成率）、乗務時間当たり第３売上金額、走行距離当たり第３売上金額、乗務時間当たり第４売上金額、走行距離当たり第４売上金額を出力するから、点呼者が各運転者の目標第３達成率や目標第４達成率、乗務時間当たり第３売上金額、走行距離当たり第３売上金額、乗務時間当たり第４売上金額、走行距離当たり第４売上金額を運転者毎に個別に算出かつ記録する必要や点呼時に目標第３達成率や目標第４達成率、乗務時間当たり第３売上金額、走行距離当たり第３売上金額、乗務時間当たり第４売上金額、走行距離当たり第４売上金額を各運転者に書面で通知する必要はなく、点呼準備や乗務後点呼作業にかかる労力を大幅に軽減することができる。システムは、運転者の目標第３達成率や目標第４達成率、乗務時間当たり第３売上金額、走行距離当たり第３売上金額、乗務時間当たり第４売上金額、走行距離当たり第４売上金額を出力するから、各運転者の目標第３達成率や目標第４達成率、乗務時間当たり第３売上金額、走行距離当たり第３売上金額、乗務時間当たり第４売上金額、走行距離当たり第４売上金額を容易に確認かつ把握することができるとともに、目標第３達成率や目標第４達成率、乗務時間当たり第３売上金額、走行距離当たり第３売上金額、乗務時間当たり第４売上金額、走行距離当たり第４売上金額を各運転者に認識させることができ、各運転者の目標達成や売上向上に対する意識付けを図ることができる。
【０２５０】
図３１は、乗務当日の乗務後のチェック事項表示画面の一例を示す図である。図３０の目標達成表示画面において点呼者が「次へボタン」を押すと、コンピュータ１１Ａ，１１Ｂは、図１４に示すチェック事項表示画面をディスプレイ１５に表示する。チェック事項表示画面には、運転者氏名表示エリアに運転者氏名、点呼者氏名表示エリアに点呼者氏名、乗務後点呼日時表示エリアに乗務後点呼日時が表示される。さらに、健康状態チェックボックス、車両点検状況チェックボックス、要望事項入力チェックボックス、忘れ物情報入力チェックボックス、トラブル事項入力チェックボックス、事故情報入力チェックボックス、事故画像入力チェックボックス、事故未遂画像表示チェックボックスが表示され、実行ボタン、クリアボタン、終了ボタンが表示される。
【０２５１】
点呼者は、点呼対象の運転者を問診し、あわせてその運転者の様子を見ながら、運転者の健康状態をチェックし、健康状態良または否のいずれかのチェックボックスにチェックマークを入れる。点呼者は、乗務する車両の点検実施の有無を運転者から聞き出し、点検有または無のいずれかのチェックボックスにチェックマークを入れる。さらに、点呼者は、要望事項や忘れ物情報、トラブル事項の入力または非入力のいずれかのチェックボックスにチェックマークを入れ、事故情報や事故画像、事故未遂画像の入力または非入力のいずれかのチェックボックスにチェックマークを入れる。なお、要望事項や忘れ物情報、トラブル事項がある場合は、入力チェックボックスにチェックマークを入れる。運転者が事故や事故未遂を起こした場合は、入力チェックボックスにチェックマークを入れる。
【０２５２】
要望事項の入力チェックボックスにチェックマークを入れて「実行ボタン」を押すと、コンピュータ１１Ａ，１１Ｂは、図示はしていないが、要望事項の入力画面をディスプレイ１５に表示する。点呼者は、運転者から要望事項を聞き取り、要望事項を入力装置を介してコンピュータ１１Ａに入力する。また、運転者自身が入力装置を介して要望事項をコンピュータ１１Ｂに入力する。なお、要望事項を受け取ったコンピュータ１１Ｂは、その要望事項をインターネット２４を介してコンピュータ１１Ａに送信する。要望事項には、顧客からのそれとともに運転者本人の要望事項も含まれる。コンピュータ１１Ａは、入力された要望事項を運転者識別子と乗務後点呼日時とに関連付けた状態で運転者の運転者ファイルに格納する（要望事項記憶手段）。
【０２５３】
忘れ物情報の入力チェックボックスにチェックマークを入れて「実行ボタン」を押すと、コンピュータ１１Ａ，１１Ｂは、図示はしていないが、忘れ物情報の入力画面をディスプレイ１５に表示する。点呼者は、運転者から忘れ物情報を聞き取り、忘れ物情報を入力装置を介してコンピュータ１１Ａに入力する。また、運転者自身が入力装置を介して忘れ物情報をコンピュータ１１Ｂに入力する。なお、忘れ物情報を受け取ったコンピュータ１１Ｂは、その忘れ物情報をインターネット２４を介してコンピュータ１１Ａに送信する。忘れ物情報には、忘れ物の種類、忘れ物の取得時間、忘れ物の保管場所がある。コンピュータ１１Ａは、入力された忘れ物情報を運転者識別子と乗務後点呼日時とに関連付けた状態で運転者の運転者ファイルに格納する（忘れ物情報記憶手段）。
【０２５４】
トラブル事項の入力チェックボックスにチェックマークを入れて「実行ボタン」を押すと、コンピュータ１１Ａ，１１Ｂは、図示はしていないが、トラブル事項の入力画面をディスプレイ１５に表示する。点呼者は、運転者からトラブル事項を聞き取り、トラブル事項を入力装置を介してコンピュータ１１Ａに入力する。また、運転者自身が入力装置を介してトラブル事項をコンピュータ１１Ｂに入力する。なお、トラブル事項を受け取ったコンピュータ１１Ｂは、そのトラブル事項をインターネット２４を介してコンピュータ１１Ａに送信する。トラブル事項には、トラブルの内容、トラブルの原因、その後の結果がある。コンピュータ１１Ａは、入力されたトラブル事項を運転者識別子と乗務後点呼日時とに関連付けた状態で運転者の運転者ファイルに格納する（トラブル事項記憶手段）。
【０２５５】
事故情報の入力チェックボックスにチェックマークを入れて「実行ボタン」を押すと、コンピュータ１１Ａ，１１Ｂは、図示はしていないが、事故情報の入力画面をディスプレイ１５に表示する。点呼者は、運転者から事故情報を聞き取り、事故情報を入力装置を介してコンピュータ１１Ａに入力する。また、運転者自身が入力装置を介して事故情報をコンピュータ１１Ｂに入力する。なお、事故情報を受け取ったコンピュータ１１Ｂは、その事故情報をインターネット２４を介してコンピュータ１１Ａに送信する。事故情報には、事故現場、事故の内容、事故の原因、事故の結果がある。コンピュータ１１Ａは、入力された事故情報を運転者識別子と乗務後点呼日時とに関連付けた状態で運転者の運転者ファイルに格納する（事故情報記憶手段）。
【０２５６】
事故画像の入力チェックボックスにチェックマークを入れて「実行ボタン」を押すと、コンピュータ１１Ａ，１１Ｂは、ＩＣカードに格納されたドライブレコーダーの映像のうち、事故画像を抽出する。なお、事故画像を受け取ったコンピュータ１１Ｂは、その事故画像をインターネット２４を介してコンピュータ１１Ａに送信する。コンピュータ１１Ａは、事故画像を運転者識別子と乗務後点呼日時とに関連付けた状態で事故画像ファイルに格納する（事故画像記憶手段）。
【０２５７】
事故未遂画像の入力チェックボックスにチェックマークを入れて「実行ボタン」を押すと、コンピュータ１１Ａ，１１Ｂは、ＩＣカードに格納されたドライブレコーダーの映像のうち、事故未遂画像を抽出する。なお、事故未遂画像を受け取ったコンピュータ１１Ｂは、その事故未遂画像をインターネット２４を介してコンピュータ１１Ａに送信する。コンピュータ１１Ａは、事故未遂画像を運転者識別子と乗務後点呼日時とに関連付けた状態で事故未遂画像ファイルに格納する（事故未遂画像記憶手段）。
【０２５８】
各情報や画像を入力した後、点呼者が「実行ボタン」を押すと、コンピュータ１１Ａは、運転者の健康状態を運転者識別子と乗務後点呼日時とに関連付けた状態で運転者の運転者ファイルに格納し（健康状態記憶手段）、運転者が乗務する乗務自動車の乗務前車両点検の点検実施状況を運転者識別子と乗務後点呼日時とに関連付けた状態で運転者の運転者ファイルに格納する（点検実施状況記憶手段）。
【０２５９】
図３２は、次回勤務条件表示画面の一例を示す図である。図３１のチェック事項表示画面において点呼者が「実行ボタン」を押すと、コンピュータ１１Ａは、ハードディスクの運転者ファイルからその運転者の次回の勤務条件を抽出し、図３２に示す次回勤務条件表示画面をディスプレイ１５（コンピュータ１１Ｂに接続されたディスプレイ１５を含む）に表示する（次回勤務条件出力手段、健康状態出力手段、点検実施状況出力手段）。コンピュータ１１Ａ，１１Ｂは、次回勤務条件の出力指示があると、勤務時間や休息時間、走行距離、帰庫時間、健康状態、車両点検状況を印刷した次回勤務条件シート（図示せず）を運転者名とともにプリンタ１６を介して出力する（次回勤務条件出力手段、健康状態出力手段、点検実施状況出力手段）。
【０２６０】
次回勤務条件表示画面には、運転者氏名表示エリアに運転者氏名、点呼者氏名表示エリアに点呼者氏名、乗務後点呼日時表示エリアに乗務前点呼日時、次回点呼日時表示エリアに次回点呼日時、勤務時間表示エリアに次回の勤務時間、休息時間表示エリアに次回の休息時間、走行距離表示エリアに次回の走行距離、帰庫時間表示アリアに次回の帰庫時間が表示される。さらに、要望事項表示ボタン、忘れ物情報表示ボタン、トラブル事項表示ボタン、事故情報表示ボタン、事故画像表示ボタン、事故未遂画像表示ボタンが表示され、実行ボタン、次へボタン、戻るボタン、終了ボタンが表示される。
【０２６１】
図３３は、要望事項等表示画面の一例を示す図である。要望事項や忘れ物情報、トラブル事項を表示するには、図３２の次回勤務条件表示画面において「要望事項表示ボタン」、「忘れ物情報表示ボタン」、「トラブル事項表示ボタン」を反転させた後、「実行ボタン」を押す。それらボタンを反転させて「実行ボタン」を押すと、コンピュータ１１Ａは、ハードディスクの運転者ファイルから要望事項や忘れ物情報、トラブル事項を運転者特定情報（運転者識別子）によって抽出し、図３３に示す要望事項等表示画面をディスプレイ１５（コンピュータ１１Ｂに接続されたディスプレイ１５を含む）に表示する（要望事項出力手段、忘れ物情報出力手段、トラブル事項出力手段）。
【０２６２】
コンピュータ１１Ａ，１１Ｂは、要望事項等の出力指示があると、図３３の要望事項、忘れ物情報、トラブル事項を運転者名とともにプリンタ１６を介して出力する（要望事項出力手段、忘れ物情報出力手段、トラブル事項出力手段）。要望事項等表示画面には、運転者氏名表示エリアに運転者氏名、点呼者氏名表示エリアに点呼者氏名、乗務後点呼日時表示エリアに乗務後点呼日時、要望事項表示エリアに要望事項、忘れ物情報表示エリアに忘れ物情報、トラブル事項表示エリアにトラブル事項が表示され、戻るボタン、終了ボタンが表示される。
【０２６３】
図３４は、事故情報表示画面の一例を示す図である。事故情報を表示するには、図３３の要望事項等表示画面の「戻るボタン」を押す。「戻るボタン」を押すと、コンピュータ１１Ａ，１１Ｂは、図３２の次回勤務条件表示画面を表示する。次回勤務条件表示画面において「事故情報表示ボタン」を反転させた後、「実行ボタン」を押す。「事故情報表示ボタン」を反転させて「実行ボタン」を押すと、コンピュータ１１Ａは、ハードディスクの事故情報ファイルから運転者の事故情報を運転者特定情報（運転者識別子）によって抽出し、図３４に示す事故情報表示画面をディスプレイ１５（コンピュータ１１Ｂに接続されたディスプレイ１５を含む）に表示する（事故情報出力手段）。コンピュータ１１Ａ，１１Ｂは、事故情報の出力指示があると、図３４の事故情報を運転者名とともにプリンタ１６を介して出力する（事故情報出力手段）。事故情報表示画面には、事故場所表示エリアに事故現場、事故の内容、事故の原因、事故の結果等が表示され、戻るボタン、終了ボタンが表示される。
【０２６４】
図３５は、事故画像表示画面の一例を示す図である。運転者の事故画像を表示するには、図３４の事故情報表示画面の「戻るボタン」を押す。「戻るボタン」を押すと、コンピュータ１１Ａ，１１Ｂは、図３２の次回勤務条件表示画面を表示する。次回勤務条件表示画面において「事故画像表示ボタン」を反転させた後、「実行ボタン」を押す。「事故画像表示ボタン」を反転させて「実行ボタン」を押すと、コンピュータ１１Ａは、ハードディスクの事故画像ファイルから運転者の事故画像を運転者特定情報（運転者識別子）によって抽出し、図３５に示す事故画像表示画面をディスプレイ１５（コンピュータ１１Ｂに接続されたディスプレイ１５を含む）に表示する（事故画像出力手段）。事故画像表示画面には、運転者氏名表示エリアに運転者氏名、点呼者氏名表示エリアに点呼者氏名、乗務前点呼日時表示エリアに乗務前点呼日時、事故現場表示エリアに事故の場所、事故状況表示エリアに事故状況、事故原因表示エリアに事故原因が表示され、戻るボタン、終了ボタンが表示される。さらに、事故画像表示エリアにドライブレコーダーによって撮影された事故の動画が表示される。
【０２６５】
図３６は、事故未遂画像表示画面の一例を示す図である。運転者の事故未遂画像を表示するには、図３５の事故画像表示画面の「戻るボタン」を押す。「戻るボタン」を押すと、コンピュータ１１Ａ，１１Ｂは、図３２の次回勤務条件表示画面を表示する。次回勤務条件表示画面において「事故未遂画像表示ボタン」を反転させた後、「実行ボタン」を押す。「事故未遂画像表示ボタン」を反転させて「実行ボタン」を押すと、コンピュータ１１Ａは、ハードディスクの事故未遂画像ファイルから運転者の事故未遂画像を運転者特定情報（運転者識別子）によって抽出し、図３６に示す事故未遂画像表示画面をディスプレイ１５（コンピュータ１１Ｂに接続されたディスプレイ１５を含む）に表示する（事故未遂画像出力手段）。事故未遂画像表示画面には、運転者氏名表示エリアに運転者氏名、点呼者氏名表示エリアに点呼者氏名、乗務前点呼日時表示エリアに乗務前点呼日時、事故未遂現場表示エリアに未遂事故の場所、事故未遂状況表示エリアに未遂事故状況、事故未遂原因表示エリアに未遂事故原因が表示され、戻るボタン、終了ボタンが表示される。さらに、事故未遂画像表示エリアにドライブレコーダーによって撮影された未遂事故の動画が表示される。
【０２６６】
図３７は、注意事項と売上向上指示事項とを表示したその他事項表示画面の一例を示す図である。その他事項を表示するには、図３６の事故未遂画像表示画面の「戻るボタン」を押す。「戻るボタン」を押すと、コンピュータ１１Ａ，１１Ｂは、図３２の次回勤務条件表示画面を表示する。次回勤務条件表示画面において「次へボタン」を押す。「次へボタン」を押すと、コンピュータ１１Ａは、ハードディスクの運転者ファイルから運転者に視認させる注意事項や売上向上指示事項を抽出し、図３７に示すその他事項表示画面をディスプレイ１５（コンピュータ１１Ｂに接続されたディスプレイ１５を含む）に表示する（注意事項出力手段、売上向上指示事項出力手段）。コンピュータ１１Ａ，１１Ｂは、その他事項の出力指示があると、図３７のその他事項を運転者名とともにプリンタ１６を介して出力する（注意事項出力手段、売上向上指示事項出力手段）。
【０２６７】
その他事項表示画面には、運転者氏名表示エリアに運転者氏名、点呼者氏名表示エリアに点呼者氏名、乗務前点呼日時表示エリアに乗務前点呼日時、注意事項表示エリアに注意事項、売上向上指示事項表示エリアに売上向上指示事項が表示され、戻るボタン、終了ボタンが表示される。運転者は、注意事項を見ることで、運行の安全を再度確認することができ、売上向上指示を見ることで、売上金額の向上策を確認することができる。
【０２６８】
図３８は、運転者別点呼データ出力画面の一例を示す図であり、図３９は、特定の運転者の乗務前点呼データ項目選択画面の一例を示す図である。図４０は、特定の運転者の乗務前点呼データ表示画面の一例を示す図である。特定の運転者の運転者別点呼データを出力するには、システム１０にログインし、図４の項目選択画面を表示した後、項目選択画面の「運転者別点呼データ出力ボタン」を押す。「運転者別点呼データ出力ボタン」を押すと、コンピュータ１１Ａ，１１Ｂは、図３８の運転者別点呼データ出力画面をディスプレイ１５に表示する。運転者別点呼データ出力画面には、運転者氏名の入力エリア、運転者名のプルダウンリスト、全表示チェックボックス、乗務前点呼チェックボックス、乗務後点呼チェックボックスが表示され、実行ボタン、クリアボタン、終了ボタンが表示される。
【０２６９】
運転者名入力エリアに所定の運転者の氏名を入力し、または、運転者名のプルダウンリストから運転者の氏名を選択した後、チェックボックスのいずれかにチェックマークを入れ、「実行ボタン」を押す。ここでは、乗務前点呼チェックボックスにチェックマークを入れたものとする。なお、全表示チェックボックスにチェックマークを入れると、コンピュータ１１Ａは、特定の運転者の乗務前点呼データと乗務後点呼データとの全点呼データ出力画面をディスプレイ１５（コンピュータ１１Ｂに接続されたディスプレイ１５を含む）に表示する。乗務後点呼チェックボックスにチェックマークを入れると、コンピュータ１１Ａは、特定の運転者の乗務後点呼データ出力画面をディスプレイ１５（コンピュータ１１Ｂに接続されたディスプレイ１５を含む）に表示する。
【０２７０】
乗務前点呼チェックボックスにチェックマークを入れて「実行ボタン」を押すと、コンピュータ１１Ａ，１１Ｂは、図３９の特定の運転者の乗務前点呼データ項目選択画面をディスプレイ１５に表示する。乗務前点呼データ項目選択画面には、期間または期日入力エリア、全表示のチェックボックス、項目選択のチェックボックス、各項目を選択するためのチェックボックスが表示され、実行ボタン、クリアボタン、終了ボタンが表示される。ここでは、全表示チェックボックスにチェックマークを入れたものとする。全表示チェックボックスにチェックマークを入れた後、「実行ボタン」を押すと、コンピュータ１１Ａは、図４０の乗務前点呼データ表示画面をディスプレイ１５（コンピュータ１１Ｂに接続されたディスプレイ１５を含む）に表示する（運転者別点呼データ一覧出力手段）。コンピュータ１１Ａ，１１Ｂは、乗務前点呼データの出力指示があると、乗務前点呼データを運転者名とともにプリンタ１６を介して出力する（運転者別点呼データ一覧出力手段）。
【０２７１】
乗務前点呼データ表示画面には、運転者名表示エリアに指定した運転者名、出力日表示エリアに乗務前点呼データ表示画面の出力日、乗務前点呼データ表示エリアに乗務前の全点呼データが表示され、印刷ボタン、戻るボタン、終了ボタンが表示される。なお、乗務前点呼データ項目選択画面において項目選択チェックボックスにチェックマークを入れ、さらに、各項目を選択するためのチェックボックスのうちの表示すべき項目のチェックボックスにチェックマークを入れた後、「実行ボタン」を押すと、乗務前点呼データ表示画面の乗務前点呼データ表示エリアには、選択した項目の乗務前点呼データが表示される。
【０２７２】
システム１０は、所定の運転者の過去から現在までのいずれかの期間または期日における乗務前点呼データを確認することができ、乗務前点呼が適正に行われたかを検証しつつ、今後の乗務前点呼を迅速かつ正確に進めるための参考にすることができる。システム１０は、所定の運転者の過去から現在までのいずれかの期間または期日における乗務前点呼データをプリンタ１６を介して出力することができ、さらに、各項目を選択することで必要な項目のみを出力することができるから、公的機関から乗務前点呼の必要事項を記載した記録表の提出を求められたとしても、必要事項のみを記載した記録表の提出を迅速かつ確実に行うことができる。
【０２７３】
図４１は、特定の運転者の乗務後点呼データ項目選択画面の一例を示す図である。図４２は、特定の運転者の乗務後点呼データ表示画面の一例を示す図である。特定の運転者の乗務後点呼データを出力するには、図３８の運転者別点呼データ出力画面において特定の運転者を選択し、乗務後点呼チェックボックスにチェックマークを入れた後、「実行ボタン」を押す。
【０２７４】
乗務後点呼チェックボックスにチェックマークを入れて「実行ボタン」を押すと、コンピュータ１１Ａ，１１Ｂは、図４１の特定の運転者の乗務後点呼データ項目選択画面をディスプレイ１５に表示する。乗務後点呼データ項目選択画面には、期間または期日入力エリア、全表示のチェックボックス、項目選択のチェックボックス、各項目を選択するためのチェックボックスが表示され、実行ボタン、クリアボタン、終了ボタンが表示される。ここでは、全表示チェックボックスにチェックマークを入れたものとする。全表示チェックボックスにチェックマークを入れた後、「実行ボタン」を押すと、コンピュータ１１Ａは、図４２の乗務後点呼データ表示画面をディスプレイ１５（コンピュータ１１Ｂに接続されたディスプレイ１５を含む）に表示する（運転者別点呼データ一覧出力手段）。コンピュータ１１Ａ，１１Ｂは、乗務後点呼データの出力指示があると、乗務後点呼データを運転者名とともにプリンタ１６を介して出力する（運転者別点呼データ一覧出力手段）。
【０２７５】
乗務後点呼データ表示画面には、運転者名表示エリアに指定した運転者名、出力日表示エリアに乗務後点呼データ表示画面の出力日、乗務後点呼データ表示エリアに乗務後の全点呼データが表示され、印刷ボタン、戻るボタン、終了ボタンが表示される。なお、乗務後点呼データ項目選択画面において項目選択チェックボックスにチェックマークを入れ、さらに、各項目を選択するためのチェックボックスのうちの表示すべき項目のチェックボックスにチェックマークを入れた後、「実行ボタン」を押すと、乗務後点呼データ表示画面の乗務後点呼データ表示エリアには、選択した項目の乗務後点呼データが表示される。
【０２７６】
システム１０は、所定の運転者の過去から現在までのいずれかの期間または期日における乗務後点呼データを確認することができ、乗務後点呼が適正に行われたかを検証しつつ、今後の乗務後点呼を迅速かつ正確に進めるための参考にすることができる。システム１０は、所定の運転者の過去から現在までのいずれかの期間または期日における乗務後点呼データをプリンタ１６を介して出力することができ、さらに、各項目を選択することで必要な項目のみを出力することができるから、公的機関から乗務後点呼の必要事項を記載した記録表の提出を求められたとしても、必要事項のみを記載した記録表の提出を迅速かつ確実に行うことができる。
【０２７７】
図４３は、時期別点呼データ一出力画面の一例を示す図であり、図４４は、時期別乗務前点呼データ項目選択画面の一例を示す図である。図４５は、時期別乗務前点呼データ表示画面の一例を示す図である。運転者別点呼データを出力するには、システム１０にログインし、図４の項目選択画面を表示した後、項目選択画面の「時期別点呼データ出力ボタン」を押す。「時期別点呼データ出力ボタン」を押すと、コンピュータ１１Ａ，１１Ｂは、図４３の時期別点呼データ出力画面をディスプレイ１５に表示する。時期別点呼データ出力画面には、期間入力チェックボックス、期日入力チェックボックス、全表示チェックボックス、乗務前点呼チェックボックス、乗務後点呼チェックボックスが表示され、実行ボタン、クリアボタン、終了ボタンが表示される。
【０２７８】
期間入力チェックボックスと期日入力チェックボックスとのいずれかのチェックボックスにチェックマークを入れ、全表示チェックボックスや乗務前点呼チェックボックス、乗務後点呼チェックボックスのいずれかのチェックボックスにチェックマークを入れた後、「実行ボタン」を押す。ここでは、期間入力チェックボックスにチェックマークを入れ、乗務前点呼チェックボックスにチェックマークを入れたものとする。なお、期日入力チェックボックスにチェックマークを入れると、コンピュータ１１Ａ，１１Ｂは、指定された期日における点呼データをディスプレイに表示する。全表示チェックボックスにチェックマークを入れると、コンピュータは、特定の運転者の乗務前点呼データと乗務後点呼データとの全点呼データ出力画面をディスプレイ１５に表示する。乗務後点呼チェックボックスにチェックマークを入れると、コンピュータ１１Ａ，１１Ｂは、特定の運転者の乗務後点呼データ出力画面をディスプレイ１５に表示する。
【０２７９】
期間入力チェックボックスにチェックマークを入れ、乗務前点呼チェックボックスにチェックマークを入れて「実行ボタン」を押すと、コンピュータ１１Ａ，１１Ｂは、図４４の時期別乗務前点呼データ項目選択画面をディスプレイ１５に表示する。時期別乗務前点呼データ項目選択画面には、期間入力エリア、全表示のチェックボックス、項目選択のチェックボックス、運転者名入力エリア、運転者名のプルダウンリスト、各項目を選択するためのチェックボックスが表示され、実行ボタン、クリアボタン、終了ボタンが表示される。ここでは、項目選択チェックボックスのうち、認証結果チェックボックス、点呼者チェックボックス、有効期限チェックボックス、飲酒有チェックボックス、無乗務可能残り時間チェックボックス、走行可能残り距離チェックボックス、健康状態チェックボックスにチェックマークを入れたものとする。それらチェックボックスにチェックマークを入れた後、「実行ボタン」を押すと、コンピュータ１１Ａは、図４５の時期別乗務前点呼データ表示画面をディスプレイ１５（コンピュータ１１Ｂに接続されたディスプレイ１５を含む）に表示する（時期別点呼データ一覧出力手段）。コンピュータ１１Ａ，１１Ｂは、時期別乗務前点呼データの出力指示があると、乗務前点呼データを運転者名とともにプリンタ１６を介して出力する（時期別点呼データ一覧出力手段）。
【０２８０】
時期別乗務前点呼データ表示画面には、運転者名表示エリアに指定した運転者名、点呼者名表示エリアに点呼者名、出力日表示エリアに乗務前点呼データ表示画面の出力日、乗務前点呼データ表示エリアに指定した項目の点呼データが日別に表示され、印刷ボタン、戻るボタン、終了ボタンが表示される。なお、乗務前点呼データ項目選択画面において全表示チェックボックスにチェックマークを入れた後、「実行ボタン」を押すと、乗務前点呼データ表示画面の乗務前点呼データ表示エリアには、すべての乗務前点呼データが表示される。
【０２８１】
システム１０は、過去から現在までのいずれかの期間または期日における乗務前点呼データを確認することができ、その期間や期日において乗務前点呼が適正に行われたかを検証しつつ、今後の乗務前点呼を迅速かつ正確に進めるための参考にすることができる。システム１０は、過去から現在までのいずれかの期間または期日における乗務前点呼データをプリンタ１６を介して出力することができ、さらに、各項目を選択することで必要な項目のみを出力することができるから、公的機関から所定の期間や期日における乗務前点呼の必要事項を記載した記録表の提出を求められたとしても、必要事項のみを記載した記録表の提出を迅速かつ確実に行うことができる。
【０２８２】
図４６は、時期別乗務後点呼データ項目選択画面の一例を示す図である。図４７は、時期別乗務後点呼データ表示画面の一例を示す図である。時期別乗務後点呼データを出力するには、図４３の時期別点呼データ一出力画面において期間入力チェックボックスにチェックマークを入れ、乗務後点呼チェックボックスにチェックマークを入れた後、「実行ボタン」を押す。
【０２８３】
期間入力チェックボックスにチェックマークを入れ、乗務後点呼チェックボックスにチェックマークを入れて「実行ボタン」を押すと、コンピュータ１１Ａ，１１Ｂは、図４６の時期別乗務後点呼データ項目選択画面をディスプレイ１５に表示する。時期別乗務後点呼データ項目選択画面には、期間入力エリア、全表示のチェックボックス、項目選択のチェックボックス、運転者名入力エリア、運転者名のプルダウンリスト、各項目を選択するためのチェックボックスが表示され、実行ボタン、クリアボタン、終了ボタンが表示される。ここでは、項目選択チェックボックスのうち、認証結果チェックボックス、点呼者チェックボックス、有効期限チェックボックス、飲酒有チェックボックス、乗務間隔チェックボックス、乗務可能残り時間チェックボックス、走行可能残り距離チェックボックス、健康状態チェックボックスにチェックマークを入れたものとする。それらチェックボックスにチェックマークを入れた後、「実行ボタン」を押すと、コンピュータ１１Ａは、図４７の時期別乗務後点呼データ表示画面をディスプレイ１５（コンピュータ１１Ｂに接続されたディスプレイ１５を含む）に表示する（時期別点呼データ一覧出力手段）。コンピュータ１１Ａ，１１Ｂは、時期別乗務後点呼データの出力指示があると、乗務前点呼データを運転者名とともにプリンタ１６を介して出力する（時期別点呼データ一覧出力手段）。
【０２８４】
時期別乗務後点呼データ表示画面には、運転者名表示エリアに指定した運転者名、点呼者名表示エリアに点呼者名、出力日表示エリアに乗務前点呼データ表示画面の出力日、乗務後点呼データ表示エリアに指定した項目の点呼データが日別に表示され、印刷ボタン、戻るボタン、終了ボタンが表示される。なお、乗務後点呼データ項目選択画面において全表示チェックボックスにチェックマークを入れた後、「実行ボタン」を押すと、乗務後点呼データ表示画面の乗務後点呼データ表示エリアには、すべての乗務後点呼データが表示される。
【０２８５】
システム１０は、過去から現在までのいずれかの期間または期日における乗務後点呼データを確認することができ、その期間や期日において乗務後点呼が適正に行われたかを検証しつつ、今後の乗務後点呼を迅速かつ正確に進めるための参考にすることができる。システム１０は、過去から現在までのいずれかの期間または期日における乗務後点呼データをプリンタ１６を介して出力することができ、さらに、各項目を選択することで必要な項目のみを出力することができるから、公的機関から所定の期間や期日における乗務後点呼の必要事項を記載した記録表の提出を求められたとしても、必要事項のみを記載した記録表の提出を迅速かつ確実に行うことができる。
【符号の説明】
【０２８６】
１０    点呼管理システム
１１Ａ  コンピュータ
１１Ｂ  コンピュータ
１４    スキャナー
１５    ディスプレイ
１６    プリンタ
１７    バーコードリーダ
１８    ＩＣカードリーダ
１９    アルコールチェッカー
２０    撮像装置
２１    虹彩データ取得装置
２２    指紋データ取得装置
２３    静脈データ取得装置
２４    インターネット
【図１】
2011013911.tif 000003
【図２】
2011013911.tif 000004
【図３】
2011013911.tif 000005
【図４】
2011013911.tif 000006
【図５】
2011013911.tif 000007
【図６】
2011013911.tif 000008
【図７】
2011013911.tif 000009
【図８】
2011013911.tif 000010
【図９】
2011013911.tif 000011
【図１０】
2011013911.tif 000012
【図１１】
2011013911.tif 000013
【図１２】
2011013911.tif 000014
【図１３】
2011013911.tif 000015
【図１４】
2011013911.tif 000016
【図１５】
2011013911.tif 000017
【図１６】
2011013911.tif 000018
【図１７】
2011013911.tif 000019
【図１８】
2011013911.tif 000020
【図１９】
2011013911.tif 000021
【図２０】
2011013911.tif 000022
【図２１】
2011013911.tif 000023
【図２２】
2011013911.tif 000024
【図２３】
2011013911.tif 000025
【図２４】
2011013911.tif 000026
【図２５】
2011013911.tif 000027
【図２６】
2011013911.tif 000028
【図２７】
2011013911.tif 000029
【図２８】
2011013911.tif 000030
【図２９】
2011013911.tif 000031
【図３０】
2011013911.tif 000032
【図３１】
2011013911.tif 000033
【図３２】
2011013911.tif 000034
【図３３】
2011013911.tif 000035
【図３４】
2011013911.tif 000036
【図３５】
2011013911.tif 000037
【図３６】
2011013911.tif 000038
【図３７】
2011013911.tif 000039
【図３８】
2011013911.tif 000040
【図３９】
2011013911.tif 000041
【図４０】
2011013911.tif 000042
【図４１】
2011013911.tif 000043
【図４２】
2011013911.tif 000044
【図４３】
2011013911.tif 000045
【図４４】
2011013911.tif 000046
【図４５】
2011013911.tif 000047
【図４６】
2011013911.tif 000048
【図４７】
2011013911.tif 000049